(57)【要約】モバイル・ノードのネットワークをサポートする通信ネットワーク・アーキテクチャ、システムおよび方法である。非限定的な例では、本開示の種々の態様は、動的に構成可能な通信ネットワークをサポートする通信ネットワーク・アーキテクチャ、システムおよび方法を提供する。動的に構成可能な通信ネットワークは、エンド・ユーザ・デバイスの移動性についての接続性サポートを維持する、静的および移動体双方の通信ノードにおける複雑なアレイを含む。【選択図】図１
2019515546.tif 000002
【特許請求の範囲】
【請求項１】
移動物体のネットワークにおける複数のアクセス・ポイントを動作させる方法において、
前記複数のアクセス・ポイントが少なくとも１つの無線周波数（ＲＦ）インタフェースを備え、該ＲＦインタフェースが、複数のエンド・ユーザ・デバイスによる相互の、および前記移動物体のネットワークにアクセス可能なリモート・リソースとのワイヤレス・モバイル通信を可能にし、当該方法が、
前記複数のアクセス・ポイントのうち第１アクセス・ポイントにおいて、
前記複数のエンド・ユーザ・デバイスとの通信のために前記第１アクセス・ポイントによってサポートされるワイヤレス・ネットワーク・アクセスの領域を表すネットワーク識別子を割り当てるステップと、
前記第１アクセス・ポイントの少なくとも１つのＲＦインタフェースを使用して、前記ネットワーク識別子をブロードキャストするステップと、
前記第１エンド・ユーザ・デバイスによる要求を表す信号を、前記少なくとも１つのＲＦインタフェースを使用して前記複数のエンド・ユーザ・デバイスのうち第１エンド・ユーザ・デバイスから受信して、前記第１アクセス・ポイントを介した第１エンド・ユーザ・データの通信を構成するワイヤレス接続を確立するステップと、
前記複数のアクセス・ポイントを介して、また、前記移動物体のネットワークを通じて、前記第１エンド・ユーザ・データの通信を可能にするために、前記第１エンド・ユーザ・デバイスへのネットワーク・アドレスの割り振りを要求するステップと、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信するステップと、
前記第１アクセス・ポイントによって、前記少なくとも１つのＲＦインタフェースおよび前記第１エンド・ユーザ・デバイスの間のワイヤレス通信の品質が特定の品質閾値より高いかを判定するステップと、
前記少なくとも１つのＲＦインタフェースおよび前記第１エンド・ユーザ・デバイスの間のワイヤレス通信の品質が前記特定の品質閾値より高い場合に、引き続き、
前記ネットワーク識別子および前記ネットワーク・アドレスを使用して、前記第１アクセス・ポイントを介して前記第１エンド・ユーザ・デバイスの第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高くない場合には、
前記１つ以上の近隣のアクセス・ポイントのうち特定の１つのアクセス・ポイントを選択し、
前記第１エンド・ユーザ・データの前記第１エンド・ユーザ・デバイスとの通信を開始することを前記特定のアクセス・ポイントに要求する通知を、前記特定のアクセス・ポイントに送信し、
前記第１アクセス・ポイントによって、前記第１エンド・ユーザ・データの前記第１エンド・ユーザ・デバイスとの通信を終了する、
ことを実行する、ステップと、
を含む、方法。
【請求項２】
請求項１記載の方法において、前記複数のアクセス・ポイントが、それぞれの前記アクセス・ポイントに知られた固定の地理的位置にあるアクセス・ポイントと、移動体である車両に備え付けれ、前記それぞれのアクセス・ポイントに知られた現在の地理的位置にあるアクセス・ポイントと、を含む、方法。
【請求項３】
前記割り当てられたネットワーク識別子が、前記移動物体のネットワーク内の全てのアクセス・ポイントに同一である、請求項１記載の方法。
【請求項４】
前記割り当てられたネットワーク識別子が、前記移動物体のネットワークによってサービス提供される各エンド・ユーザ・デバイスに一意である、請求項１記載の方法。
【請求項５】
請求項１記載の方法において、前記ネットワーク識別子が、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含む、方法。
【請求項６】
請求項１記載の方法において、前記第１エンド・ユーザ・データの前記第１エンド・ユーザ・デバイスとの通信を開始することを前記特定のアクセス・ポイントに要求する通知が送信されたときに、前記ネットワーク識別子が前記特定のアクセス・ポイントに転送される、方法。
【請求項７】
請求項１記載の方法において、前記ネットワーク・アドレスが、前記移動物体のネットワークにおけるノードによって前記エンド・ユーザ・デバイスに割り当てられたインターネット・プロトコル（ＩＰ）アドレスであり、前記ノードによって前記特定のエンド・ユーザ・デバイスに割り当てられた前記ＩＰアドレスにしたがって特定のエンド・ユーザ・デバイスに向けてエンド・ユーザ・データをルーティングする、方法。
【請求項８】
請求項１記載の方法において、前記１つ以上の近隣のアクセス・ポイントのうち特定の１つのアクセス・ポイントを選択することが、
前記１つ以上の近隣のアクセス・ポイントで為される前記第１エンド・ユーザ・デバイスのワイヤレス通信の品質についての各測定値を前記第１アクセス・ポイントに提供するための要求を、前記少なくとも１つのＲＦインタフェースを介して前記複数のアクセス・ポイントのうち前記１つ以上の近隣のアクセス・ポイントに送信し、
前記第１エンド・ユーザ・デバイスのワイヤレス通信の品質についての前記測定値を、前記第１アクセス・ポイントにおける前記１つ以上の近隣のアクセス・ポイントから受信し、
前記第１エンド・ユーザ・デバイスのワイヤレス接続についての受信した品質の測定値に基づいて、前記１つ以上の近隣のアクセス・ポイントのうち前記特定の１つのアクセス・ポイントを選択する、
ことを含む、方法。
【請求項９】
請求項１記載の方法において、前記１つ以上の近隣のアクセス・ポイントが、
前記第１アクセス・ポイントの地理的位置に基づいて、前記複数のアクセス・ポイントから選択されること、および、
前記複数のアクセス・ポイントの各アクセス・ポイントが、その地理的位置を、前記複数のアクセス・ポイントのうち残りのアクセス・ポイントとの間で共有すること、
のうち一方または双方である、方法。
【請求項１０】
請求項１記載の方法において、前記複数のアクセス・ポイントおよび前記複数のエンド・ユーザ・デバイスの間のワイヤレス通信が、第１無線周波数チャネルおよび第１通信プロトコルを使用し、前記第１アクセス・ポイントおよび前記１つ以上の近隣のアクセス・ポイントの間のワイヤレス通信が、第２無線周波数チャネルおよび第２通信プロトコルを使用する、方法。
【請求項１１】
複数のコード部を格納した非一時的コンピュータ可読媒体であって、
各前記コード部が、１つ以上のプロセッサによって実行可能な複数の命令を含み、前記１つ以上のプロセッサに、移動物体のネットワークにおける複数のアクセス・ポイントを動作させる方法を実行させ、前記複数のアクセス・ポイントが少なくとも１つの無線周波数（ＲＦ）インタフェースを備え、該ＲＦインタフェースが、複数のエンド・ユーザ・デバイスによる相互の、および前記移動物体のネットワークにアクセス可能なリモート・リソースとのワイヤレス・モバイル通信を可能にし、前記方法が、
前記複数のエンド・ユーザ・デバイスとの通信のために前記第１アクセス・ポイントによってサポートされるワイヤレス・ネットワーク・アクセスの領域を表すネットワーク識別子を割り当てるステップと、
前記第１アクセス・ポイントの少なくとも１つのＲＦインタフェースを使用して、前記ネットワーク識別子をブロードキャストするステップと、
前記第１エンド・ユーザ・デバイスによる要求を表す信号を、前記少なくとも１つのＲＦインタフェースを使用して前記複数のエンド・ユーザ・デバイスのうち第１エンド・ユーザ・デバイスから受信して、前記第１アクセス・ポイントを介した第１エンド・ユーザ・データの通信を構成するワイヤレス接続を確立するステップと、
前記複数のアクセス・ポイントを介して、また、前記移動物体のネットワークを通じて、前記第１エンド・ユーザ・データの通信を可能にするために、前記第１エンド・ユーザ・デバイスへのネットワーク・アドレスの割り振りを要求するステップと、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信するステップと、
前記第１アクセス・ポイントによって、前記少なくとも１つのＲＦインタフェースおよび前記第１エンド・ユーザ・デバイスの間のワイヤレス通信の品質が特定の品質閾値より高いかを判定するステップと、
前記少なくとも１つのＲＦインタフェースおよび前記第１エンド・ユーザ・デバイスの間のワイヤレス通信の品質が前記特定の品質閾値より高い場合に、引き続き、
前記ネットワーク識別子および前記ネットワーク・アドレスを使用して、前記第１アクセス・ポイントを介して前記第１エンド・ユーザ・デバイスの第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高くない場合には、
前記１つ以上の近隣のアクセス・ポイントのうち特定の１つのアクセス・ポイントを選択し、
前記第１エンド・ユーザ・データの前記第１エンド・ユーザ・デバイスとの通信を開始することを前記特定のアクセス・ポイントに要求する通知を、前記特定のアクセス・ポイントに送信し、
前記第１アクセス・ポイントによって、前記第１エンド・ユーザ・データの前記第１エンド・ユーザ・デバイスとの通信を終了する、
ことを実行する、ステップと、
を含む、非一時的コンピュータ可読媒体。
【請求項１２】
請求項１１記載の非一時的コンピュータ可読媒体において、前記複数のアクセス・ポイントが、それぞれの前記アクセス・ポイントに知られた固定の地理的位置にあるアクセス・ポイントと、移動体である車両に備え付けれ、前記それぞれのアクセス・ポイントに知られた現在の地理的位置にあるアクセス・ポイントと、を含む、非一時的コンピュータ可読媒体。
【請求項１３】
前記割り当てられたネットワーク識別子が、前記移動物体のネットワーク内の全てのアクセス・ポイントに同一である、請求項１１記載の非一時的コンピュータ可読媒体。
【請求項１４】
前記割り当てられたネットワーク識別子が、前記移動物体のネットワークによってサービス提供される各エンド・ユーザ・デバイスに一意である、請求項１１記載の非一時的コンピュータ可読媒体。
【請求項１５】
請求項１１記載の非一時的コンピュータ可読媒体において、前記ネットワーク識別子が、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含む、非一時的コンピュータ可読媒体。
【請求項１６】
請求項１１記載の非一時的コンピュータ可読媒体において、前記第１エンド・ユーザ・データの前記第１エンド・ユーザ・デバイスとの通信を開始することを前記特定のアクセス・ポイントに要求する通知が送信されたときに、前記ネットワーク識別子が前記特定のアクセス・ポイントに転送される、非一時的コンピュータ可読媒体。
【請求項１７】
請求項１１記載の非一時的コンピュータ可読媒体において、前記ネットワーク・アドレスが、前記移動物体のネットワークにおけるノードによって前記エンド・ユーザ・デバイスに割り当てられたインターネット・プロトコル（ＩＰ）アドレスであり、前記ノードによって前記特定のエンド・ユーザ・デバイスに割り当てられた前記ＩＰアドレスにしたがって特定のエンド・ユーザ・デバイスに向けてエンド・ユーザ・データをルーティングする、非一時的コンピュータ可読媒体。
【請求項１８】
請求項１１記載の非一時的コンピュータ可読媒体において、前記１つ以上の近隣のアクセス・ポイントのうち特定の１つのアクセス・ポイントを選択することが、
前記１つ以上の近隣のアクセス・ポイントで為される前記第１エンド・ユーザ・デバイスのワイヤレス通信の品質についての各測定値を前記第１アクセス・ポイントに提供するための要求を、前記少なくとも１つのＲＦインタフェースを介して前記複数のアクセス・ポイントのうち前記１つ以上の近隣のアクセス・ポイントに送信し、
前記第１エンド・ユーザ・デバイスのワイヤレス通信の品質についての前記測定値を、前記第１アクセス・ポイントにおける前記１つ以上の近隣のアクセス・ポイントから受信し、
前記第１エンド・ユーザ・デバイスのワイヤレス接続についての受信した品質の測定値に基づいて、前記１つ以上の近隣のアクセス・ポイントのうち前記特定の１つのアクセス・ポイントを選択する、
ことを含む、非一時的コンピュータ可読媒体。
【請求項１９】
請求項１１記載の非一時的コンピュータ可読媒体において、前記１つ以上の近隣のアクセス・ポイントが、
前記第１アクセス・ポイントの地理的位置に基づいて、前記複数のアクセス・ポイントから選択されること、および、
前記複数のアクセス・ポイントの各アクセス・ポイントが、その地理的位置を、前記複数のアクセス・ポイントのうち残りのアクセス・ポイントとの間で共有すること、
のうち一方または双方である、非一時的コンピュータ可読媒体。
【請求項２０】
請求項１１記載の非一時的コンピュータ可読媒体において、
前記複数のアクセス・ポイントおよび前記複数のエンド・ユーザ・デバイスの間のワイヤレス通信が、第１無線周波数チャネルおよび第１通信プロトコルを使用し、
前記第１アクセス・ポイントおよび前記１つ以上の近隣のアクセス・ポイントの間のワイヤレス通信が、第２無線周波数チャネルおよび第２通信プロトコルを使用する、非一時的コンピュータ可読媒体。
【請求項２１】
複数のアクセス・ポイントを備える移動物体のネットワークが有するアクセス・ポイントのためのシステムであって、
前記複数のアクセス・ポイントの第１アクセス・ポイントが少なくとも１つの無線周波数（ＲＦ）インタフェースに動作可能に結合される１つ以上のプロセッサを備え、
該ＲＦインタフェースが、複数のエンド・ユーザ・デバイスによる相互の、および前記移動物体のネットワークにアクセス可能なリモート・リソースとのワイヤレス・モバイル通信を可能にし、前記１つ以上のプロセッサは、少なくとも、
前記複数のエンド・ユーザ・デバイスとの通信のために前記第１アクセス・ポイントによってサポートされるワイヤレス・ネットワーク・アクセスの領域を表すネットワーク識別子を割り当て、
前記第１アクセス・ポイントの少なくとも１つのＲＦインタフェースを使用して、前記ネットワーク識別子をブロードキャストし、
前記第１エンド・ユーザ・デバイスによる要求を表す信号を、前記少なくとも１つのＲＦインタフェースを使用して前記複数のエンド・ユーザ・デバイスのうち第１エンド・ユーザ・デバイスから受信して、前記第１アクセス・ポイントを介した第１エンド・ユーザ・データの通信を構成するワイヤレス接続を確立し、
前記複数のアクセス・ポイントを介して、また、前記移動物体のネットワークを通じて、前記第１エンド・ユーザ・データの通信を可能にするために、前記第１エンド・ユーザ・デバイスへのネットワーク・アドレスの割り振りを要求し、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高い場合に、引き続き、
前記ネットワーク識別子および前記ネットワーク・アドレスを使用して、前記第１アクセス・ポイントを介して前記第１エンド・ユーザ・デバイスの第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高くない場合には、
前記１つ以上の近隣のアクセス・ポイントのうち特定の１つのアクセス・ポイントを選択し、
前記第１エンド・ユーザ・データの前記第１エンド・ユーザ・デバイスとの通信を開始することを前記特定のアクセス・ポイントに要求する通知を、前記特定のアクセス・ポイントに送信し、
前記第１アクセス・ポイントによって、前記第１エンド・ユーザ・データの前記第１エンド・ユーザ・デバイスとの通信を終了する、
ように動作可能である、システム。
【請求項２２】
請求項２１記載のシステムにおいて、前記複数のアクセス・ポイントが、それぞれの前記アクセス・ポイントに知られた固定の地理的位置にあるアクセス・ポイントと、移動体である車両に備え付けれ、前記それぞれのアクセス・ポイントに知られた現在の地理的位置にあるアクセス・ポイントと、を含む、システム。
【請求項２３】
前記割り当てられたネットワーク識別子が、前記移動物体のネットワーク内の全てのアクセス・ポイントに同一である、請求項２１記載のシステム。
【請求項２４】
前記割り当てられたネットワーク識別子が、前記移動物体のネットワークによってサービス提供される各エンド・ユーザ・デバイスに一意である、請求項２１記載のシステム。
【請求項２５】
請求項２１記載のシステムにおいて、前記ネットワーク識別子が、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含む、システム。
【請求項２６】
請求項２１記載のシステムにおいて、前記第１エンド・ユーザ・データの前記第１エンド・ユーザ・デバイスとの通信を開始することを前記特定のアクセス・ポイントに要求する通知が送信されたときに、前記ネットワーク識別子が前記特定のアクセス・ポイントに転送される、システム。
【請求項２７】
請求項２１記載の方法において、前記ネットワーク・アドレスが、前記移動物体のネットワークにおけるノードによって前記エンド・ユーザ・デバイスに割り当てられたインターネット・プロトコル（ＩＰ）アドレスであり、前記ノードによって前記特定のエンド・ユーザ・デバイスに割り当てられた前記ＩＰアドレスにしたがって特定のエンド・ユーザ・デバイスに向けてエンド・ユーザ・データをルーティングする、システム。
【請求項２８】
請求項２１記載のシステムにおいて、前記１つ以上の近隣のアクセス・ポイントのうち特定の１つのアクセス・ポイントを選択するときに、前記１つ以上のプロセッサが、
前記１つ以上の近隣のアクセス・ポイントで為される前記第１エンド・ユーザ・デバイスのワイヤレス通信の品質についての各測定値を前記第１アクセス・ポイントに提供するための要求を、前記少なくとも１つのＲＦインタフェースを介して前記複数のアクセス・ポイントのうち前記１つ以上の近隣のアクセス・ポイントに送信し、
前記第１エンド・ユーザ・デバイスのワイヤレス通信の品質についての前記測定値を、前記第１アクセス・ポイントにおける前記１つ以上の近隣のアクセス・ポイントから受信し、
前記第１エンド・ユーザ・デバイスのワイヤレス接続についての受信した品質の測定値に基づいて、前記１つ以上の近隣のアクセス・ポイントのうち前記特定の１つのアクセス・ポイントを選択する、システム。
【請求項２９】
請求項２１記載のシステムにおいて、前記１つ以上の近隣のアクセス・ポイントが、
前記第１アクセス・ポイントの地理的位置に基づいて、前記複数のアクセス・ポイントから選択されること、および、
前記複数のアクセス・ポイントの各アクセス・ポイントが、その地理的位置を、前記複数のアクセス・ポイントのうち残りのアクセス・ポイントとの間で共有すること、
のうち一方または双方である、システム。
【請求項３０】
請求項２１記載のシステムにおいて、前記複数のアクセス・ポイントおよび前記複数のエンド・ユーザ・デバイスの間のワイヤレス通信が、第１無線周波数チャネルおよび第１通信プロトコルを使用し、前記第１アクセス・ポイントおよび前記１つ以上の近隣のアクセス・ポイントの間のワイヤレス通信が、第２無線周波数チャネルおよび第２通信プロトコルを使用する、システム。
【発明の詳細な説明】
【技術分野】
【０００１】
関連出願に対する相互引用／引用による本願への編入
[0001]  本特許出願は、２０１６年４月２２日に出願され、"Systems and Methods for Managing Mobility of Users in a Network of Moving things at the Edge"（エッジにおいて移動物体のネットワーク内のユーザの移動性を管理するためのシステムおよび方法）と題する米国仮特許出願第６２／３２６、２７７号を引用し、それらの優先権を主張し、その権利を主張する。この出願をここで引用したことによって、その内容全体が本願にも含まれるものとする。また、本特許出願は、"Integrated Communication Network for a Network of Moving Things"（移動物体のネットワークのための統合通信ネットワーク）と題し、２０１５年９月２２日に出願された米国仮特許出願第６２／２２１，９９７号、"Systems and Methods for Synchronizing a Network of Moving Things"（移動物体のネットワークを同期させるシステムおよび方法）と題し、２０１５年９月２２に出願された米国仮特許出願第６２／２２２，０１６号、"Systems and Methods for Managing a Network of Moving Things"（移動物体のネットワークを管理するシステムおよび方法）と題し、２０１５年９月２２日に出願された米国仮特許出願第６２／２２２，０４２号、"Systems and Methods for Monitoring a Network of Moving Things"（移動物体のネットワークを監視するシステムおよび方法）と題し、２０１５年９月２２に出願された米国仮特許出願第６２／２２２，０６６号、"Systems and Methods for Detecting and Classifying Anomalies in a Network of Moving Things"（移動物体のネットワークにおいて異常を検出し分類するシステムおよび方法）と題し、２０１５年９月２２に出願された米国仮特許出願第６２／２２２，０７７号、"Systems and Methods for Managing Mobility in a Network of Moving Things"（移動物体のネットワークにおいて移動性を管理するシステムおよび方法）と題し、２０１５年９月２２に出願された米国仮特許出願第６２／２２２，０９８号、"Systems and Methods for Managing Connectivity a Network of Moving Things"（移動物体のネットワークにおける接続を管理するシステムおよび方法）と題し、２０１５年９月２２に出願された米国仮特許出願第６２／２２２，１２１号、"Systems and Methods for Collecting Sensor Data in a Network of Moving Things"（移動物体のネットワークにおいてセンサ・データを収集するシステムおよび方法）と題し、２０１５年９月２２日に出願された米国仮特許出願第６２／２２２，１３５号、"Systems and Methods for Interfacing with a Network of Moving Things"（移動物体のネットワークとインタフェースするシステムおよび方法）と題し、２０１５年９月２２日に出願された米国仮特許出願第６２／２２２，１４５号、"Systems and Methods for Interfacing with a User of a Network of Moving Things"（移動物体のネットワークのユーザとインタフェースするシステムおよび方法）と題し、２０１５年９月２２日に出願された米国仮特許出願第６２／２２２，１５０号、"Systems and Methods for Data Storage and Processing for a Network of Moving Things"（移動物体のネットワーク用のデータ・ストレージおよび処理システムおよび方法）と題し、２０１５年９月２２日に出願に出願された米国仮特許出願第６２／２２２，１６８号、"Systems and Methods for Vehicle Traffic Management in a Network of Moving Things"（移動物体のネットワークにおける車両交通管理システムおよび方法）と題し、２０１５年９月２２日に出願された米国仮特許出願第６２／２２２，１８３号、"Systems and Methods for Environmental Management in a Network of Moving Things"（移動物体のネットワークにおける環境管理システムおよび方法）と題し、２０１５年９月２２日に出願された米国仮特許出願第６２／２２２，１８６号、"Systems and Methods for Port Management in a Network of Moving Things"（移動物体のネットワークにおけるポート管理システムおよび方法）と題し、２０１５年９月２２日に出願に出願された米国仮特許出願第６２／２２２，１９０号、”Communication Network of Moving Things”（移動物体の通信ネットワーク）と題し、２０１５年９月２２日に出願された米国仮特許出願第６２／２２２，１９２号、"Utilizing Historical Data to Correct GPS Data in a Network of Moving Things"（移動物体のネットワークにおいてＧＰＳデータを補正するための履歴データの利用）と題し、２０１５年１０月２２日に出願された米国仮特許出願第６２／２４４，８２８号、"Using Anchors to Correct GPS Data in a Network of Moving Things"（移動物体のネットワークにおいてＧＰＳデータを補正するためのアンカーの使用）と題し、２０１５年１０月２２日に出願された米国仮特許出願第６２／２４４，９３０号、"Systems and Methods for Inter- Application Communication in a Network of Moving Things"（移動物体のネットワークにおけるアプリケーション間通信システムおよび方法）と題し、２０１５年１０月２６日に出願された米国仮特許出願第６２／２４６，３６８号、"Systems and Methods for Probing and Validating Communication in a Network of Moving Things"（移動物体のネットワークにおいて通信を精査し有効性を確認するシステムおよび方法）と題し、２０１５年１０月２６日に出願された米国仮特許出願第６２／２４６，３７２号、"Adaptive Rate Control for Vehicular Networks"（車両用ネットワークの適応速度制御）と題し、２０１５年１１月４日に出願された米国仮特許出願第６２／２５０，５４４号、"Systems and Methods for Reconfiguring and Adapting Hardware in a Network of Moving Things"（移動物体のネットワークにおいてハードウェアを再構成し適応させるシステムおよび方法）と題し、２０１５年１２月３１日に出願された米国仮特許出願第６２／２７３，８７８号、"Systems and Methods for Optimizing Data Gathering in a Network of Moving Things"（移動物体のネットワークにおいてデータ収集を最適化するシステムおよび方法）と題し、２０１５年１１月１０日に出願された米国仮特許出願第６２／２５３，２４９号、"Systems and Methods for Delay Tolerant Networking in a Network of Moving Things"（移動物体のネットワークにおける遅延耐性ネットワーキング・システムおよび方法）と題し、２０１５年１１月１９日に出願された米国仮特許出願第６２／２５７，４２１号、"Systems and Methods for Improving Coverage and Throughput of Mobile Access Points in a Network of Moving Things"（移動物体のネットワークにおいて移動アクセス・ポイントのカバレッジおよびスループットを改善するシステムならびに方法）と題し、２０１５年１２月９日に出願された米国仮特許出願第６２／２６５，２６７号、"Channel Coordination in a Network of Moving Things"（移動物体のネットワークにおけるチャネル調整）と題し、２０１５年１２月２２日に出願された米国仮特許出願第６２／２７０，８５８号、"Systems and Methods for Network Coded Mesh Networking in a Network of Moving Things"（移動物体のネットワークにおけるネットワーク・コード化メッシュ・��ットワーキング・システムおよび方法）と題し、２０１５年１１月２０日に出願された米国仮特許出願第６２／２５７，８５４号、"Systems and Methods for Improving Fixed Access Point Coverage in a Network of Moving Things"（移動物体のネットワークにおいて固定アクセス・ポイント・カバレッジを改善するシステムおよび方法）と題し、２０１５年１１月３０日に出願された米国仮特許出願第６２／２６０，７４９号、"Systems and Methods for Managing Mobility Controllers and Their Network Interactions in a Network of Moving Things"（移動物体のネットワークにおいて移動性コントローラおよびそれらのネットワーク相互作用を管理するシステムならびに方法）と題し、２０１５年１２月３１日に出願された米国仮特許出願第６２／２７３，７１５号、"Systems and Methods for Managing and Triggering Handovers of Mobile Access Points in a Network of Moving Things"（移動物体のネットワークにおける移動アクセス・ポイントのハンドオーバを管理およびトリガするシステムならびに方法）と題し、２０１６年１月２１に出願された米国仮特許出願第６２／２８１，４３２号、"Captive Portal-related Control and Management in a Network of Moving Things"（移動物体のネットワークにおけるキャプティブ・ポータル関連制御および管理）と題し、２０１５年１２月１６日に出願された米国仮特許出願第６２／２６８，１８８号、"Systems and Methods to Extrapolate High-Value Data from a Network of Moving Things"（移動物体のネットワークからの高価値データを推定するシステムおよび方法）と題し、２０１５年１２月２２日に出願された米国仮特許出願第６２／２７０，６７８号、"Systems and Methods for Remote Software Update and Distribution in a Network of Moving Things"（移動物体のネットワークにおけるリモート・ソフトウェア更新および流通システムならびに方法）と題し、２０１５年１２月３０日に出願された米国仮特許出願第６２／２７２，７５０号、"Systems and Methods for Remote Configuration Update and Distribution in a Network of Moving Things"（移動物体のネットワークにおけるリモート構成更新および流通システムならびに方法）と題し、２０１６年１月１４日に出願された米国仮特許出願第６２／２７８，６６２号、"Systems and Methods for Adapting a Network of Moving Things Based on User Feedback"（ユーザ・フィードバックに基づいて移動物体のネットワークを適応させるシステムおよび方法）と題し、２０１６年１月２２日に出願された米国仮特許出願第６２／２８６，２４３号、"Systems and Methods to Guarantee Data Integrity When Building Data Analytics in a Network of Moving Things"（移動物体のネットワークにおいてデータ分析を構築するときにデータの完全性を保証するシステムおよび方法）と題し、２０１６年１月１４日付けの米国仮特許出願第６２／２７８，７６４号、"Systems and Methods for Self-Initialization and Automated Bootstrapping of Mobile Access Points in a Network of Moving Things"（移動物体のネットワークにおけるモバイル・アクセス・ポイントの自己初期化および自動ブートストラップを行うシステムならびに方法）と題し、２０１６年１月２５日に出願された米国仮特許出願第６２／２８６，５１５号、"Systems and Methods for Power Management in a Network of Moving Things"（移動物体のネットワークにおける電力管理システムおよび方法）と題し、２０１６年２月１６日に出願された米国仮特許出願第６２／２９５，６０２号、"Systems and Methods for Automating and Easing the Installation and Setup of the Infrastructure Supporting a Network of Moving Things"（移動物体のネットワークをサポートするインフラストラクチャの設置および設定を自動化および簡易化するためのシステムおよび方法）と題し、２０１６年２月２４日に出願された米国仮特許出願第６２／２９９，２６９号、並びに"Systems and Methods for Managing Mobility of Users in Network of Moving Things at the Backhaul"（バックホールにおいて移動物体のネットワーク内のユーザの移動性を管理するためのシステムおよび方法）と題し、２０１６年４月２２日に出願された米国仮特許出願第６２／３２６、２６７号に関係
がある。これらの特許出願の各々は、その内容全体があらゆる目的に対して本願にも含まれるものとする。
【発明の概要】
【発明が解決しようとする課題】
【０００２】
背景
[0002]  現在の通信ネットワークは、モバイル・ノードおよび静的ノードを伴う通信環境を適正にサポートすることができない。非限定的な例として、現在の通信ネットワークは、モバイル・ノードおよび静止ノードの双方（例えば、移動物体のインターネット、自律型車両等）の複雑なアレイを含むネットワークを適正にサポートすることができない。従来の方法およびシステムの限界や欠点は、このような手法と、本開示の残り部分において図面を参照しながら明記する本発明の方法およびシステムの幾らかの態様との比較によって、当業者には明らかとなろう。
【図面の簡単な説明】
【０００３】
【図１】図１は、本開示の種々の態様による通信ネットワークのブロック図を示す。
【図２】図２は、本開示の種々の態様による通信ネットワークのブロック図を示す。
【図３】図３は、本開示の種々の態様による都市エリア・ネットワークの図を示す。
【図４】図４は、本開示の種々の態様による通信ネットワークのブロック図を示す。
【図５Ａ】図５Ａは、本開示の種々の態様による通信ネットワークの柔軟性(flexibility)および／または回復力(resiliency)を表す複数のネットワーク構成を示す。
【図５Ｂ】図５Ｂは、本開示の種々の態様による通信ネットワークの柔軟性および／または回復力を表す複数のネットワーク構成を示す。
【図５Ｃ】図５Ｃは、本開示の種々の態様による通信ネットワークの柔軟性および／または回復力を表す複数のネットワーク構成を示す。
【図６】図６は、本開示の種々の態様による例示の通信ネットワークのブロック図を示す。
【図７】図７は、本開示の種々の態様により、例示のネットワーク・コントローラ（ＮＣ）の機能的エレメントを例示するブロック図である。
【図８】図８は、本開示の種々の態様により、例示のモバイル・アクセス・ポイント（ＭＡＰ）の機能的エレメントを例示するブロック図である。
【図９】図９は、本開示の種々の態様により、共有の単一ＳＳＩＤをブロードキャストするが、モバイル・アクセス・ポイントＭＡＰ１およびＭＡＰ２の各々を個別に特定するのに別個のＢＳＳＩＤを使用するＭＡＰ１およびＭＡＰ２を有するワイヤレス・ネットワークにおけるエンド・ユーザ・デバイスのハンドオーバを例示する。
【図１０】図１０は、本開示の種々の態様により、共有のＳＳＩＤと、２つのモバイル・アクセス・ポイントＭＡＰ１およびＭＡＰ２の各々を特定するのに使用される共有のＢＳＳＩＤとを使用した、ワイヤレス・ネットワークにおけるエンド・ユーザ・デバイスのハンドオーバを例示する。
【図１１】図１１は、本開示の種々の態様により、ＭＡＰ１およびエンド・ユーザ・デバイスの間の第１ワイヤレス接続（例えば、Ｗｉ−Ｆｉリンク）が満足なものではない品質のレベルにまで低下していることをＭＡＰ１が判定するネットワークを例示する。
【図１２】図１２は、本開示の種々の態様により、ワイヤレス・カバレッジ・エリアのエンド・ユーザ・デバイス１２３０についての特定の報告済みの受信信号品質を有するＭＡＰ２が、エンド・ユーザ・デバイスにワイヤレス接続を提供するのに最良のＡＰであるということを、ＭＡＰ１が判定している例示のネットワークについての例示である。
【図１３】図１３は、本開示の種々の態様により、ワイヤレス・カバレッジ・エリアのエンド・ユーザ・デバイスについての特定の報告済みの受信信号品質を有するＭＡＰ２が、エンド・ユーザ・デバイスにワイヤレス接続を提供するのに最良のＡＰであるということをＭＡＰ１が判定している例示のネットワークについての例示である。
【図１４】図１４は、本開示の種々の態様により、共有のＳＳＩＤおよびエンド・ユーザ・デバイスごとのＢＳＳＩＤを採用する３つのアクセス・ポイントＭＡＰ１、ＭＡＰ２およびＭＡＰ３を有する例示のネットワークについての例示である。
【図１５】図１５は、本開示の種々の態様により、２つのアクセス・ポイントＭＡＰ１およびＭＡＰ２のそれぞれのカバレッジ・エリア内に位置するエンド・ユーザ・デバイスについての例示である。
【図１６Ａ】図１６Ａは、本開示の種々の態様により、アクセス・ポイントを動作させる例示の方法について例示する。
【図１６Ｂ】図１６Ｂは、本開示の種々の態様により、アクセス・ポイントを動作させる例示の方法について例示する。
【発明を実施するための形態】
【０００４】
概要
[0019]  本開示の種々の態様は、モバイルおよび／または静的なノードのネットワークをサポートする通信ネットワーク・アーキテクチャ、システム、および方法を提供する。非限定的な例として、本開示の種々の態様は、静的および移動通信ノードの両方の複雑なアレイを備えた動的に構成可能な通信ネットワーク（例えば、移動物体のインターネット、匿名の車両ネットワーク等）をサポートするための通信ネットワーク・アーキテクチャ、システム、および方法を提供する。例えば、本開示の種々の態様により実装される通信ネットワークは、種々の固定ノード、モバイル・ノード、および／またはその組み合わせを備える複数のモダリティの内１つで動作する。複数のモダリティは、如何なる多様なシステム目標を達成するのに選択可能である。このような移動物体のネットワークは、エンド・ユーザの移動性についての管理をサポートする。
【０００５】
[0020]  本明細書において利用する場合、「回路」(circuits)および「回路」(circuitry)という用語は、物理的な電子コンポーネント（即ち、ハードウェア）、ならびにこのハードウェアを構成することができ、このハードウェアによって実行することができ、および／またはこのハードウェアとそれ以外で関連付けることができる、あらゆるソフトウェアおよび／またはファームウェア（「コード」）を指す。本明細書において使用する場合、例えば、特定のプロセッサおよびメモリ（例えば、揮発性または不揮発性メモリ・デバイス、一般的なコンピュータ読み取り可能媒体等）は、１つ以上の第１コード・ライン(lines of code)を実行するときに第１「回路」を構成する(comprise)ことができ、１つ以上の第２コード・ラインを実行するときに第２「回路」を構成することができる。加えて、回路はアナログおよび／またはディジタル回路を含むことができる。このような回路(circuitry)は、例えば、アナログおよび／またはディジタル信号に対して動作することができる。尚、回路は１つのデバイスまたはチップ内にあってもよく、１つのマザーボード上にあってもよく、１つのシャーシ内にあってもよく、１箇所の地理的位置における複数のエンクロージャ内にあってもよく、複数の地理的位置にまたがって分散された複数のエンクロージャ内にあってもよい等ということは理解されてしかるべきである。同様に、「モジュール」という用語は、例えば、物理的な電子的コンポーネント（即ち、ハードウェア）、ならびにこのハードウェアを構成することができ、このハードウェアによって実行することができ、および／またはこのハードウェアとそれ以外で関連付けることができる、あらゆるソフトウェアおよび／またはファームウェア（「コード」）を指す。
【０００６】
[0021]  本明細書において利用する場合、回路(circuitry)は、この回路が機能を実行するために必要なハードウェアおよびコードを含むときはいつでも（いずれかが必要な場合）、その機能の実行がディスエーブルされているか否か、即ち、イネーブルされていないか否か（例えば、ユーザが変更可能な設定、工場の設定、またはトリミング(trim)等によって）には関係なく、その機能を実行するように「動作可能」である。
【０００７】
[0022]  本明細書において利用する場合、「および／または」とは、「および／または」によって繋げられた一覧における項目の内任意の１つ以上を意味する。一例として、「ｘおよび／またはｙ」は、３つのエレメント集合｛（ｘ）、（ｙ）、（ｘ、ｙ）｝の内の任意のエレメントを意味する。即ち、「ｘおよび／またはｙ」は、「ｘおよびｙの一方または双方」を意味する。別の例として、「ｘ、ｙ、および／またはｚ」は、７つのエレメント集合｛（ｘ）、（ｙ）、（ｚ）、（ｘ、ｙ）、（ｘ、ｚ）、（ｙ、ｚ）、（ｘ、ｙ、ｚ）｝の内の任意のエレメントを意味する。即ち、「ｘ、ｙ、および／またはｘ」は、「ｘ、ｙ、およびｚの内１つ以上」を意味する。本明細書で利用する場合、「例えば」(e.g.)、「例えば」(for example)および「例示の」(exemplary)等という用語は、１つ以上の非限定的な例、実例、または例示の一覧を明示する(set off)。
【０００８】
[0023]  本明細書において使用する用語は、特定の例について説明することを目的とするだけであり、本開示を限定する意図はない。本明細書において使用する場合、単数形は、前後関係が明確にそうでないことを示すのでない限り、複数形も同様に含むことを意図している。更に、「備える」(comprises)、「含む」(includes)、「備えている」(comprising)、「含んでいる」(including)、「有する」(has)、「有する」(have)、「有している」(having)等の用語が、本明細書において使用されるとき、述べられた特徴、整数、ステップ、動作、エレメント、および／またはコンポーネントの存在を指定するのであるが、１つ以上の他の特徴、整数、ステップ、動作、エレメント、コンポーネント、および／またはそれらの集合の存在または追加を除外するのではないことは理解されよう。
【０００９】
[0024]  尚、第１、第２等の用語が、種々のエレメントを記述するために本明細書において使用される場合があるが、これらのエレメントはこれらの用語によって限定されないことは理解されよう。これらの用語は、１つのエレメントを他のエレメントと区別するために使用されるに過ぎない。つまり、例えば、以下で論ずる第１エレメント、第１コンポーネント、または第１セクションは、本開示の教示から逸脱することなく、第２エレメント、第２コンポーネント、または第２セクションと呼ぶこともできる。同様に、「上位」(upper)、「下位」(lower)、「側」等のような種々の空間的用語は、相対的な意味で１つのエレメントを他のエレメントから区別するときに使用されることがある。しかしながら、コンポーネントの向きが異なる方法で決められることもあり、例えば、本開示の教示から逸脱することなく、ある電子デバイスが横向きにされて、その「上」面が水平に向き、その「側」面が垂直に向くような場合もあることは、理解されてしかるべきである。
【００１０】
[0025]  移動物体および／または静止物体(static things)（例えば、デバイス、機械、人々等）、ならびにこのような物体を互いに接続させるためのロジスティックス（例えば、スマート・ロジスティックス、輸送、環境検知等のコンテキストにおけるロジスティックス）の普及に伴い、例えば、常にオンであり、ロバストであり、スケーラブルであり、安全が確保され、このような物体（または目的物(object)）に対して、どこでもそしていつでも、接続、サービス、およびインターネット・アクセスを提供することができるプラットフォームが望まれている。このようなシステムの種々のコンポーネント内における効率的な電力利用も望まれている。
【００１１】
[0026]  したがって、本開示の種々の態様は、エネルギ効率的に動作しつつ、どこでもそしていつでも、全ての移動物体および／または静止物体（例えば、デバイス、機械、人々、アクセス・ポイント、エンド・ユーザ・デバイス、センサ等）に対して、接続、サービス、およびインターネット・アクセスを提供し、完全に動作可能であり、常にオンであり、応答性が良く、ロバストであり、スケーラブルであり、安全が確保されたプラットフォーム／システム／アーキテクチャを提供する。
【００１２】
[0027]  本開示の種々の態様は、異なる環境の種々の要件、特徴、および要望に対して柔軟に構成変更可能であり適応可能なプラットフォームを提供する。各環境は、それぞれの移動性レベル、ならびに移動物体および／または静止物体の密度、更にはこれらの物体へのアクセス数および／またはタイプによって特徴付けることができる。種々の環境の特性には、例えば、ノードの高い移動性（例えば、接触または接続を変動させる）、多数の近隣、多数の接続済みモバイル・ユーザ、モバイル・アクセス・ポイント、複数のネットワークおよび技術の利用可能性（例えば、同じエリア内の場合もある）等が含まれる。例えば、プラットフォームの動作モードを、他の環境とは異なることもある、各環境のそれぞれの要件および要望に基づいて、環境毎に柔軟に適応させることができる。加えて、例えば、プラットフォームが特定の環境において提供または処理するコンテンツ、サービス、またはデータに基づいて、例えば、異なる目的毎にプラットフォームを柔軟に（例えば、設計時／設置時、および／またはリアル・タイムにおいて）最適化することができる（例えば、レイテンシを短縮し、スループットを高め、電力消費を低減し、負荷の均衡を取り、信頼性を高め、障害またはその他の外乱に関して一層ロバストにする等のため）。
【００１３】
[0028]  本開示の種々の態様によれば、このプラットフォーム上で、多くの制御および管理サービス（例えば、移動性、セキュリティ、ルーティング等）を提供する（例えば、直接的に、制御オーバーレイを使用して、コンテナを使用して等）。このようなサービスは、現在インターネットまたはその他の通信ネットワーク（１つまたは複数）上でデプロイされているサービスと互換性がある。
【００１４】
[0029]  例えば、使用事例に応じて、全体的または部分的に、例えば、パブリックおよび／またはプライベート・モードで通信ネットワーク（またはプラットフォーム）を動作させることができる。プラットフォームは、例えば、使用事例に応じて（例えば、パブリック・インターネット・アクセス、公共環境検知、車隊運用(fleet operation)等）、パブリックまたはプライベート・モードで動作することができる。
【００１５】
[0030]  加えて、例えば、種々のネットワーク・コンポーネントがモバイルである実施態様では、特定の実施態様の要望に応えるために、輸送および／または信号制御メカニズムを適応させることができる。例えば、無線送信電力および／または速度を適応させることができる（例えば、干渉を軽減するため、電力消費を低減するため、ネットワーク・コンポーネントの寿命を伸ばすため等）。
【００１６】
[0031]  本開示の種々の態様によるプラットフォームの種々の例示の実装態様は、通常利用できる種々の他のサブシステムが利用できない場合であっても、異なるサブシステムに接続することができる。例えば、このプラットフォームは、種々の内蔵冗長性および障害回復メカニズムを含むことができる。例えば、このプラットフォームは、自己回復能力、自己構成能力、自己適応能力等を含むことができる。このプラットフォームのプロトコルおよび機能は、例えば、異なるレベルの移動性および物体（または目的物）の密度、これらの物体へのアクセス数／タイプによって特徴付けられる異なる環境の要件および特徴に対して自律的および円滑に構成し適応させるように準備することができる。例えば、このプラットフォームの種々の態様は、何らかの決断または全ての決断に影響を及ぼす可能性があるコンテキスト・パラメータを収集することができる。このようなパラメータは、例えば、ローカルに導き出すことができ、近隣、固定ＡＰ、クラウド等から収集することができる。また、このプラットフォームの種々の態様は、例えば、あらゆる判断に役立つように履歴情報を求めることができ、このような情報は、履歴データから、調査から、シミュレータから等で導き出すことができる。加えて、例えば、このプラットフォームの種々の形態は、例えば、ネットワークおよび／または判断自体をリアル・タイムで評価するために、ネットワーク全域において判断を精査(probe)または監視することができる。更に、このプラットフォームの種々の態様は、例えば、ネットワークにおいて意志決定を実施することができる（例えば、精査結果を評価した後に）。このプラットフォームの種々の態様は、例えば、常にまたは繰り返し行われるが有意な利点が全く得られないあらゆる判断（例えば、技術変更、証明書変更、ＩＰ変更等）を回避するために、閾値を設定することができる。また、このプラットフォームの種々の態様は、例えば、ローカルに学習し（例えば、行われた判断によって）、動的に判断を更新することができる。
【００１７】
[0032]  障害に対するロバスト性に加えて（または、その代わりに）、プラットフォームは、同じサブシステム内部において別個のサブシステムまたはエレメント間に存在する複数の接続（または経路）を利用して、システムのロバスト性を高める、および／または負荷均衡化を高めることができる。
【００１８】
[0033]  以下の論述では、通信ネットワークの種々のサブシステム例によって実行される機能の例を紹介する。尚、ここで論ずる例示の機能は、特定のサブシステム例によって実行される必要も、１つのサブシステムによって実行される必要もないことは理解されてしかるべきである。例えば、ここで紹介するサブシステムは互いに相互作用することができ、データまたは制御サービスを集中的な方法でデプロイすることができ、または、例えば、各サブシステムのエレメント間における協働を利用するために、異なるサブシステム間でそれらの機能を分散させることができる。
【００１９】
[0034]  本開示の種々の態様は、乗り物（例えば、自動車、バス、トラック、ボート、フォークリフト、人間が操作する車両、自律型およびリモート制御型の車両等）をＷｉ−Ｆｉホットスポットとして利用する通信ネットワークを提供する（例えば、都市規模の車両ネットワーク、積出港(shipping port)の大きさの車両ネットワーク、キャンパス規模のネットワーク等）。尚、本論述全体にわたってＷｉ−Ｆｉが例として全般的に使用されるが、本開示の種々の態様の範囲はそれに限定されるのではないことを注記しておく。例えば、他の無線ＬＡＮ技術、ＰＡＮ技術、ＭＡＮ技術等を利用することもできる。このような利用は、例えば、大量の都市データを収集し、混雑したセルラ・ネットワーク（または他のネットワーク）からのトラフィックの効率的な負荷低減に対応するための価格効率的な方法を提供する。多くの車両がある被制御エリア（例えば、湾港(ports, harbors)等）では、本開示の種々の態様による通信ネットワークは、既存の企業Ｗｉ−Ｆｉネットワークの無線カバレッジを拡大し、例えば、ＳＩＭカードやセルラ（または他のネットワーク）データ・プランを必要とせずに、車両の運転手（例えば、人、コンピュータ制御等）、およびその他の移動する従業員とのリアル・タイム通信に対応することができる。
【００２０】
[0035]  車両は、これらをＷｉ−Ｆｉ（または一般的な無線）ホットスポットとして有用にする、多くの有利な特性を有することができる。例えば、車両は、一般に、少なくとも１つのバッテリを有し、車両は、一般に、道路レベルで都市中に高密度に拡散し、および／または被制御空間において互いと多くの連絡を結ぶことができ、更に、ＥＵ、米国、およびその他の地域においてインテリジェント輸送システムのために確保されている、５．９ＧＨｚ周波数帯域における通常のＷｉ−Ｆｉの１０倍の範囲と通信することができる。尚、本開示の範囲は、このような５．９ＧＨｚ無線通信に限定されるのではないことを注記しておく。更に、車両は、それらのカバレッジ・エリアをときの経過に連れて広い範囲(swath)に効果的に拡大することができ、１つの車両アクセス・ポイントが、ときの経過に連れて、はるかに多いデータ・ソースと相互作用することを可能にする。
【００２１】
[0036]  本開示の種々の態様によれば、手頃な価格のマルチネットワーク・オンボード・ユニット（ＯＢＵ）を紹介する。尚、本明細書では、ＯＢＵをモバイル・アクセス・ポイント、モバイルＡＰ、ＭＡＰ等とも呼ぶこともあることを注記しておく。ＯＢＵは、例えば、複数のネットワーキング・インタフェース（例えば、Ｗｉ−Ｆｉ、８０２．１１ｐ、４Ｇ、Ｂｌｕｅｔｏｏｔｈ（登録商標）、ＵＷＢ等）を含むことができる。例えば、私有車両および／または公有車両（例えば、個々のユーザ用車両、私有車隊の車両、公有車隊の車両等）の中または上に容易にＯＢＵを設置することができる。例えば、輸送用車隊、ごみ管理用車隊、法律施行用車隊、緊急サービス、道路保守用車隊、タクシー車隊、航空機隊等にＯＢＵを設置することができる。例えば、車両、あるいは移動が自由なその他の構造または比較的移動が限られている構造の中または上にＯＢＵを設置することができる。また、例えば、ＯＢＵを人または使役動物によって携行することができる、自転車に装着することができる、移動機械全般に装着することができる、コンテナに装着することができる等が挙げられる。
【００２２】
[0037]  例えば、ＯＢＵは、通過する車両を、１つ以上のネットワーク・プロバイダ、テレコム事業者等の有線インフラストラクチャに接続するように動作することができる。本明細書において論ずるアーキテクチャ、ハードウェア、およびソフトウェア機能にしたがって、車両および車隊を、単にセルラ・ネットワーク（あるいはその他のワイド・エリア・ネットワークまたは都市エリア・ネットワーク等）や、都市または被制御空間全域にわたって拡散された既存のＷｉ−Ｆｉホットスポットに接続することができるだけでなく、他の車両にも接続することができる（例えば、有線インフラストラクチャへのマルチホップ通信、単一またはマルチホップ・ピア・ツー・ピア車両通信等を利用する）。例えば、車両および／または車隊は、通信リンクの全般的なメッシュ(overall mesh)を形成することができ、この全般的なメッシュは、例えば、ＯＢＵや、有線インフラストラクチャ（例えば、ローカル・インフラストラクチャ等）に接続された固定アクセス・ポイント（ＡＰ）も含む。尚、本明細書では、ＯＢＵを「モバイルＡＰ」、「モバイル・ホットスポット」、「ＭＡＰ」等と呼ぶこともあることを注記しておく。また、本明細書では、固定アクセス・ポイントを道路脇ユニット（ＲＳＵ：Road Side Unit)、固定ＡＰ、ＦＡＰ等と呼ぶこともあることも注記しておく。
【００２３】
[0038]  例示の実装態様では、ＯＢＵは、比較的長距離のプロトコル（例えば、８０２．１１ｐ等）を利用して固定ＡＰと通信することができ、一方、固定ＡＰは、有線インフラストラクチャにハード・ワイヤ接続することができる（例えば、ケーブル、繋留光リンク(tethered optical link)等によって）。尚、固定ＡＰは、更にまたは代わりに、無線リンク（例えば、８０２．１１ｐ等）を介してインフラストラクチャに結合するのでもよいことを注記しておく。加えて、クライアントまたはユーザ・デバイスは、１つ以上の比較的短距離のプロトコル（例えば、Ｗｉ−Ｆｉ、Ｂｌｕｅｔｏｏｔｈ、ＵＷＢ等）を使用して、ＯＢＵと通信することができる。例えば、典型的なＷｉ−Ｆｉアクセス・ポイントまたはその他の無線ＬＡＮ／ＰＡＮアクセス・ポイント（例えば、少なくとも、８０２．１１ｐ等に基づくもののようなリンクのための）よりも長い有効無線通信距離を有するＯＢＵは、典型的なＷｉ−Ｆｉまたはその他の無線ＬＡＮ／ＰＡＮアクセス・ポイントよりもかなり広いカバレッジ・エリアが可能であり、つまり、地理的エリア上に広大なカバレッジ(blanket coverage)を提供するために必要なＯＢＵが少なくて済む。
【００２４】
[0039]  例えば、ＯＢＵは、長距離通信プロトコル能力（例えば、８０２．１１ｐ等）を構築する(builds on)ロバストな車両ネットワーキング・モジュール（例えば、接続マネージャ）を含む。例えば、ネットワークにおいて固定ＡＰ、車両、およびその他のノードと通信するための８０２．１１ｐ（またはその他の長距離プロトコル）能力を含むことに加えて、ＯＢＵは、エンド・ユーザ・デバイス、センサ、固定Ｗｉ−Ｆｉアクセス・ポイント等に対する無線ローカル・エリア・ネットワーク（ＷＬＡＮ）接続を提供するためのネットワーク・インタフェース（例えば、８０２．１１ａ／ｂ／ｇ／ｎ、８０２．１１ａｃ、８０２．１１ａｆ、これらの任意の組み合わせ等）を含むことができる。例えば、ＯＢＵは、車両（例えば、バス、列車(train car)、タクシー・キャブ、公有作業車両等）内にいるユーザ、および／または車両の周囲にいるユーザに車内Ｗｉ−Ｆｉインターネット・アクセスを提供するように動作することができる。更に、ＯＢＵは１つ以上の無線バックボーン通信インタフェース（例えば、セルラ・ネットワーク・インタフェース等）も含むことができる。種々の例示のシナリオでは、セルラ・ネットワーク・インタフェース（またはその他の無線バックボーン通信インタフェース）は種々の理由によって（例えば、コスト、電力、帯域幅等）好ましいインタフェースではない場合もあるが、セルラ・ネットワーク・インタフェースは、現在固定ＡＰによってサポートされていない地理的エリアにおいて接続(connectivity)を提供するために利用することができる、フェイルオーバ通信リンクを提供するために利用することができる、緊急用通信に利用することができる、ローカル・インフラストラクチャ・アクセスに加入するために利用することができる等が挙げられる。また、セルラ・ネットワーク・インタフェースは、例えば、セルラ・ネットワーク事業者によって異なる解決策のデプロイ(deployment)を許容するために利用することもできる。
【００２５】
[0040]  ＯＢＵは、本開示の種々の態様によれば、例えば、スマート接続マネージャを含む。スマート接続マネージャは、インターネットにアクセスするための最良の利用可能な無線リンク（１つまたは複数）を選択することができる（例えば、Ｗｉ−Ｆｉ、８０２．１１ｐ、セルラ、車両メッシュ等）。また、ＯＢＵは、例えば、ジオロケーション能力（例えば、グローバル・ナビゲーション衛星システム（ＧＮＳＳ）／グローバル定位システム（ＧＰＳ）等）、車両が移動中か否か判定するための動き検出センサ、および電力制御サブシステム（例えば、ＯＢＵが車両のバッテリを垂れ流ししていないこと等を確認するため）に対応する(provide)ことができる。ＯＢＵは、例えば、本明細書において論ずるセンサ（例えば、環境センサ等）の内任意のものまたは全てを含むことができる。
【００２６】
[0041]  また、ＯＢＵは、例えば、機械間データ取得、ならびにクラウドへおよびクラウドからの転送（例えば、リアル・タイムまたは遅延耐性型）を管理するマネージャも含むことができる。例えば、ＯＢＵは、車両の情報を記録する(log)および／または伝達することができる。
【００２７】
[0042]  ＯＢＵは、例えば、接続および／またはルーティング・マネージャを含むことができる。接続および／またはルーティング・マネージャは、車両間／車両対インフラストラクチャ・マルチホップ通信において通信のルーティングを実行するように動作する。移動性マネージャまたは移動性コントローラ（ＭＣ）、は、例えば、異なる技術（例えば、８０２．１１ｐ、セルラ、Ｗｉ−Ｆｉ、衛星等）間で、異なるＭＣ（例えば、フェイルオーバのシナリオ、負荷再分配のシナリオ等）間で、異なるインタフェース（またはポート）を跨いで等において、通信セッションが１回以上のハンドオフ（本明細書では、「ハンドオーバ」または「複数のハンドオーバ」とも呼ぶ）を通じて（例えば、異なるモバイルＡＰ、固定ＡＰ、基地局、ホットスポット等の間で）永続することを確保することができる。尚、本明細書では、ＭＣをローカル移動性アンカー（ＬＭＡ：Local Mobility Anchor）やネットワーク・コントローラ等と呼ぶこともあることを注記しておく。尚、ＭＣまたは複数のＭＣは、例えば、バックボーンの一部として実装することができるが、それに加えてまたはその代わりに、種々のコンポーネントまたはその組み合わせの内任意のものの一部として実装できることも注記しておく。例えば、ＭＣ固定ＡＰ（またはその分散システム）において、ＯＢＵ（またはその分散システム）の一部として等で実装することができる。システム・コンポーネントおよび／または方法の種々の非限定的な例が、２０１５年９月２２日に出願され、"Systems and Method for Managing Mobility in a Network of Moving Things"（移動物体のネットワークにおいて移動性を管理するシステムおよび方法）と題する米国仮特許出願第６２／２２２，０９８号において提供されている。この出願をここで引用したことにより、この出願の内容全体が本願にも含まれるものとする。尚、複数のＭＣを含む例示の実装態様では、このようなＭＣは、同じ場所に配置されてもよく、および／または地理的に分散されてもよいことを注記しておく。
【００２８】
[0043]  また、本開示の種々の態様は、クラウド・ベースのサービス指向アーキテクチャも提供する。これは、ネットワークおよびクライアントのリアル・タイム管理、監視、および報告、データ格納、処理、および管理に必要な機能、Ｗｉ−Ｆｉクライアント認証、ならびにキャプティブ・ポータル・ディスプレイ(Captive Portal display)等を扱う。
【００２９】
[0044]  本開示の種々の態様による通信ネットワーク（またはそのコンポーネント）は、例えば、広範囲のスマート都市アプリケーション（または、被制御シナリオ、または接続されるシナリオ等）および／または使用事例を、本明細書において説明するように、サポートすることができる。
【００３０】
[0045]  例えば、例示の実装態様では、各車両（例えば、公営および私営タクシー双方、バス、トラック等）をモバイルＡＰ（例えば、モバイルＷｉ−Ｆｉホットスポット）に変換するように動作して、都市内を移動している、バスの停留所で待っている、公園で座っている従業員、通行人、およびモバイル・ユーザ等にインターネット・アクセスを提供することができる。更に、車両および／または車両隊間で形成される車両メッシュ・ネットワークの一例によって、一実施態様は、都市中に拡散され、重要な場所において公営または私営テレコム事業者の有線インフラストラクチャに接続されたモバイルＷｉ−Ｆｉホットスポットおよび／または固定ＡＰ（例えば、８０２．１１ｐ系ＡＰ）を介して、セルラ・トラフィックを負荷低減させる一方で、できるだけ広いカバレッジをできるだけ低いコストで確保するように動作可能にすることもできる。
【００３１】
[0046]  例示の実装態様（例えば、通信ネットワークおよび／またはそのコンポーネントの）は、例えば、無数のソースによって生成された、移動中で、直ぐに使用できるまたはできない大量のデータを（例えば、連続的に）収集する大規模都市スキャナ(massive urban scanner)として動作可能にすることもできる。無数のソースは、車内センサまたは車載診断システム・ポート（例えば、ＯＢＤ２等）、自律型車両運転システムとのインタフェース、都市中に拡散された外部Ｗｉ−Ｆｉ／Ｂｌｕｅｔｏｏｔｈ対応検知ユニットから、車両の運転手および乗員のデバイス（例えば、このようなデバイスおよび／または乗員を特徴付ける情報等）、測位システム・デバイス（例えば、位置情報、速度情報、軌跡情報、走行履歴情報等）等に及ぶ。
【００３２】
[0047]  使用事例に応じて、ＯＢＵは、例えば、車両からデータを送る前に、このデータを処理し（または、計算、変換、操作、集計、合計等）、例えば、個々のアプリケーション毎に適した粒度（例えば、値分解能）およびサンプリング・レート（例えば、時間分解能）を付与することができる。例えば、ＯＢＵは、例えば、システムによって有利と見なされる任意の方法で、データを処理することができる。ＯＢＵは、例えば、収集したデータ（例えば、生データ、前処理したデータ、収集したデータに基づいて計算したメトリックの情報等）をクラウドに（例えば、ネットワークの任意の部分に結合された１つ以上のネットワーク接続型サーバに）効率的で信頼性のある方法で送り、自治体都市運営および輸送サービスの効率、環境的影響、および社会的価値を改善することができる。種々の使用事例については本明細書において説明する。
【００３３】
[0048]  公営バスが都市の経路に沿って移動している、および／またはタクシーがその私営輸送サービスを実行しているという例示のシナリオでは、ＯＢＵは大量のリアル・タイム・データを測位システム（例えば、ＧＰＳ等）、加速度計モジュール等から収集することができる。次いで、ＯＢＵは、例えば、このようなデータをクラウドに伝達することができ、これらのデータは、例えば、このような公営または私営バスおよび／またはタクシー運営を支援するために、処理、報告、検討され、例えば、バスおよびタクシーそれぞれの効率的なリモート監視および日程計画(scheduling)を支援することができる。
【００３４】
[0049]  例示の実装態様では、小型カメラ（または他のセンサ）を、公営バスのドア上部に配された小型単一基板コンピュータ（ＳＢＣ）に結合し、バスに乗る人々および降りる人々、および／またはバス路線に沿った停留所における画像シーケンスをキャプチャすることを可能にし、バスを待っている人々の数を推定することができる。このようなデータは、クラウドに送るために、ＯＢＵによって収集することができる。このようなデータによって、公衆輸送システムは、ピーク、過剰に混雑するバス、路線および停留所、利用が少ないバス、路線および停留所等を検出することができ、リアル・タイムで対策を講じる（例えば、乗客の流れが少なくなる場所および時間には燃料コストおよびＣＯ２排気を低減するために、バスの定期運行(periodicity)を減らす）こと、および体系的な輸送問題を検出することが可能になる。
【００３５】
[0050]  ＯＢＵは、例えば、環境センサの異質な集合体を装備された種々のＷｉ−Ｆｉ対応センサ・デバイスの内任意のものと通信するように動作可能にすることができる。このようなセンサは、例えば、ノイズ・センサ（マイクロフォン等）、ガス・センサ（例えば、ＣＯ、ＮＯ２、Ｏ３、揮発性有機化合物（またはＶＯＣ）、ＣＯ２等を検知する）、煙センサ、汚染センサ、天候センサ（例えば、検知温度、湿度、光度、粒子、日射、風速（例えば、風速計）、風向、雨（例えば、雨量計）、光スキャナ、生物計量スキャナ、カメラ、マイクロフォン等）を含むことができる。また、このようなセンサは、ユーザ（例えば、車両の運転手または乗員、通行人等）に関連するセンサ、および／または彼らのプライベート・デバイス（例えば、スマートフォンまたはスマート・ウオッチ、生物計量センサ、ウエアラブル・センサ、埋め込みセンサ等）も含むことができる。このようなセンサは、例えば、車両用オンボード診断（ＯＢＤ）ユニットに付随するセンサおよび／またはシステム、自律型車両運転システム等を含むことができる。このようなセンサは、例えば、測位センサ（例えば、ＧＰＳセンサ、Ｇａｌｉｌｅｏセンサ、ＧＬＯＮＡＳＳセンサ等）を含むことができる。このような測位センサは、車両（例えば、ローカル人間制御型車両、自律型車両、リモート人間制御車両等）の操作システムの一部とすることができる。このようなセンサは、例えば、コンテナ・センサ（例えば、ゴミ箱センサ、出荷コンテナ・センサ、コンテナ環境センサ、コンテナ追跡センサ等）を含むことができる。
【００３６】
[0051]  一旦車両がこのようなセンサ・デバイスの近傍に入ったなら、無線リンクを確立することができるので、車両（またはそのＯＢＵ）はセンサ・デバイスからセンサ・データを収集し、収集したデータをクラウド内にあるデータベースにアップロードすることができる。次いで、しかるべき行動を起こすことができる。廃棄物管理の例示の実装態様では、様々な廃棄物管理（または収集）トラックにＯＢＵを装備することができ、ＯＢＵは、コンテナ上に実装されたセンサと周期的に通信して、廃棄物のレベル、最後の収集からの経過時間等についての情報を収集することができる。次いで、このような情報をクラウド（例えば、インターネットに結合された廃棄物管理アプリケーション等）に車両メッシュ・ネットワークを通じて送り、廃棄物管理トラックの日程計画および／または経路決定を改善することができる。尚、常にモバイルＡＰ（例えば、車載センサ）の範囲内に種々のセンサがあるはずである(may)ことを注記しておく。更に（または代わりに）、センサはモバイルであってもよい（例えば、モバイルＡＰまたは固定ＡＰの近くを通過する他の車両に搭載されたセンサ、ドローンに搭載されたセンサ、歩道に装着されたセンサ等）ことも注記しておく。
【００３７】
[0052]  例示の実装態様では、例えば、多くの車両、機械、および従業員がある被制御空間（例えば、湾港(port, harbor)、空港、工場、農場、鉱山等）において、本開示の種々の態様による通信ネットワークが、例えば、ＳＩＭカードまたはセルラ料金に基づく通信事業者に依存する解決策(Telco-dependent solution)に頼ることなく、企業および／またはローカルＷｉ−Ｆｉネットワークの無線カバレッジを拡大することができる。このような例示のシナリオでは、高価なセルラ・データ・プラン、制限されるデータ・レート、場所によっては貧弱なセルラ・カバレッジを回避することの他に、本開示の種々の態様による通信ネットワークは、信頼性高くそしてリアル・タイムで、大量のデータを収集するおよび／または伝達することもできる。このようなデータは、湾港ロジスティクス、輸送作業等を最適化するために使用することができる。
【００３８】
[0053]  例えば、湾港(port and/or harbor)の実施態様では、車両の位置、速度、燃料消費、およびＣＯ２排出についてのリアル・タイム情報を収集することによって、通信ネットワークは、湾港事業者が船の荷積みプロセスの一斉遂行(coordination)を改善し、湾港のスループットを高めることを可能にする。また、例えば、この通信ネットワークは、運転手の行動、自律型車両およびその制御システムの行動、トラックの位置、並びにエンジンのステータスのリモート監視を可能にし、次いでリアル・タイムの通知をドライバ例えば、人間の運転手および／または自律型車両運転システムに与えることができ（例えば、エンジンを始動させる／停止させる、湾港内部で正しい経路に従う、休憩を取る等のため）、こうして湾港サービスおよび移動(trips)の回数を減らし期間を短縮する。湾港当局者は、例えば、故障したトラックや異常なトラックの循環を素早く検出し、こうして事故を回避し、湾港の効率、セキュリティ、および安全性を高めることができる。加えて、車両は湾港のローカル事業者からＷｉ−Ｆｉアクセス・ポイントに接続すること、ならびにＷｉ−Ｆｉインターネット・アクセスを車両の占有者におよび周囲にいる湾港従業員に提供し、例えば、船員(pilot)が海上にいる間にインターネットを通じて報告を書き上げることによって、時間を節約することが可能になる。
【００３９】
[0054]  図１は、本開示の種々の態様による通信ネットワーク１００のブロック図である。本明細書において論ずる任意または全ての機能は、例示のネットワーク１００の任意または全ての例示のコンポーネントの内によって実行することができる。また、例示のネットワーク１００は、例えば、任意または全ての特性を、本明細書において論ずる他の例示のネットワークおよび／またはネットワーク・コンポーネント２００、３００、４００、５００〜５７０、および６００と共有することができる。
【００４０】
[0055]  例示のネットワーク１００は、例えば、クラウドを含む。クラウドは、例えば、種々のネットワーク・レベルのコンポーネントの内任意のものを含むことができる。クラウドは、例えば、ネットワーク１００のコンポーネントを監視および／または制御する種々のサーバ・システム実行アプリケーションの内任意のものを含むことができる。また、このようなアプリケーションは、例えば、ネットワーク接続された情報ソースの大きなアレイの内任意のものからの情報の収集を管理することができる。情報ソースの多くの例が、本明細書において論じられている。クラウド（またはその一部）をときとしてＡＰＩと呼ぶこともある。例えば、クラウド（またはその一部）は、１つ以上のアプリケーション・プログラミング・インタフェース（ＡＰＩ）を提供することができ、他のデバイスはアプリケーション・プログラミング・インタフェース（ＡＰＩ）を、クラウドと通信／相互作用するために使用することができる。
【００４１】
[0056]  クラウドの例示のコンポーネントは、例えば、種々のマルチクラウド・システムおよびアーキテクチャとの相互動作可能性を管理することができる。他の例示のコンポーネント（例えば、クラウド・サービス・コンポーネント）は、例えば、種々のクラウド・サービス（例えば、キャプティブ・ポータル・サービス、認証、許可、およびアカウンティング（ＡＡＡ）サービス、ＡＰＩゲートウェイ・サービス等）を提供することができる。更に他の例示のコンポーネント（例えば、ＤｅｖＣｅｎｔｅｒコンポーネント）は、例えば、ネットワーク監視および／または管理機能を提供し、ソフトウェア更新の実施等を管理することができる。クラウドの更に他の例示のコンポーネントは、データ格納、データ分析、データ・アクセス等を管理することができる。クラウドの更に別の例示のコンポーネントは、種々の第三者のアプリケーションおよびサービスの内任意のものを含むことができる。
【００４２】
[0057]  クラウドは、例えば、インターネットを通じて（例えば、１つ以上のインターネット・サービス・プロバイダを利用して）、例示のネットワーク１００のバックボーン／コア・インフラストラクチャに結合することができる。インターネットを例として挙げるが、本開示の範囲はそれに限定されるのではないことは理解されてしかるべきである。
【００４３】
[0058]  バックボーン／コアは、例えば、任意の１つ以上の異なる通信インフラストラクチャ・コンポーネントを含むことができる。例えば、１つ以上のプロバイダがバックボーン・ネットワークまたは種々のそのコンポーネントを提供することができる。図１に図示する例示のネットワーク１００に示すように、バックボーン・プロバイダはワイヤライン・アクセス（例えば、ＰＳＴＮ、ファイバ、ケーブル等）を提供することができる。また、例えば、バックボーン・プロバイダは、無線アクセス（例えば、マイクロ波、ＬＴＥ／セルラ、５Ｇ／ＴＶスペクトル等）を提供することもできる。
【００４４】
[0059]  また、バックボーン／コアは、例えば、１つ以上のローカル・インフラストラクチャ・プロバイダも含むことができる。また、バックボーン／コアは、例えば、プライベート・インフラストラクチャ（例えば、ネットワーク１００の実施者(implementer)、所有者等によって運営される）を含むこともできる。バックボーン／コアは、例えば、種々のバックボーン・サービスの内任意のもの（例えば、ＡＡＡ、移動性、監視、アドレッシング、ルーティング、コンテンツ・サービス、ゲートウェイ制御サービス等）を提供することができる。
【００４５】
[0060]  バックボーン／コア・インフラストラクチャは、種々の特性の内任意のものを含むことができ、それらの非限定的な例について本明細書において示す。例えば、バックボーン／コアは、バックボーン・アクセスのための異なる無線技術または有線技術との互換性を有することができる。また、バックボーン／コアは、異なるローカル・プロバイダによって所有されるおよび／またはネットワーク実施者または利害関係者によって所有される公営（例えば、市営、都市、キャンパス等）および／または私営（例えば、湾港(port)、キャンバス等）ネットワーク・インフラストラクチャを処理するように適応可能にすることができる。バックボーン／コアは、例えば、異なる認証、許可、およびアカウンティング（ＡＡＡ）メカニズムを含むこと、および／またはこれとインタフェースすることができる。
【００４６】
[0061]  バックボーン／コア・インフラストラクチャは、例えば、異なる動作モード（例えば、湾港の実施態様におけるＬ２、陸上公衆輸送の実施態様におけるＬ３、ディジタルＩＰネットワーキングの複数の異なるレイヤの内任意の１つ以上、その任意の組み合わせ、その同等物等を利用して）、またはアドレス可能なプールをサポートすることができる。また、バックボーン／コアは、例えば、クラウド・プロバイダ（１つまたは複数）および／またはインターネット・サービス・プロバイダ（１つまたは複数）に対して非依存型であることができる。加えて、例えば、バックボーン／コアは、ネットワーク１００の任意のまたは全てのサブシステム（例えば、モバイルＡＰまたはＯＢＵ（オンボード・ユニット）、固定ＡＰまたはＲＳＵ（道路脇ユニット）、ＭＣ（移動性コントローラ）、ＬＭＡ（ローカル移動性アンカー）、またはネットワーク・コントローラ等）、および／または第三者システムから来る要求に対して非依存型であることができる。
【００４７】
[0062]  バックボーン／コア・インフラストラクチャは、例えば、異なるデータ・ストレージ／処理システム（例えば、ＭｏｎｇｏＤＢ、ＭｙＳｑｌ、Ｒｅｄｉｓ等）を利用する能力、および／またはこれらとインタフェースする能力を備える(comprise)ことができる。更に、バックボーン／コア・インフラストラクチャは、例えば、インフラストラクチャ、サービス、データ等に対して異なるレベルの同時アクセスを提供することができる。
【００４８】
[0063]  また、例示のネットワーク１００は、例えば、固定ホットスポット・アクセス・ネットワークも含むことができる。このような固定ホットスポット・アクセス・ネットワーク２００の種々の特性例を図２に示す。例示のネットワーク２００は、例えば、任意のまたは全ての特性を、本明細書において論ずる他の例示のネットワークおよび／またはネットワーク・コンポーネント１００、３００、４００，５００〜５７０、および６００と共有することができる。
【００４９】
[0064]  例示のネットワーク２００では、固定ＡＰ（例えば、企業固有のＡＰ、公営第三者ＡＰ、私営第三者ＡＰ等）を直接ローカル・インフラストラクチャ・プロバイダおよび／またはワイヤライン／無線バックボーンに接続することができる。また、例えば、例示のネットワーク２００は、無線技術によって、種々のＡＰ間にメッシュを含むこともできる。しかしながら、実施態様によっては、種々の有線技術も利用できることを注記しておく。図示のように、異なる固定ホットスポット・アクセス・ネットワークを同じバックボーン・プロバイダに接続することができるが、異なるそれぞれのバックボーン・プロバイダに接続してもよい。バックボーン・アクセスのために無線技術を利用する例示の実装態様では、このような実施態様は比較的障害に対して耐性を有することができる。例えば、固定ＡＰは、バックホール・インフラストラクチャが故障した場合、バックボーン・ネットワーク（例えば、セルラ、３Ｇ、ＬＴＥ、他のワイドまたは都市エリア・ネットワーク等）への無線通信を利用することができる。また、例えば、このような実施態様は、比較的容易な設置に対応することができる（例えば、事実上どこにでも配することができる、ケーブル電源のない固定ＡＰ）。
【００５０】
[0065]  例示のネットワーク２００では、同じ固定ＡＰが同時に多数の固定ＡＰ、モバイルＡＰ（例えば、車両ＯＢＵ等）、デバイス、ユーザ・デバイス、センサ、物体等にアクセスを付与することができる。例えば、複数のモバイル・ホットスポット・アクセス・ネットワーク（例えば、ＯＢＵベースのネットワーク等）が同じ固定ＡＰを利用することができる。また、例えば、同じ固定ＡＰが複数の同時アクセスを他の１つのユニット（例えば、他の固定ＡＰ、モバイルＡＰ、デバイス等）に付与し、例えば、異なるチャネル、異なるラジオ等を利用することもできる。）
【００５１】
[0066]  尚、複数の固定ＡＰをフォールト・トレラント／障害回復の目的に利用してもよいことを注記しておく。例示の実装態様では、固定ＡＰおよびそのフェイルオーバＡＰが双方共、通常では動作状態にある（例えば、同じスイッチにおいて）のでもよい。また、例えば、１つ以上の固定ＡＰをネットワークにおける種々の場所に、インアクティブ・モードまたは監視モードで配置し、必要とされるときに（例えば、障害に応答して、緊急サービスの必要性に応答して、データ・サージに応答して等）動作状態になるように準備をしておくこともできる。
【００５２】
[0067]  再度図１を参照すると、固定ホットスポット・アクセス・ネットワークの例は、バックボーン・プロバイダ（例えば、１つ以上のバックボーン・プロバイダおよび／またはローカル・インフラストラクチャ・プロバイダ）、モバイル・ホットスポット・アクセス・ネットワーク、１つ以上のエンド・ユーザ・デバイス、および環境への無線通信リンクと共に示されている。また、固定ホットスポット・アクセス・ネットワークの例は、１つ以上のバックボーン・プロバイダ、モバイル・ホットスポット・アクセス・ネットワーク、１つ以上のエンド・ユーザ・デバイス、および環境への有線通信リンクと共に示されている。環境は、種々のデバイスの内任意のものを含むことができる（例えば、車内ネットワーク、デバイス、およびセンサ；自律車両ネットワーク、デバイス、およびセンサ；海上（または船舶）および湾港ネットワーク、デバイス、およびセンサ；一般的な被制御空間ネットワーク、デバイス、およびセンサ；住居用ネットワーク、デバイス、およびセンサ；災害復旧および緊急時ネットワーク、デバイス、およびセンサ；軍事および航空機ネットワーク、デバイス、およびセンサ；スマート都市ネットワーク、デバイス、およびセンサ；イベント（または会場）ネットワーク、デバイス、およびセンサ；水中および地下ネットワーク、デバイス、およびセンサ；農業用ネットワーク、デバイス、およびセンサ；トンネル（自動車道(auto)、地下道、列車等）ネットワーク、デバイス、およびセンサ；駐車場ネットワーク、デバイス、およびセンサ；セキュリティおよび監視ネットワーク、デバイス、およびセンサ；出荷機器およびコンテナ・ネットワーク、デバイス、およびセンサ；環境制御または監視ネットワーク、デバイス、およびセンサ；市営ネットワーク、デバイス、およびセンサ；廃棄物管理ネットワーク、デバイス、センサ；道路保守ネットワーク、デバイス、およびセンサ、ならびに交通管理ネットワーク、デバイス、およびセンサ；広告ネットワーク、デバイス、およびセンサ等）。
【００５３】
[0068]  また、図１の例示のネットワーク１００は、モバイル・ホットスポット・アクセス・ネットワークも含む。このようなモバイル・ホットスポット・アクセス・ネットワーク３００の種々の特性例を図３に示す。尚、種々の固定ネットワーク・コンポーネント（例えば、固定ＡＰ）も図示されていることを注記しておく。例示のネットワーク３００は、例えば、任意のまたは全ての特性を、本明細書において論ずる、他の例示のネットワークおよび／またはネットワーク・コンポーネント１００、２００、４００、５００〜５７０、および６００と共有することができる。
【００５４】
[0069]  例示のネットワーク３００は、多種多様なモバイルＡＰ（またはホットスポット）を含み、これらのモバイルＡＰは、ユーザ・デバイスへのアクセスを付与する、センサ・データ収集に対応する、マルチホップ接続(connectivity)を他のモバイルＡＰに提供する等を行う。例えば、例示のネットワーク３００は、異なる車隊からの車両（例えば、空中、地上、地下、水上（水中）等）を含む。例えば、例示のネットワーク３００は、１つ以上の大量配給／輸送車隊、１つ以上の大量乗客輸送用車隊、私有／公有ユーザ共有車隊、私有車両、都市および市有車隊、保守用車隊、ドローン、船舶（例えば、ボート、船、スピードボート、タグボート、はしけ等）、緊急用車隊（例えば、警察、救急、消防等）等を含む。
【００５５】
[0070]  例示のネットワーク３００は、例えば、同じまたは異なる通信技術を使用する、例えば、直接接続されたおよび／またはメッシュ接続された異なる車隊からの車両を示す。また、例示のネットワーク３００は、異なる固定ＡＰに同時に接続された車隊も示し、これらは異なるそれぞれのローカル・インフラストラクチャ・プロバイダに属しても、属さなくてもよい。フォールト・トレラント・メカニズムとして、例示のネットワーク３００は、例えば、ローカル・ネットワーク・インフラストラクチャが故障した場合またはそれ以外で利用不可能になった場合、車両における長距離無線通信ネットワーク（例えば、セルラ、３Ｇ、４Ｇ、ＬＴＥ等）の利用を含むことができる。同じ車両（例えば、モバイルＡＰまたはＯＢＵ）が、例えば、同じ通信技術（例えば、共有チャネルおよび／またはその異なるそれぞれのチャネル）を使用して、および／または各々毎に異なるそれぞれの通信技術を使用して、複数の車両、デバイス、物体等に同時にアクセスを付与することができる。また、例えば、同じ車両が、例えば、同じ通信技術（例えば、共有チャネルおよび／またはその異なるそれぞれのチャネル、および／または異なる通信技術を使用して）を使用して、他の車両、デバイス、物体等に複数のアクセスを付与することもできる。
【００５６】
[0071]  加えて、複数のネットワーク・エレメントを互いに接続して、フォールト・トレラントまたは障害回復や、スループット向上に対応することができ、あるいは任意のまたは種々のクライアントのネットワーキングの要望に応えることもできる。多くの要望の例を本明細書において示す。例えば、２つのモバイルＡＰ（またはＯＢＵ）を同じ車両に設置すること等も可能である。
【００５７】
[0072]  再度図１を参照すると、モバイル・ホットスポット・アクセス・ネットワークの例は、バックボーン・プロバイダ（例えば、１つ以上のバックボーン・プロバイダおよび／またはローカル・インフラストラクチャ・プロバイダ）への無線通信リンク、固定ホットスポット・アクセス・ネットワークへの無線通信リンク、１つ以上のエンド・ユーザ・デバイスへの無線通信リンク、および環境（例えば、本明細書において論ずるセンサまたはシステムの内任意の１つ以上、任意のその他のデバイスまたは機械等）への無線通信リンクと共に示されている。種々の他のコンポーネントへの有線リンクを有するモバイル・ホットスポット・アクセス・ネットワークは示されていないが、そのような有線リンクが少なくとも一時的に（少なくともときおり）ある場合もある。
【００５８】
[0073]  また、図１の例示のネットワーク１００は、１組のエンド・ユーザ・デバイスも含む。種々のエンド・ユーザ・デバイス例を図４に示す。尚、種々の他のネットワーク・コンポーネント（例えば、固定ホットスポット・アクセス・ネットワーク、モバイル・ホットスポット・アクセス・ネットワーク（１つまたは複数）、バックボーン／コア等）も図示されていることを注記しておく。例示のネットワーク４００は、例えば、任意のまたは全ての特性を、本明細書において論ずる、他の例示のネットワークおよび／またはネットワーク・コンポーネント１００、２００、３００、５００〜５７０、および６００と共有することができる。
【００５９】
[0074]  例示のネットワーク４００は、種々のモバイル・ネットワーク接続型デバイス(mobile networked device)を示す。このようなネットワーク・デバイスは、エンド・ユーザ・デバイス（例えば、スマートフォン、タブレット、スマート・ウオッチ、ラップトップ・コンピュータ、ウェブカム、個人用ゲーミング・デバイス、個人用ナビゲーション・デバイス、個人用メディア・デバイス、個人用カメラ、健康管理デバイス、個人用ロケーション・デバイス、監視パネル、プリンタ等）を含むことができる。また、このようなネットワーク接続型デバイスは、一般的な環境において動作する種々のデバイスの内任意のものを含むことができ、そのようなデバイスは、例えば、特定のユーザと関連付けられていなくてもよい（例えば、本明細書において論ずるセンサ・デバイス、車両センサ、市有センサ(municipal sensor)、車隊センサ、道路センサ、環境センサ、セキュリティ・センサ、トラフィック・センサ、廃棄物センサ、天候センサの内任意のものまたは全て、種々の異なるタイプの市有機器または企業の機器の内任意のもの等）。このようなネットワーク接続型デバイスはいずれも、別個のバックボーン、固定ホットスポット・アクセス・ネットワーク、モバイル・ホットスポット・アクセス・ネットワーク等に、同じまたは異なる有線／無線技術を使用して、柔軟に接続することができる。
【００６０】
[0075]  モバイル・デバイスは、例えば、複数のデバイス／物体に同時アクセスを付与するＡＰとして動作することができ、一方複数のデバイス／物体は、アド・ホック・ネットワークを形成し、別個のバックボーン・ネットワーク、固定ホットスポット、および／またはモバイル・ホットスポット・アクセス・ネットワークに接続されたデバイスを最終的に相互接続することができる。デバイス（例えば、本明細書において論ずるデバイスまたはネットワーク・ノードの内任意のものまたは全て）は、例えば、フォールト・トレラントおよび／または負荷均衡の目的で（例えば、複数のＳＩＭカード等を利用して）、別個のバックボーン、固定ホットスポット、および／またはモバイル・ホットスポット・アクセス・ネットワークにアクセスするために、例えば、冗長技術を有することができる。また、デバイスは、例えば、同じプロバイダまたは異なるそれぞれのプロバイダに属す、別個のバックボーン、固定ホットスポット・アクセス・ネットワーク、および／またはモバイル・ホットスポット・アクセス・ネットワークに同時にアクセスすることができる。加えて、例えば、デバイスは他のデバイス／物体に複数のアクセスを（例えば、異なるチャネル、ラジオ等を通じて）付与することができる。
【００６１】
[0076]  再度図１を参照すると、例示のエンド・ユーザ・デバイスは、バックボーン・プロバイダ（例えば、１つ以上のバックボーン・プロバイダおよび／またはローカル・インフラストラクチャ・プロバイダ）への無線通信リンク、固定ホットスポット・アクセス・ネットワークへの無線通信リンク、モバイル・ホットスポット・アクセス・ネットワークへの無線通信リンク、および環境への無線通信リンクと共に示されている。また、例えば、例示のエンド・ユーザ・デバイスは、バックボーン・プロバイダ、固定ホットスポット・アクセス・ネットワーク、モバイル・ホットスポット・アクセス・ネットワーク、および環境への有線通信リンクと共に示されている。
【００６２】
[0077]  図１に示す例示のネットワーク１００は、実施時に（例えば、異なるユーザ事例毎に）適応可能であり、および／または、例えば、ネットワーク・コンポーネントがサービスに加入および離脱するに連れてリアル・タイムで適応可能である、柔軟なアーキテクチャを有する。図５Ａ〜図５Ｃは、モード（または構成）例を示すことによって、このような柔軟性を例示する。例示のネットワーク５００〜５７０は、例えば、任意のまたは全ての特性を、本明細書において論ずる、他の例示のネットワークおよび／またはネットワーク・コンポーネント１００、２００、３００、４００、および６００と共有することができる。例えば、そして限定ではなく、例示のネットワーク５００〜５７０において示される通信リンク（例えば、有線リンク、無線リンク等）の内任意または全ては、総じて、図１の例示のネットワーク１００において示される、同様に位置する通信リンクと類似する。
【００６３】
[0078]  例えば、本開示の種々の態様は、静止およびモバイル通信ノード双方の複雑なアレイを含む、動的に構成変更可能な通信ネットワーク（例えば、移動物体のインターネット）をサポートするための通信ネットワーク・アーキテクチャ、システム、および方法を提供する。例えば、本開示の種々の態様にしたがって実現される通信ネットワークは、種々の固定ノード、モバイル・ノード、および／またはその組み合わせを含む複数の様式(modalities)の内１つで動作することができ、複数の様式は種々のシステムの目的の内任意のものを達成するために選択可能である（例えば、スループット向上、レイテンシ短縮およびパケット損失低減、システムの利用可能性およびロバスト性向上、余裕のある冗長性(extra redundancy)、応答性向上、データおよび／または制御パケットの送信におけるセキュリティ向上、スマート閾値を組み込むことによる構成変更（例えば、技術の変更、証明書の変更、ＩＰの変更等）の回数削減、アクセスが困難な１つまたは複数のデッド・ゾーンにおける接続(connectivity)の提供、保守および更新／アップグレード等のために機器にアクセスする際のコスト低減）。このような様式の少なくとも一部は、例えば、永続的ではないにしても少なくとも一時的に、位置固定ノードによって全体的に構成することができる。
【００６４】
[0079]  図示を簡単にするために、図１（および本明細書におけるその他の図）のシステムまたは例示のネットワーク１００において示される態様例の多くが図５Ａ〜図５Ｃから省略されているが、存在してもよい。例えば、図１およびその他の図に示すクラウド、インターネット、およびＩＳＰの態様は、図５Ａ〜図５Ｃには明示的に示されていないが、これらの構成例のいずれにおいても存在してもよい（例えば、バックボーン・プロバイダ・ネットワークの一部としてまたはそれに結合されて存在する、ローカル・インフラストラクチャ・プロバイダ・ネットワークの一部としてまたはそれに結合されて存在する等）。
【００６５】
[0080]  例えば、第１モード例５００は、通常実行モード、例えば、本明細書において論ずるコンポーネントの全てが存在するモード（または構成）として紹介されている。例えば、第１モード例５００における通信システムは、バックボーン・プロバイダ・ネットワーク、ローカル・インフラストラクチャ・プロバイダ・ネットワーク、固定ホットスポット・アクセス・ネットワーク、モバイル・ホットスポット・アクセス・ネットワーク、エンド・ユーザ・デバイス、および環境デバイスを含む。
【００６６】
[0081]  図５Ａにおいて、そして図１において更に詳しく示すように、バックボーン・プロバイダ・ネットワークは、１つ以上の有線（または繋留）リンクを介して、第１モード例５００（または構成）において存在する他のエレメントの内任意のものまたは全てに通信可能に結合することができる。例えば、バックボーン・プロバイダ・ネットワークは、ローカル・インフラストラクチャ・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、有線リンクを介して通信可能に結合することができる。尚、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（繋留）リンクを介して、通信可能に結合できることも注記しておく。
【００６７】
[0082]  また、図５Ａにおいて、そして図１において更に詳しく示すように、バックボーン・プロバイダ・ネットワークは、第１モード例５００（または構成）において存在する他のエレメントの内任意のものまたは全てに、１つ以上の無線リンク（例えば、無線周波数（ＲＦ）リンク、非繋留光リンク等）を介して通信可能に結合することができる。例えば、バックボーン・プロバイダ・ネットワークは、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して通信可能に結合することができる。また、種々の構成例において、バックボーン・プロバイダ・ネットワークは、ローカル・インフラストラクチャ・プロバイダ・ネットワークにも１つ以上の無線リンク（または非繋留）リンクを介して通信可能に結合することができる。
【００６８】
[0083]  第１モード例５００（または図５Ａ〜図５Ｃのモード例の内任意のもの）には示されていないが、１つ以上のサーバをバックボーン・プロバイダ・ネットワークおよび／またはローカル・インフラストラクチャ・ネットワークに通信可能に結合することもできる。図１は、インターネットを通じてバックボーン・プロバイダ・ネットワークに通信可能に結合されたクラウド・サーバの一例を示す。
【００６９】
[0084]  更に図５Ａにおいて、そして図１において更に詳しく示すように、ローカル・インフラストラクチャ・プロバイダ・ネットワークを、第１モード例５００（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークをバックボーン・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることを注記しておく。
【００７０】
[0085]  また、明示的には示されていないが、ローカル・インフラストラクチャ・プロバイダ・ネットワークは、第１モード例５００（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク（またはその任意のコンポーネント）、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。尚、図５Ａの第１モード例５００に示されている、ローカル・インフラストラクチャ・プロバイダ・ネットワークと固定ホットスポット・アクセス・ネットワークとの間における通信リンクは、有線および／または無線でもよいことを注記しておく。
【００７１】
[0086]  また、第１モード例５００では、固定ホットスポット・アクセス・ネットワークが、モバイル・ホットスポット・アクセス・ネットワーク、エンド・ユーザ・デバイス、および／または環境デバイスに、１つ以上の無線リンクを介して通信可能に結合されていることも示されている。このような無線結合の多くの例が、本明細書において示されている。加えて、モバイル・ホットスポット・アクセス・ネットワークも、第１モード例５００において、エンド・ユーザ・デバイスおよび／または環境デバイスに、１つ以上の無線リンクを介して通信可能に結合されていることも示されている。このような無線結合の多くの例が、本明細書において示されている。更に、第１モード例５００では、エンド・ユーザ・デバイスが環境デバイスに１つ以上の無線リンクを介して通信可能に結合されていることも示されている。このような無線結合の多くの例が、本明細書において示されている。尚、種々の例示の実装態様において、このような無線リンクの内任意のものが、代わりに（または加えて）有線（または繋留）リンクを含んでもよいことを注記しておく。
【００７２】
[0087]  第１モード例５００（例えば、通常モード）では、エンド・ユーザ・デバイスとサーバ（例えば、コンピュータ・システム）との間で、モバイル・ホットスポット・アクセス・ネットワーク、固定ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。本明細書において紹介する種々のモード例に見られるように、このような伝達は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、固定ホットスポット・アクセス・ネットワーク、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）伝達することができる。また、例えば、エンド・ユーザ・デバイスとサーバとの間で伝達される情報は、バックボーン・プロバイダ・ネットワークを通じて（例えば、モバイル・ホットスポット・アクセス・ネットワーク、固定ホットスポット・アクセス・ネットワーク、および／またはローカル・インフラストラクチャ・プロバイダ・ネットワークを飛ばして）伝達することもできる。
【００７３】
[0088]  同様に、第１モード例５００（例えば、通常モード）では、環境デバイスとサーバとの間において、モバイル・ホットスポット・アクセス・ネットワーク、固定ホットスポット・アクセス・ネットワーク、ローカル・インフラストラクチャ・プロバイダ・ネットワーク、および／またはバックボーン・プロバイダ・ネットワークを通じて情報（またはデータ）を伝達することができる。また、例えば、環境デバイスは、エンド・ユーザ・デバイスと、またはエンド・ユーザ・デバイスを介して通信することもできる（例えば、モバイル・ホットスポット・アクセス・ネットワークの代わりに、またはこれに加えて）。本明細書において紹介する種々のモード例に見られように、このような通信は、環境デバイスとサーバ（例えば、ローカル・インフラストラクチャ・プロバイダ・ネットワークおよび／またはバックボーン・プロバイダ・ネットワークに通信可能に結合されている）との間で、 種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【００７４】
[0089]  例えば、環境デバイスとサーバとの間で伝達される情報は、固定ホットスポット・アクセス・ネットワーク、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）伝達することができる。また、例えば、環境デバイスとサーバとの間で伝達される情報は、バックボーン・プロバイダ・ネットワークを通じて（例えば、モバイル・ホットスポット・アクセス・ネットワーク、固定ホットスポット・アクセス・ネットワーク、および／またはローカル・インフラストラクチャ・プロバイダ・ネットワークを飛ばして）伝達することもできる。加えて、例えば、環境デバイスとサーバとの間で伝達される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）伝達することもできる。
【００７５】
[0090]  本明細書において論ずるように、ここで紹介する例示のネットワークは、種々の異なるモード（または構成）の内任意のもので動作するように適応的に構成変更可能である。このような適応型構成は、最初の設置時に、および／またはその後の被制御ネットワークの評価時（例えば、本明細書において論ずるネットワーク・コンポーネントの内任意のものまたは全てを追加あるいは除去するとき、ネットワーク容量を拡大または除去するとき、カバレッジ・エリアを追加または除去するとき、サービスを追加または除去するとき等）に行うことができる。また、このような適応型構成は、リアル・タイムで、例えば、ネットワーク条件のリアル・タイムの変更（例えば、車両またはユーザ・デバイスの移動、ネットワークまたはコンポーネントの障害、ネットワークまたはコンポーネントの交換あるいは増強活動、ネットワークの過負荷等に基づいて、ネットワークまたはそのコンポーネントが利用可能な否か）に応答して行うこともできる。通信システムが本開示の種々の態様に従って動作することができる種々のモードの特性を例示するために、以下のモード例を紹介する。全体的に、第１モード例５００（例えば、通常実行モード）に関係付けて以下の例を論ずる。尚、このような例示のモードは、単なる例示であり限定でないことを注記しておく。
【００７６】
[0091]  第２モード例（または構成）５１０（例えば、バックボーン利用不可モード）は、例えば、任意のまたは全ての特性を第１モード例５００と共有することができるが、バックボーン・プロバイダ・ネットワークおよびそれとの通信リンクがない。例えば、第２モード例５１０における通信システムは、ローカル・インフラストラクチャ・プロバイダ・ネットワーク、固定ホットスポット・アクセス・ネットワーク、モバイル・ホットスポット・アクセス・ネットワーク、エンド・ユーザ・デバイス、および環境デバイスを含む。
【００７７】
[0092]  図５Ａにおいて、そして図１において更に詳しく示すように、ローカル・インフラストラクチャ・プロバイダ・ネットワークは、第２モード例５１０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００７８】
[0093]  また、明示的には示されていないが、ローカル・インフラストラクチャ・プロバイダ・ネットワークは、第２モード例５１０（または構成）において存在する他のエレメントの内任意のものまたは全てに、１つ以上の無線リンク（例えば、ＲＦリンク、非繋留光リンク等）を介して通信可能に結合することができる。例えば、ローカル・インフラストラクチャ・プロバイダ・ネットワークは、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して通信可能に結合することができる。尚、図５Ａの第２モード例５１０において、ローカル・インフラストラクチャ・プロバイダ・ネットワークと固定ホットスポット・アクセス・ネットワーク間に示されている通信リンク（１つまたは複数）は有線および／または無線でもよいことを注記しておく。
【００７９】
[0094]  また、第２モード例５１０では、固定ホットスポット・アクセス・ネットワークが、モバイル・ホットスポット・アクセス・ネットワーク、エンド・ユーザ・デバイス、および／または環境デバイスに、１つ以上の無線リンクを介して、通信可能に結合されていることも示されている。このような無線結合の多くの例が本明細書では示されている。加えて、第２モード例５１０では、モバイル・ホットスポット・アクセス・ネットワークが、更に、エンド・ユーザ・デバイスおよび／または環境デバイスに１つ以上の無線リンクを介して通信可能に結合されていることも示されている。このような無線結合の多くの例が本明細書では示されている。更に、第２モード例５１０では、エンド・ユーザ・デバイスが環境デバイスに１つ以上の無線リンクを介して通信可能に結合されていることも示されている。このような無線結合の多くの例が、本明細書において示されている。尚、種々の例示の実装態様において、このような無線リンクの内任意のものが、代わりに（または加えて）、有線（または繋留）リンクを含んでもよいことを注記しておく。
【００８０】
[0095]  第２モード例５１０（例えば、バックボーン利用不可モード）では、エンド・ユーザ・デバイスとサーバ（例えば、コンピュータ等）との間において、モバイル・ホットスポット・アクセス・ネットワーク、固定ホットスポット・アクセス・ネットワーク、および／またはローカル・インフラストラクチャ・プロバイダ・ネットワークを通じて、情報（またはデータ）を伝達することができる。本明細書において紹介する種々のモード例において見られるように、このような伝達は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、固定ホットスポット・アクセス・ネットワークおよび／またはローカル・インフラストラクチャ・プロバイダ・ネットワークを通じて（例えば、モバイル・ホットスポット・アクセス・ネットワークを飛ばして）伝達することができる。また、例えば、エンド・ユーザ・デバイスとサーバとの間で伝達される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）伝達することもできる。
【００８１】
[0096]  同様に、第２モード例５１０（例えば、バックボーン利用不可モード）では、環境デバイスとサーバとの間において、モバイル・ホットスポット・アクセス・ネットワーク、固定ホットスポット・アクセス・ネットワーク、および／またはローカル・インフラストラクチャ・プロバイダ・ネットワークを通じて情報（またはデータ）を伝達することができる。また、例えば、環境デバイスがエンド・ユーザ・デバイスと、またはエンド・ユーザ・デバイスを介して通信することもできる（例えば、モバイル・ホットスポット・アクセス・ネットワークの代わりに、またはそれに加えて）。本明細書において紹介する種々のモード例に見られように、このような通信は、環境デバイスとサーバ（例えば、ローカル・インフラストラクチャ・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【００８２】
[0097]  例えば、環境デバイスとサーバとの間において伝達される情報は、固定ホットスポット・アクセス・ネットワークおよび／またはローカル・インフラストラクチャ・プロバイダ・ネットワークを通じて（例えば、モバイル・ホットスポット・アクセス・ネットワークを飛ばして）伝達することができる。また、例えば、環境デバイスとサーバとの間において伝達される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）伝達することもできる。
【００８３】
[0098]  第２モード例５１０は、種々の理由の内任意のもののために利用することができ、その非限定的な例が本明細書において示されている。例えば、セキュリティおよび／またはプライバシーの目的のために、パブリック・クラウド・システムやインターネット全般等への通信アクセスが許可されないように、第２モード例５１０を利用することができる。例えば、全てのネットワーク制御および管理機能が、ローカル・インフラストラクチャ・プロバイダ・ネットワーク（例えば、有線ローカル・ネットワーク等）および／または固定アクセス・ポイント・ネットワーク内にあってもよい。
【００８４】
[0099]  例示の実装態様では、通信システムがローカルの湾港当局(local port authority)によって全面的に所有、運営、および／または制御されるのでもよい。セルラ接続に伴う余分な出費を払う必要がない。例えば、セルラ接続能力（例えば、モバイルＡＰ、固定ＡＰ、エンド・ユーザ・デバイス、環境デバイス等において）を設ける必要がない。また、バックボーン・プロバイダ・ネットワークは通常利用可能であるが、現在は利用可能でないというシナリオにおいて（例えば、サーバ障害のため、通信リンク障害のため、停電のため、一時的なサービスの拒否のため等）、第２モード例５１０を利用できることを注記しておく。
【００８５】
[00100]  第３モード例（または構成）５２０（例えば、ローカル・インフラストラクチャおよび固定ホットスポット利用不可モード）は、例えば、任意のまたは全ての特性を第１モード例５００と共有することができるが、ローカル・インフラストラクチャ・プロバイダ・ネットワーク、固定ホットスポット・アクセス・ネットワーク、およびこれらとの通信リンクがない。例えば、第３モード例５２０における通信システムは、バックボーン・プロバイダ・ネットワーク、モバイル・ホットスポット・アクセス・ネットワーク、エンド・ユーザ・デバイス、および環境デバイスを含む。
【００８６】
[00101]  図５Ａにおいて、そして図１において更に詳しく示すように、バックボーン・プロバイダ・ネットワークは、第３モード例５２０（または構成）において存在する他のエレメントの内任意のものまたは全てに、１つ以上の有線（または繋留）リンクを介して、通信可能に結合することができる。例えば、バックボーン・プロバイダ・ネットワークは、エンド・ユーザ・デバイスおよび／または環境デバイスに、１つ以上の有線リンクを介して、通信可能に結合することができる。尚、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００８７】
[00102]  また、図５Ａにおいて、そして図１において更に詳しく示すように、バックボーン・プロバイダ・ネットワークは、第３モード例５２０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。
【００８８】
[00103]  更に、第３モード例５２０では、モバイル・ホットスポット・アクセス・ネットワークが、エンド・ユーザ・デバイスおよび／または環境デバイスに、１つ以上の無線リンクを介して通信可能に結合されていることも示されている。このような無線結合の多くの例が、本明細書において示されている。更に、第３モード例５２０では、エンド・ユーザ・デバイスが環境デバイスに１つ以上の無線リンクを介して通信可能に結合されていることも示されている。このような無線結合の多くの例が、本明細書において示されている。尚、種々の例示の実装態様において、このような無線リンクの内任意のものが、代わりに（または加えて）、有線（または繋留）リンクを含んでもよいことを注記しておく。
【００８９】
[00104]  第３モード例５２０（例えば、ローカル・インフラストラクチャおよび固定ホットスポット利用不可モード）では、エンド・ユーザ・デバイスとサーバ（例えば、コンピュータ等）との間において、モバイル・ホットスポット・アクセス・ネットワークおよび／またはバックボーン・プロバイダ・ネットワークを通じて、情報（またはデータ）を伝達することができる。本明細書において紹介する種々のモード例において見られるように、このような伝達は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、バックボーン・プロバイダ・ネットワークを通じて（例えば、モバイル・ホットスポット・アクセス・ネットワークを飛ばして）伝達することができる。
【００９０】
[00105]  同様に、第３動作モード５２０（例えば、ローカル・インフラストラクチャおよび固定ホットスポット利用不可モード）では、環境デバイスとサーバとの間で、モバイル・ホットスポット・アクセス・ネットワークおよび／またはバックボーン・プロバイダ・ネットワークを通じて情報（またはデータ）を伝達することができる。また、例えば、環境デバイスは、エンド・ユーザ・デバイスと、またはエンド・ユーザ・デバイスを介して通信することができる（例えば、モバイル・ホットスポット・アクセス・ネットワークの代わりに、またはそれに加えて）。本明細書において紹介する種々のモード例において見られるように、このような通信は、環境デバイスとサーバ（例えば、バックボーン・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、環境デバイスとサーバとの間で伝達される情報は、バックボーン・プロバイダ・ネットワークを通じて（例えば、モバイル・ホットスポット・アクセス・ネットワークを飛ばして）伝達することができる。
【００９１】
[00106]  第３モード例５２０では、全ての制御／管理機能を、例えば、クラウド内に実装することができる。例えば、モバイル・ホットスポット・アクセス・ネットワークは、固定ホットスポット・アクセス・ネットワークを経由する通信リンクを有していないので、モバイルＡＰはバックボーン・プロバイダ・ネットワーク（またはクラウド）との直接接続（例えば、セルラ接続）を利用することができる。モバイルＡＰがこのような能力を有していない場合、モバイルＡＰは、例えば、それに通信可能に結合されたエンド・ユーザ・デバイスによって付与されるデータ・アクセスを利用することもできる（例えば、エンド・ユーザ・デバイスのデータ・プランを利用する）。
【００９２】
[00107]  第３モード例５２０は、種々の理由の内任意のもののために利用することができ、その非限定的な例をここに示す。例示の実装態様では、第３モード例５２０は、通信システム機器の設置が増えるに連れて大きくなるデプロイ、例えば、他のモード（例えば、第１モード例５００、第４モード例５３０等）に成長するデプロイの早期段階において利用することができる。また、第３モード例５２０は、ローカル・インフラストラクチャ・プロバイダ・ネットワークおよび固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、利用できることも注記しておく。
【００９３】
[00108]  第４モード例（または構成）５３０（例えば、固定ホットスポット利用不可モード）は、例えば、任意のまたは全ての特性を第１モード例５００と共有することができるが、固定ホットスポット・アクセス・ネットワークおよびそれとの通信リンクがない。例えば、第４モード例５３０における通信システムは、バックボーン・プロバイダ・ネットワーク、ローカル・インフラストラクチャ・プロバイダ・ネットワーク、モバイル・ホットスポット・アクセス・ネットワーク、エンド・ユーザ・デバイス、および環境デバイスを含む。
【００９４】
[00109]  図５Ｂにおいて、そして図１において更に詳しく示すように、バックボーン・プロバイダ・ネットワークは、第４モード例５３０（または構成）において存在する他のエレメントの内任意のものまたは全てに、１つ以上の有線（または繋留）リンクを介して、通信可能に結合することができる。例えば、バックボーン・プロバイダ・ネットワークは、ローカル・インフラストラクチャ・プロバイダ・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００９５】
[001110]  また図５Ｂにおいて、そして図１において更に詳しく示すように、バックボーン・プロバイダ・ネットワークは、第４モード例５３０（または構成）において存在する他のエレメントの内任意のものまたは全てに、１つ以上の無線リンク（例えば、ＲＦリンク、非繋留光リンク等）を介して、通信可能に結合することもできる。例えば、バックボーン・プロバイダ・ネットワークは、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。また、種々の構成例において、バックボーン・プロバイダ・ネットワークは、ローカル・インフラストラクチャ・プロバイダ・ネットワークにも、１つ以上の無線（または非繋留）リンクを介して、注記しておく。
【００９６】
[00111]  加えて、図５Ｂにおいて、そして図１において更に詳しく示すように、ローカル・インフラストラクチャ・プロバイダ・ネットワークは、第４モード例５３０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、バックボーン・プロバイダ・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合することもできることも注記しておく。
【００９７】
[00112]  また、明示的には示されていないが、ローカル・インフラストラクチャ・プロバイダ・ネットワークは、第４モード例５３０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。
【００９８】
[00113]  モバイル・ホットスポット・アクセス・ネットワークは、更に、第４モード例５３０では、エンド・ユーザ・デバイスおよび／または環境デバイスに、１つ以上の無線リンクを介して通信可能に結合されていることも示されている。このような無線結合の多くの例が、本明細書において示されている。更に、第４モード例５３０では、エンド・ユーザ・デバイスが環境デバイスに１つ以上の無線リンクを介して通信可能に結合されていることも示されている。このような無線結合の多くの例が、本明細書において示されている。
【００９９】
[00114]  第４モード例５３０（例えば、固定ホットスポット除外モード）では、エンド・ユーザ・デバイスとサーバとの間において、モバイル・ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。本明細書において紹介する種々のモード例において見られるように、このような伝達は、エンド・ユーザ・デバイスとサーバとの間において、 種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間で伝達される情報は、ローカル・インフラストラクチャ・プロバイダ・ネットワークおよび／またはバックボーン・プロバイダ・ネットワークを通じて（例えば、モバイル・ホットスポット・アクセス・ネットワークを飛ばして）伝達することができる。また、例えば、エンド・ユーザ・デバイスとサーバとの間で伝達される情報は、バックボーン・プロバイダ・ネットワークを通じて（例えば、モバイル・ホットスポット・アクセス・ネットワークおよび／またはローカル・インフラストラクチャ・プロバイダ・ネットワークを飛ばして）伝達することもできる。
【０１００】
[00115]  同様に、第４モード例５３０（例えば、固定ホットスポット利用不可モード）では、環境デバイスとサーバとの間において、モバイル・ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。また、例えば、環境デバイスは、エンド・ユーザ・デバイスと、またはこれを介して（例えば、モバイル・ホットスポット・アクセス・ネットワークの代わりに、またはこれに加えて）通信することもできる。本明細書において紹介する種々のモード例において見られるように、このような伝達は、環境デバイスとサーバ（例えば、ローカル・インフラストラクチャ・プロバイダ・ネットワークおよび／またはバックボーン・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【０１０１】
[00116]  例えば、環境デバイスとサーバとの間で伝達される情報は、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）伝達することができる。また、例えば、環境デバイスとサーバとの間で伝達される情報は、バックボーン・プロバイダ・ネットワークを通じて（例えば、モバイル・ホットスポット・アクセス・ネットワークおよび／またはローカル・インフラストラクチャ・プロバイダ・ネットワークを飛ばして）伝達することもできる。加えて、例えば、環境デバイスとサーバとの間で伝達される情報は、ローカル・インフラストラクチャ・プロバイダ・ネットワークを通じて（例えば、モバイル・ホットスポット・アクセス・ネットワークおよび／またはバックボーン・プロバイダ・ネットワークを飛ばして）伝達することもできる。
【０１０２】
[00117]  第４モード例５３０における例示の実装態様では、制御／管理機能の一部を、例えば、ローカル・バックボーン・プロバイダ・ネットワーク内（例えば、クライアント構内）に実装することもできる。例えば、ローカル・インフラストラクチャ・プロバイダへの通信は、バックボーン・プロバイダ・ネットワーク（またはクラウド）を通じて実行することができる。尚、ローカル・インフラストラクチャ・プロバイダ・ネットワークとモバイル・ホットスポット・アクセス・ネットワークとの間に直接通信経路があるシナリオでは、このような通信経路を利用できることを注記しておく。
【０１０３】
[00118]  例えば、モバイル・ホットスポット・アクセス・ネットワークは、固定ホットスポット・アクセス・ネットワークを経由する通信リンクを有していないので、モバイルＡＰはバックボーン・プロバイダ・ネットワーク（またはクラウド）との直接接続（例えば、セルラ接続）を利用することができる。モバイルＡＰがこのような能力を有していない場合、モバイルＡＰは、例えば、それに通信可能に結合されたエンド・ユーザ・デバイスによって付与されるデータ・アクセスを利用することもできる（例えば、エンド・ユーザ・デバイスのデータ・プランを利用する）。
【０１０４】
[00119]  第４モード例５３０は、種々の理由の内任意のもののために利用することができ、その非限定的な例をここに示す。例示の実装態様では、第４モード例５３０は、通信システム機器の設置が増えるに連れて大きくなるデプロイ、例えば、他のモード（例えば、第１モード例５００等）に成長するデプロイの早期段階において利用することができる。第４モード例５３０は、例えば、固定ＡＰにファイバ（またはその他の）接続が利用できないというシナリオ（例えば、海上におけるシナリオ、農園におけるシナリオ等）、または固定ＡＰにアクセスまたは接続することが難しいというシナリオにおいて利用することができる。例えば、モバイル・ホットスポット・アクセス・ネットワークの１つ以上のモバイルＡＰを、クラウドに到達するためのゲートウェイとして使用することができる。また、第４モード例５３０は、例えば、車両隊および／またはそれに関連するモバイルＡＰが第１エンティティによって所有され、固定ＡＰが他のエンティティによって所有され、モバイルＡＰと固定ＡＰとの間の通信について現在同意がないときに利用することもできる。また、第４モード例５３０は、固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、利用できることも注記しておく。
【０１０５】
[00120]  第５モード例（または構成）５４０（例えば、モバイル・ホットスポット利用不可モード）は、例えば、任意のまたは全ての特性を第１モード例５００と共有することができるが、モバイル・ホットスポット・アクセス・ネットワークおよびその通信リンクがない。例えば、第５モード例５４０における通信システムは、バックボーン・プロバイダ・ネットワーク、ローカル・インフラストラクチャ・プロバイダ・ネットワーク、固定ホットスポット・アクセス・ネットワーク、エンド・ユーザ・デバイス、および環境デバイスを含む。
【０１０６】
[00121]  図５Ｂにおいて、そして図１において更に詳しく示すように、バックボーン・プロバイダ・ネットワークは、第５モード例５４０（または構成）において存在する他のエレメントの内任意のものまたは全てに、１つ以上の有線（または繋留）リンクを介して、通信可能に結合することができる。例えば、バックボーン・プロバイダ・ネットワークは、ローカル・インフラストラクチャ・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。
【０１０７】
[00122]  また、図５Ｂにおいて、そして図１において更に詳しく示すように、バックボーン・プロバイダ・ネットワークは、第５モード例５４０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、固定ホットスポット・アクセス・ネットワーク（またはその任意のコンポーネント）、エンド・ユーザ・デバイス、および／または環境デバイスに、１つ以上の無線リンクを介して、通信可能に結合することができる。また、種々の構成例において、バックボーン・プロバイダ・ネットワークは、ローカル・インフラストラクチャ・プロバイダ・ネットワークにも、１つ以上の無線（または非繋留）リンクを介して、通信可能に結合できることも注記しておく。
【０１０８】
[00123]  加えて、図５Ｂにおいて、そして図１において更に詳しく示すように、ローカル・インフラストラクチャ・プロバイダ・ネットワークは、第５モード例５４０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、バックボーン・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。尚、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【０１０９】
[00124]  また、明示的には示されていないが、ローカル・インフラストラクチャ・プロバイダ・ネットワークは、第５モード例５４０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク、固定ホットスポット・アクセス・ネットワーク（またはその任意のコンポーネント）、エンド・ユーザ・デバイス、および／または環境デバイスに、１つ以上の無線リンクを介して、通信可能に結合することができる。尚、図５Ｂの第５モード例５４０において、ローカル・インフラストラクチャ・プロバイダ・ネットワークと固定ホットスポット・アクセス・ネットワークとの間における通信リンク（１つまたは複数）は、有線および／または無線であってもよいことを注記しておく。
【０１１０】
[00125]  また、固定ホットスポット・アクセス・ネットワークは、第５モード例５４０では、エンド・ユーザ・デバイスおよび／または環境デバイスに、１つ以上の無線リンクを介して通信可能に結合されていることも示されている。このような無線結合の多くの例が、本明細書において示されている。更に、第５モード例５４０では、エンド・ユーザ・デバイスが環境デバイスに１つ以上の無線リンクを介して通信可能に結合されていることも示されている。このような無線結合の多くの例が、本明細書において示されている。
【０１１１】
[00126]  第５モード例５４０（例えば、モバイル・ホットスポット利用不可モード）では、エンド・ユーザ・デバイスとサーバとの間において、固定ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。本明細書において紹介する種々のモード例において見られるように、このような伝達は、エンド・ユーザ・デバイスとサーバとの間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間において伝達される情報は、ローカル・インフラストラクチャ・プロバイダ・ネットワーク、および／またはバックボーン・プロバイダ・ネットワークを通じて（例えば、固定ホットスポット・アクセス・ネットワークを飛ばして）伝達することができる。また、例えば、エンド・ユーザ・デバイスとサーバとの間において伝達される情報は、バックボーン・プロバイダ・ネットワークを通じて（例えば、固定ホットスポット・アクセス・ネットワークおよび／またはローカル・インフラストラクチャ・プロバイダ・ネットワークを飛ばして）伝達することもできる。
【０１１２】
[00127]  同様に、第５モード例５４０（例えば、モバイル・ホットスポット利用不可モード）では、環境デバイスとサーバとの間において、固定ホットスポット・アクセス・ネットワーク、ローカル・インフラストラクチャ・プロバイダ・ネットワーク、および／またはバックボーン・プロバイダ・ネットワークを通じて、情報（またはデータ）を伝達することができる。また、例えば、環境デバイスは、エンド・ユーザ・デバイスと、またはこれを介して（例えば、固定ホットスポット・アクセス・ネットワークの代わりに、またはこれに加えて）通信することができる。本明細書において紹介する種々のモード例において見られるように、このような伝達は、環境デバイスとサーバ（例えば、ローカル・インフラストラクチャ・プロバイダ・ネットワークおよび／またはバックボーン・プロバイダ・ネットワークに通信可能に結合されている）との間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。
【０１１３】
[00128]  例えば、環境デバイスとサーバとの間において伝達される情報は、ローカル・インフラストラクチャ・プロバイダ・ネットワークおよび／またはバックボーン・プロバイダ・ネットワークを通じて（例えば、固定ホットスポット・アクセス・ネットワークを飛ばして）伝達することができる。また、例えば、環境デバイスとサーバとの間において伝達される情報は、バックボーン・プロバイダ・ネットワークを通じて（例えば、固定ホットスポット・アクセス・ネットワークおよび／またはローカル・インフラストラクチャ・プロバイダ・ネットワークを飛ばして）伝達することもできる。加えて、例えば、環境デバイスとサーバとの間において伝達される情報は、ローカル・インフラストラクチャ・プロバイダ・ネットワークを通じて（例えば、固定ホットスポット・アクセス・ネットワークおよび／またはバックボーン・プロバイダ・ネットワークを飛ばして）伝達することができる。
【０１１４】
[00129]  第５モード例５４０における例示の実装態様では、エンド・ユーザ・デバイスおよび環境デバイスは固定ＡＰに直接（例えば、イーサネット（登録商標）、Ｗｉ−Ｆｉ等を利用して）通信することができる。また、例えば、エンド・ユーザ・デバイスおよび／または環境デバイスは、バックボーン・プロバイダ・ネットワークと直接（例えば、セルラ接続等を利用して）通信することもできる。
【０１１５】
[00130]  第５モード例５４０は、種々の理由の内任意のもののために利用することができ、その非限定的な例をここに示す。エンド・ユーザ・デバイスおよび／または環境デバイスが固定ＡＰと直接通信することができる例示の実装態様では、このような通信をモバイルＡＰ通信の代わりに利用することができる。例えば、固定ホットスポット・アクセス・ネットワークは、全ての所望のエリアに対してカバレッジを提供することもできる。
【０１１６】
[00131]  また、固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第５モード例５４０を利用できることを注記しておく。
【０１１７】
[00132]  第６モード例（または構成）５５０（例えば、固定／モバイル・ホットスポットおよびローカル・インフラストラクチャ利用不可モード）は、例えば、任意のまたは全ての特性を第１モード例５００と共有することができるが、ローカル・インフラストラクチャ・プロバイダ・ネットワーク、固定ホットスポット・アクセス・ネットワーク、モバイル・ホットスポット・アクセス・ネットワーク、およびこれらとの通信リンクがない。例えば、第６モード例５５０における通信システムは、バックボーン・プロバイダ・ネットワーク、エンド・ユーザ・デバイス、および環境デバイスを含む。
【０１１８】
[00133]  図５Ｂにおいて、そして図１において更に詳しく示すように、バックボーン・プロバイダ・ネットワークは、第６モード例５５０（または構成）において存在する他のエレメントの内任意のものまたは全てに、１つ以上の有線（または繋留）リンクを介して、通信可能に結合することができる。例えば、バックボーン・プロバイダ・ネットワークは、エンド・ユーザ・デバイスおよび／または環境デバイスに、１つ以上の有線リンクを介して、通信可能に結合することができる。尚、このような有線結合は一時的であってもよいことを注記しておく。
【０１１９】
[00134]  また、図５Ｂにおいて、そして図１において更に詳しく示すように、バックボーン・プロバイダ・ネットワークは、第６モード例５５０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、エンド・ユーザ・デバイスおよび／または環境デバイスに１つ以上の無線リンクを介して通信可能に結合することができる。
【０１２０】
[00135]  また、第６モード例５５０では、エンド・ユーザ・デバイスは、１つ以上の無線リンクを介して環境デバイスに通信可能に結合されていることも示されている。このような無線結合の多くの例が、本明細書において示されている。
【０１２１】
[00136]  第６モード例５５０（例えば、固定／モバイル・ホットスポットおよびローカル・インフラストラクチャ利用不可モード）では、エンド・ユーザ・デバイスとサーバとの間において、バックボーン・プロバイダ・ネットワークを通じて情報（またはデータ）を伝達することができる。同様に、第６モード例５５０（例えば、固定／モバイル・ホットスポットおよびローカル・インフラストラクチャ利用不可モード）では、環境デバイスとサーバとの間において、バックボーン・プロバイダ・ネットワークを通じて情報（またはデータ）を伝達することができる。また、例えば、環境デバイスは、エンド・ユーザ・デバイスと、またはこれを介して（例えば、モバイル・ホットスポット・アクセス・ネットワークの代わりに、またはそれに加えて）通信することができる。
【０１２２】
[00137]  第６モード例５５０は、種々の理由の内任意のもののために利用することができ、その非限定的な例をここに示す。例えば、エンド・ユーザが未だ通信システムに加入していないという例示の実装態様では、エンド・ユーザ・デバイスは、クラウド・アプリケーションを介して、そしてバックボーン・プロバイダ・ネットワークと直接通信することによって（例えば、セルラ・リンク等を介して）、システムに加入することができる。また、第６モード例５５０は、例えば、モバイルＡＰの存在がまばらであり、固定ＡＰの設置が困難であるまたは実用的でない等の地方エリアにおいて利用することができる。
【０１２３】
[00138]  また、インフラストラクチャ・プロバイダ・ネットワーク、固定ホットスポット・アクセス・ネットワーク、および／またはモバイル・ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第６モード例５５０を利用できることを注記しておく。
【０１２４】
[00139]  第７モード例（または構成）５６０（例えば、バックボーンおよびモバイル・ホットスポット利用不可モード）は、例えば、任意のまたは全ての特性を第１モード例５００と共有することができるが、バックボーン・プロバイダ・ネットワーク、モバイル・ホットスポット・アクセス・ネットワーク、およびそれらとの通信リンクがない。例えば、第６モード例５６０における通信システムは、ローカル・インフラストラクチャ・プロバイダ・ネットワーク、固定ホットスポット・アクセス・ネットワーク、エンド・ユーザ・デバイス、および環境デバイスを含む。
【０１２５】
[00140]  図５Ｃにおいて、そして図１において更に詳しく示すように、ローカル・インフラストラクチャ・プロバイダ・ネットワークは、第７モード例５６０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の有線リンクを介して、通信可能に結合することができる。このような有線結合は一時的であってもよいことを注記しておく。
【０１２６】
[00141]  また、明示的には示されていないが、ローカル・インフラストラクチャ・プロバイダ・ネットワークは、第７モード例５６０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の無線リンクを介して、通信可能に結合することができる。尚、図５Ｃの第７モード例５６０において示されている、ローカル・インフラストラクチャ・プロバイダ・ネットワークと固定ホットスポット・アクセス・ネットワークとの間の通信リンクは、有線および／または無線でもよいことを注記しておく。
【０１２７】
[00142]  また、第７モード例５６０では、固定ホットスポット・アクセス・ネットワークが、エンド・ユーザ・デバイスおよび／または環境デバイスに、１つ以上の無線リンクを介して、通信可能に結合されていることも示されている。このような無線結合の多くの例が、本明細書において示されている。加えて、第７モード例５６０では、エンド・ユーザ・デバイスが環境デバイスに１つ以上の無線リンクを介して通信可能に結合されていることも示されている。このような無線結合の多くの例が、本明細書において示されている。
【０１２８】
[00143]  第７モード例５６０（例えば、バックボーンおよびモバイル・ホットスポット利用不可モード）では、エンド・ユーザ・デバイスとサーバとの間において、固定ホットスポット・アクセス・ネットワークおよび／またはローカル・インフラストラクチャ・プロバイダ・ネットワークを通じて情報（またはデータ）を伝達することができる。本明細書において紹介する種々のモード例において見られるように、このような伝達は、エンド・ユーザ・デバイスとサーバとの間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、エンド・ユーザ・デバイスとサーバとの間において伝達される情報は、ローカル・インフラストラクチャ・プロバイダ・ネットワークを通じて（例えば、固定ホットスポット・アクセス・ネットワークを飛ばして）伝達することができる。
【０１２９】
[00144]  同様に、第７モード例５６０（例えば、バックボーンおよびモバイル・ホットスポット利用不可モード）では、環境デバイスとサーバとの間において、固定ホットスポット・アクセス・ネットワークおよび／またはローカル・インフラストラクチャ・プロバイダ・ネットワークを通じて、情報（またはデータ）を伝達することができる。また、例えば、環境デバイスは、エンド・ユーザ・デバイスと、またはこれを介して（例えば、モバイル・ホットスポット・アクセス・ネットワークの代わりに、またはこれに加えて）通信することができる。本明細書において紹介する種々のモード例において見られるように、このような通信は、環境デバイスとサーバ（例えば、ローカル・インフラストラクチャ・プロバイダ・ネットワークに通信可能に結合されている）との間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、柔軟に行うことができる。例えば、環境デバイスとサーバとの間において伝達される情報は、ローカル・インフラストラクチャ・プロバイダ・ネットワークを通じて（例えば、固定ホットスポット・アクセス・ネットワークを飛ばして）伝達することができる。
【０１３０】
[00145]  第７モード例５６０は、種々の理由の内任意のもののために利用することができ、その非限定的な例をここに示す。被制御空間の例示の実装態様では、クラウド・アクセスが付与されないかもしれず（例えば、セキュリティの理由、プライバシーの理由等から）、カバレッジ・エリアの全（または十分な）カバレッジが、固定ホットスポット・アクセス・ネットワークによって提供される。つまり、モバイル・ホットスポット・アクセス・ネットワークは不要となる。例えば、エンド・ユーザ・デバイスおよび環境デバイスは、直接固定ＡＰと（例えば、イーサネット、Ｗｉ−Ｆｉ等によって）通信することができる。
【０１３１】
[00146]  また、バックボーン・プロバイダ・ネットワークおよび／または固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第７モード例５６０を利用できることを注記しておく。
【０１３２】
[00147]  第８モード例（または構成）５７０（例えば、バックボーン、固定ホットスポット、およびローカル・インフラストラクチャ利用不可モード）は、例えば、任意のまたは全ての特性を第１モード例５００と共有することができるが、バックボーン・プロバイダ・ネットワーク、ローカル・インフラストラクチャ・プロバイダ・ネットワーク、固定ホットスポット・アクセス・ネットワーク、およびこれらとの通信リンクがない。例えば、第８モード例５７０における通信システムは、モバイル・ホットスポット・アクセス・ネットワーク、エンド・ユーザ・デバイス、および環境デバイスを含む。
【０１３３】
[00148]  図５Ｃにおいて、そして図１において更に詳しく示すように、モバイル・ホットスポット・アクセス・ネットワークは、第８モード例５７０では、エンド・ユーザ・デバイスおよび／または環境デバイスに、１つ以上の無線リンクを介して、通信可能に結合されていることが示されている。このような無線結合の多くの例が、本明細書において示されている。更に、エンド・ユーザ・デバイスは、第８モード例５７０において、環境デバイスに１つ以上の無線リンクを介して通信可能に結合されていることも示されている。このような無線結合の多くの例が、本明細書において示されている。
【０１３４】
[00149]  第８モード例５７０（例えば、バックボーン、固定ホットスポット、およびローカル・インフラストラクチャ利用不可モード）では、エンド・ユーザ・デバイスとサーバ（例えば、バックボーン・プロバイダ・ネットワーク、ローカル・インフラストラクチャ・プロバイダ・ネットワーク等に結合されている）との間において、情報（またはデータ）を（少なくとも現在は）伝達できない場合がある。同様に、環境デバイスとサーバ（例えば、バックボーン・プロバイダ・ネットワーク、ローカル・インフラストラクチャ・プロバイダ・ネットワーク等に結合されている）との間において、情報（またはデータ）を（少なくとも現在は）伝達できない場合がある。尚、環境デバイスは、エンド・ユーザ・デバイスと、またはこれを介して（例えば、モバイル・ホットスポット・アクセス・ネットワークの代わりに、またはこれに加えて）通信できることを注記しておく。
【０１３５】
[00150]  第８モード例５７０は、種々の理由の内任意のもののために利用することができ、その非限定的な例をここに示す。例示の実装態様では、第８モード例５７０は、データを収集するおよび／または供給する(serve)（例えば、遅延耐性ネットワーキングのシナリオにおいて）、モバイル・ホットスポット・アクセス・ネットワークを通じたピア・ツー・ピア通信を提供する（例えば、１つのモバイルＡＰのクライアント間、それぞれ異なるモバイルＡＰのクライアント間等）等のために利用することができる。他の例示のシナリオでは、第８モード例５７０は、車両間通信が車両対インフラストラクチャ通信よりも優先されるというシナリオにおいて利用することができる。更に他の例示のシナリオでは、第８モード例５７０は、全てのインフラストラクチャ・アクセスが失われる（例えば、トンネル、駐車場等において）というシナリオにおいて利用することができる。
【０１３６】
[00151]  また、バックボーン・プロバイダ・ネットワーク、ローカル・インフラストラクチャ・プロバイダ・ネットワーク、および／または固定ホットスポット・アクセス・ネットワークは通常利用可能であるが、現在は利用可能でないというシナリオにおいて（例えば、機器障害のため、通信リンク障害のため、停電のため、一時的なサービスの拒否のため等）、第８モード例５７０を利用できることを注記しておく。
【０１３７】
[00152]  以上で示しそして論じたように、複数の技術による複数のデバイスを使用する異なる環境内において、複数の技術によって複数の移動物体／静止物体に結合され、異なる環境に跨がって無線（メッシュ）ホットスポット・ネットワークを形成し、複数の有線／無線インフラストラクチャ／ネットワーク・バックボーン・プロバイダに接続され、最終的にインターネット、クラウドまたはプライベート・ネットワーク・インフラストラクチャに接続される複数のユーザまたは機械のマルチモード通信を可能にする包括的プラットフォームを有することは有益である。
【０１３８】
[0053]  図６は、本開示の種々の態様によるネットワーク構成例の更に他のブロック図を示す。例示のネットワーク６００は、例えば、本明細書において論じた、他の例示の方法、ネットワークおよび／またはネットワーク・コンポーネント１００、２００、３００、４００、５００〜５７０、７００、８００、９００、１０００、１１００、１２００、１３００、１４００、および１５００と任意のまたは全ての特性を共有することができる。注記すべきこととして、例示のネットワーク６００は、複数のモバイルＡＰ（またはＯＢＵ）を示し、各々固定ＡＰ（またはＲＳＵ）に通信可能に結合され、各モバイルＡＰがネットワーク・アクセスを車両ネットワーク（例えば、他の車両または車両ネットワーク、ユーザ・デバイス、センサ・デバイス等を含む）に付与することができる。
【０１３９】
[00154]  本開示の種々の態様によれば、とりわけ、安定的なＴＣＰ／ＩＰインターネット・アクセスを提供する手法で、例えば、ノードおよびエンド・デバイスの位置にしたがって、車両通信ネットワークを管理するシステムおよび方法が提供される。例えば、エンド・ユーザには、クリーンで安定的なＷｉ−Ｆｉインターネット接続が提供され、エンド・ユーザには、エンド・ユーザの家、ユーザの仕事場所や固定公衆Ｗｉ−Ｆｉホットスポット等でのＷｉ−Ｆｉインターネット接続と同一であるように見える。例えば、本明細書で説明する通信ネットワークを利用しているエンド・ユーザにとって、ＴＣＰセッションはアクティブ状態を保ち、ダウンロードを通常どおり処理し、通話呼を中断することなく続行する等ができる。本明細書で論じるように、本開示の種々の態様による車両通信ネットワークは、通常のインターネット・トラフィックに対して、および／またはプライベート・ネットワーク・トラフィック（例えば、有線ネットワークから車両およびその周りのユーザまでの顧客のプライべートＬＡＮにおけるアクセスを拡張したもの）に対して、トランスポート層として適用する。
【０１４０】
[00155]  例示のネットワーク実装態様によれば、ユーザは、車両における単一のＷｉ−Ｆｉ ＡＰに常時接続することになるが、車両（またはそのアクセス・ポイント、例えば、オンボード・ユニット（ＯＢＵ））は、複数のアクセス・ポイント（例えば、固定ＡＰ、他のモバイルＡＰ、セルラ基地局、固定Ｗｉ−Ｆｉホットスポット等）の間を移動することがある。例えば、本開示の種々の態様により実装される移動性管理は、異なる通信技術（例えば、ＩＥＥＥ８０２．１１ｐ、セルラ、Ｗｉ−Ｆｉ（例えば、ＩＥＥＥ８０２．１１ａ／ｂ／ｇ／ｎ／ａｃ／ａｄ）等）にわたり、固定ＡＰ（および／若しくはモバイルＡＰ）間でのモバイルＡＰの移行として、並びに／またはモバイルＡＰ間のエンド・ユーザの移行として、各車両およびそのユーザの移動性をサポートする。
【０１４１】
[00156]  本開示の種々の態様によれば、移動性コントローラ（ＭＣ）（ＬＭＡまたはネットワーク・コントローラ（ＮＣ）と称されることもある。）は、種々のノード（例えば、モバイルＡＰ等）の位置（例えば、ネットワーク位置等）、および／または、それらを通じて接続されたエンド・ユーザの位置を監視する。移動性コントローラ（ＭＣ／ＮＣ）は、例えば、異なるアクセス・ポイント（ＡＰ）の間、並びに／または低リンク・レイテンシおよび低ハンドオーバ時間による異なる技術間で、シームレスなハンドオーバ（例えば、通信セッションの連続性の維持）を提供する。
【０１４２】
[00157]  本明細書に提供されるアーキテクチャはスケーラブルであり、例えば、冗長エレメントおよび／または機能性を利用して、制御の負荷バランスおよび／またはデータ通信の機能性を提供すると共に、障害の可能性を低減する。本開示の種々の態様はまた、（例えば、量および／または頻度の点で）低減した制御シグナリングを提供する。制御シグナリングは、例えば、バックエンド・サーバおよびＡＰ（例えば、固定ＡＰおよび／またはモバイルＡＰ）の両方において、制御オーバヘッドを低減させると共に、制御テーブルのサイズおよびトンネリングを低減させる。
【０１４３】
[00158]  加えて、本開示の種々の態様による通信ネットワーク（またはそのコンポーネント）は、モバイル・デバイスと相互作用する能力を含み、その結果、それら接続の選択の一部若しくは全部を制御し、および／またはそれら制御機能性をレバレッジすることができる。例えば、例示の実装態様では、モバイル・アプリケーションは、バックグラウンドで起動することができ、利用可能なネットワークおよび／またはそのノードを管理すると共に、最も適合する１つを選択する。次いで、現在の接続が断絶しないうちに、選択されたネットワーク（またはそのノード）へのハンドオフをトリガする。
【０１４４】
[00159]  通信ネットワーク（またはそのコンポーネント）はまた、インフラストラクチャ要件および各クライアントの移動性ニーズにしたがって構成可能である。例えば、通信ネットワーク（またはそのコンポーネント）は、異なるレイヤ２（Ｌ２）またはレイヤ３（Ｌ３）の実装、またはこれらの組み合わせを、ＩＰｖ４／ＩＰｖ６トラフィックと同様にサポートする性能を含んでもよい。
【０１４５】
[00160]  本開示の態様は、移動物体のネットワークを可能にする。ここでは、エンド・ユーザ・デバイスの移動性に拘わらず、アクセス・ポイントの少なくとも幾らか（例えば、１つ以上のモバイルＡＰ（ＭＡＰ））の移動性に拘わらず、そして、このようなネットワークで予想されることになる非常に動的で高密度な環境であるにも拘わらず、エンド・ユーザは、サービスにおいて如何なる中断に気付くことなく常時インターネットに接続される。例えば、本開示の態様は、エンド・ユーザ・デバイスがネットワーク内を移動している間であっても（例えば、バス停において固定ＡＰを介して、ユーザが乗っているバスのモバイルＡＰに接続されていることから変更し、或いは、より極端な例では、モバイルＡＰが、歩道上で立っているエンド・ユーザによって通過するにつれて、１つのモバイルＡＰから他のものへと繰り返しスイッチして、）エンド・ユーザ・デバイスへのおよび／またはエンド・ユーザ・デバイスからの中断されることのないデータ・フローを可能にする。このようなシームレスな移動性が無いと、エンド・ユーザ・デバイスが有するインターネットまたは他のネットワーク接続は、彼／彼女がネットワークに対してワイヤレス・アクセス・ポイントの間を移動するにつれて、欠落することになる。その結果、ページのロードをリフレッシュすること、ダウンロードをリスタートすること、欠落したＶｏＩＰコールを再接続すること等が必要となる。エンド・ユーザ・デバイスに対し、このシームレスな移動性を提供することは、異なる固定ＡＰの間において、および／またはエンド・ユーザ・デバイスにサービス提供するモバイルＡＰの他のバックホール技術の間においてシームレスな移動性を可能にする。また、モバイルＡＰ間においてエンド・ユーザ・デバイスのシームレスな移動性も可能にする。
【０１４６】
[00161]  本開示の態様は、アクセス・ポイント（例えば、モバイルＡＰおよび固定ＡＰ）の間のネゴシエーションのための、また、エンド・ユーザ・デバイスの「オーナーシップ」のための方法およびシステムを提供する。「オーナーシップ」とは、エンド・ユーザ・デバイスが、例えばバス停にサービス提供する固定ＡＰと、バスのモバイルＡＰの間、または、第１バスのモバイルＡＰと、第２バスのモバイルＡＰの間でスイッチするときに、ネットワークがこの移動性を検出して、適切にハンドルできるということを意味する。この目的で、本開示の態様によるネットワークが有するＡＰは、それら自体の間をネゴシエートするように動作可能であり、その結果、どのＡＰがエンド・ユーザのワイヤレス接続を維持することになるかについて判定することができる。ネゴシエーションのプロセスは、例えば、特定のエンド・ユーザ・デバイスを接続すべき最良の新規アクセス・ポイントを予測し、ＡＰを同期させるために、ネットワーク・エレメントの間で情報を通信することを含む。その結果、ＡＰは、エンド・ユーザ・デバイスに最良のワイヤレス・サービスのパフォーマンスを提供することの決定をすることができる。このようなネットワークのＡＰは、「メイク・ビフォア・ブレーク」(make-before-break)・ソリューションを提供する。これは、ＡＰに、既存のワイヤレス接続が解除されないうちに、見込まれる新規の接続を精査および評価させるものである。ＡＰは、規定された閾値／機構によって構成され、エンド・ユーザ・デバイスと２つ以上のアクセス・ポイントの間のワイヤレス接続の一定の変更（例えば、変動(oscillation)すなわち「ピンポン」）を防止する。
【０１４７】
[00162]  シームレスなＷｉ−Ｆｉ移動性を管理することは困難なタスクとなる。何故ならば、Ｗｉ−Ｆｉ規格（例えば、ＩＥＥＥ８０２．１１ａ／ｂ／ｇ／ｎ／ａｃ／ａｄ）は、接続されたデバイスが通信セッションにわたりデータの損失なくアクセス・ポイントの間を移るという動的なシナリオのために設計されたものではないからである。移動性をサポートするために見込まれる１つのソリューションは、ＯＳＩのレイヤ２においてエンド・ユーザ・デバイスを管理することである。ここでは、全てのＡＰが同一のＬ２ドメインをブロードキャストする。例えば、エンド・ユーザ・デバイスの移動性は、「ＡＲＰテーブル」と広く称されるものへの更新を使用することに基づいてもよい。「ＡＲＰテーブル」は、１つ以上のインターネット・プロトコル（ＩＰ）アドレスを、対応のメディア・アクセス・コントロール（ＭＡＣ）アドレスと関連付けて格納し、ネットワーク・デバイスによって、ＩＰアドレスを使用してイーサネット（登録商標）リンクを通じて他のネットワーク・デバイスにＩＰパケットを通信するのを可能にする。このようなＡＲＰテーブルの更新は、比較的素早く行うことができる。しかしながら、大多数のエンド・ユーザ・デバイスを有するＷｉーＦｉリンクを通じてＬ２ドメインを拡張することは、容認できないエンド・ユーザ経験を提供することにもなり得る。同一のＬ２ドメインを共有することにより、１つのＡＰ上の全てのブロードキャスト・トラフィックは、他の全てのＡＰに対して複製されことになる。その結果、本明細書では、「ブロードキャスト・ストーム」と称されるものとなる。このようなネットワーク・アクティビティは、サービス品質（ＱｏＳ）に重大な影響を及ぼすことになる。したがって、本開示の種々の態様により、ＯＳＩのレイヤ３における移動性をハンドルするための方法およびシステムが提供される。これにより、Ｌ２の問題を回避し、ユーザのためにより良いＱｏＳを保証する。
[00163]  先に組み込んだ仮出願において説明したように、ネットワークは、ネットワーク・コントローラ（ＮＣ、または「移動性コントローラ」ＭＣ）と、１つ以上のモバイル・アクセス・ポイント（ＭＡＰ）と、１つ以上のエンド・ユーザ・デバイス（例えば、スマートフォン、タブレット、ラップトップ等）を含む。
【０１４８】
[00164]  図７は、本開示の種々の態様により、例示のネットワーク・コントローラ（ＮＣ）７１０の機能的エレメントを例示するブロック図である。ＮＣ（例えば、図７のＮＣ７１０）は、ネットワーク内のＭＡＰの位置およびエンド・ユーザ・デバイスの位置の両方を管理する責務を有する。本開示の種々の態様によるネットワーク・コントローラは、移動物体のネットワークにおけるエレメント（例えば、ＭＡＰおよびエンド・ユーザ・デバイスのような移動体エレメント）の位置を管理する。その結果、ＮＣは、本開示におけるネットワークが有するエレメント（すなわち、ＭＡＰ／ＯＢＵ、および／または移動物体のネットワークのエンド・ユーザ・デバイス）に向けられたデータ・トラフィックを他のネットワーク（例えば、インターネット）から受信するときに、ＮＣは、このＭＡＰ／ＯＢＵ、および／またはエンド・ユーザ・デバイスが現在接続されているネットワーク内における位置を使用する（これは、例えば、その実際の地理的位置への類推(analogy)とみなされる。）。これにより、情報パケットは、ネットワークを通じて宛て先ネットワーク・エレメントに転送される。例えば、ユーザＡのデバイスが、ＦＡＰ Ｃを介してＮＣ Ｄと通信しているＭＡＰ Ｂに現在接続しているような状況を想定する。本開示の態様によれば、ＮＣ Ｄは、ユーザＡに向けられた、受信したパケット・トラフィックを、ＦＡＰ Ｃを通じてＭＡＰ Ｂに転送し、そこから、ユーザＡのデバイスに転送する。本開示の態様による移動体のネットワークにおける各ＮＣは、本明細書において説明し、上記で組み込んだ仮出願において説明した方法およびシステムを用いて、ＭＡＰ／ＯＢＵと、ＮＣに割り当てられたエンド・ユーザ・デバイスとのセットの位置を追跡することができる。
【０１４９】
[00165]  図７に示すように、ＮＣ７１０は、１つ以上のＭＡＰ（例えば、ＭＡＰ７４０）と通信するＭＡＰ位置インタフェース（Ｉ／Ｆ）モジュール７１２を備え、ＭＡＰのそれぞれが１つ以上のエンド・ユーザ・デバイス（例えば、エンド・ユーザ・デバイス７３０）とワイヤレスで通信する。ＭＡＰ位置Ｉ／Ｆモジュール７１２は、ＭＡＰの移動を追跡するために、ＭＡＰ位置Ｉ／Ｆモジュール７１２に割り当てられたＭＡＰの各々と定期的に通信する。また、ＮＣ７１０は、エンド・ユーザ・デバイス位置インタフェース（Ｉ／Ｆ）モジュール７１４を備え、エンド・ユーザ・デバイス（例えば、エンド・ユーザ・デバイス７３０（例えば、スマートフォン、タブレット、ラップトップ、カメラ等））のために位置関連メッセージを処理する責務を有すると共に、移動物体のネットワークにおける他のネットワーク・コントローラ（図７では他のＮＣ７１５と示される。）に位置情報を通信する。更に、ＮＣ７１０は、ＭＡＰ位置インタフェース（Ｉ／Ｆ）モジュール７１２と通信するＭＡＰ位置モジュール７１６を備える。本開示の態様によれば、ＭＡＰ位置モジュール７１６は、データベースとして作用することができ、ＮＣ７１０に割り当てられる全てのＭＡＰの位置に関する情報を格納する。加えて、図７のＮＣ７１０は、エンド・ユーザ・デバイスＩＰアドレス割り当てモジュール７１８を備え、ＭＡＰに割り当てられる(assigned)、すなわち割り振られる(allocated)ことになるＩＰアドレスの１つ以上のプールを管理する責務を有する。加えて、ＮＣ７１０は、エンド・ユーザ・デバイス位置モジュール７２０を備え、移動物体のネットワーク全体内においてエンド・ユーザ・デバイスの現在の位置を追跡する責務を有する。本開示の態様によれば、移動物体のネットワークにおける各ＭＡＰ（例えば、ＭＡＰ７４０）は、ＭＡＰにワイヤレスで接続される１つ以上のエンド・ユーザ・デバイス（例えば、エンド・ユーザ・デバイス７３０）を有する。そして、このようなエンド・ユーザ・デバイスは、たとえネットワークの２つ以上のＭＡＰが同一のＮＣ（例えば、ＮＣ７１０）に割り当てられないときであっても、２つ以上のＭＡＰ間でワイヤレス接続／連結をスイッチすることができる。ＮＣへのＭＡＰの割り当てについて、以下により詳細に説明する。
【０１５０】
[00166]  本開示による移動物体のネットワークにおいて、ＮＣは、ＭＡＰ位置とネットワーク内のエンド・ユーザ・デバイス位置との両方を管理する責務を有する。各ＮＣは、ＮＣに割り当てられたＭＡＰのセットを有する。また、各ＮＣは、本明細書に説明する、および上記に組み込んだ仮出願で説明される方法およびシステムを用いて、ＮＣに割り当てられるＭＡＰの位置を追跡する。
【０１５１】
[00167]  図８は、本開示の種々の態様により、例示のモバイル・アクセス・ポイント（ＭＡＰ）８４０の機能的エレメントを例示するブロック図を示す。図８のＭＡＰ８４０は、例えば、図７のＭＡＰ７３０に対応する。或いは、図１から図６に関して上述したＭＡＰに対応する。図８に示すように、例示のＭＡＰ８４０は、ＭＡＰエンド・ユーザ・デバイス・ネゴシエーションＩ／Ｆモジュール８４１を備え、ＭＡＰ（例えば、ＭＡＰ８４０および近隣のＭＡＰ８４４）の間でネゴシエーションを実行する責務を有する。また、ＭＡＰ８４０は、Ｗｉ−ＦｉＩ／Ｆモジュール８４３を備え、ＭＡＰ８４０と現在アクティブなＷｉ−Ｆｉネットワークとのワイヤレスでの相互作用を管理する責務を有する。更に、図８のＭＡＰ８４０は、エンド・ユーザ・デバイス位置Ｉ／Ｆモジュール８４５を備え、１つ以上のエンド・ユーザ・デバイス（例えば、エンド・ユーザ・デバイス８３０，８３５）の位置に関係したメッセージを処理する責務を有する。加えて、ＭＡＰ８４０は、Ｗｉ−Ｆｉネットワーク管理モジュール８４７を備え、ネットワーク情報に基づいてＷｉ−Ｆｉネットワークを管理する責務を有する。本開示によるＷｉ−Ｆｉネットワーク管理モジュール（例えば、Ｗｉ−Ｆｉネットワーク管理モジュール８４７）は、とりわけ、ＭＡＰ（例えば、ＭＡＰ８４０）によってブロードキャストされるサービス・セット識別子（ＳＳＩＤ）の番号を部分的に管理することによって、エンド・ユーザ・デバイス（複数可）に提供されるＷｉ−Ｆｉネットワーク（複数可）を管理する。ＭＡＰがブロードキャストするＳＳＩＤごとに、ＭＡＰが有するＷｉ−Ｆｉネットワーク管理モジュールは、例えば、使用時の認証のタイプ、実行中の(in effect)トラフィック転送のタイプ、１つ以上の動的ホスト構成プロトコル（ＤＨＣＰ）のアドレス・プール、ドメイン名システム（ＤＮＳ）サーバの動作を管理する。また、１つ以上のゲートウェイの動作を管理する。例えば、１つのＭＡＰ／ＯＢＵは、キャプティブ・ポータルおよび対応のＤＨＣＰプールＸのための第１ＳＳＩＤ Ａと、ｒａｄｉｕｓ認証および対応のＤＨＣＰプールＹに用いる第２ＳＳＩＤ Ｂと、キャプティブ・ポータルまたは認証がなく、対応のＤＨＣＰプールＺに用いる第３ＳＳＩＤと、を有する。ＭＡＰ８４０のようなＭＡＰはまた、エンド・ユーザ・デバイス管理モジュール８４９を備え、ＭＡＰ８４０に現在ワイヤレスで接続されているエンド・ユーザ・デバイスのローカル管理を提供する。
【０１５２】
[00168]  本開示の種々の態様は、ＡＰ（例えば、図１〜図８の固定ＡＰ（ＦＡＰ）およびモバイルＡＰ（ＭＡＰ）／ＯＢＵ）が有するワイヤレス・カバレッジ・エリアの間を移るエンド・ユーザ・デバイスへの移動性に、エンド・ユーザ・デバイスのワイヤレス（例えば、無線周波数（ＲＦ））通信の動作に対する認知可能な最小限の影響を与えるか、或いは、ＡＰを介するこのようなワイヤレス通信に伴う、エンド・ユーザ・デバイスのこれらの態様に関するエンド・ユーザのエクスペリエンスを与える。本開示による移動物体のネットワークでは、ＡＰ間におけるエンド・ユーザ・デバイスのワイヤレスＲＦネットワークのハンドオフはシームレスである。そして、ＡＰによってエンド・ユーザ・デバイスに提供されるワイヤレスＲＦネットワークを介してアクセスされる種々のサービスおよび／またはリソース（例えば、インターネット）とのエンド・ユーザ・デバイスの通信は中断されない。本開示の種々の態様によれば、エンド・ユーザ・デバイスにおけるＡＰのカバレッジ・エリア間の移動は、多くの方法でハンドルすることができる。
【０１５３】
[00169]  例えば、第１の手法では、エンド・ユーザ・デバイスのネットワークとのワイヤレス接続を管理する責務は、エンド・ユーザ・デバイス側に残され、そして、ネットワークは、エンド・ユーザ・デバイスが接続されるネットワーク内の位置を単に承認するのみである。例えばＷｉ−Ｆｉに対応したエンド・ユーザ・デバイス（例えば、ＩＥＥＥ８０２．１１ａ／ｂ／ｇ／ｎ／ａｃ／ａｄを使用して通信するように構成される当該エンド・ユーザ・デバイス）は、例えば、エンド・ユーザ・デバイスのＷｉ−Ｆｉワイヤレス通信範囲内にある利用可能なＡＰの検索に基づいてワイヤレス・ネットワークのＡＰを選択することによって、ＡＰのＷｉ−Ｆｉ互換ネットワーク・インタフェースと通信するように選ぶ。本開示の種々の態様によるＡＰは、種々の通信プロトコル（例えば、Ｗｉ−Ｆｉ，Ｂｌｕｅｔｏｏｔｈ、セルラ等）を使用して種々の無線周波数帯における種々の部分／チャネル上で動作可能な多数のワイヤレス・ネットワーク・インタフェースを有してもよいことを注記しておく。エンド・ユーザ・デバイスは、例えば、ワイヤレス通信範囲内にある複数のＡＰの中から、所与のＷｉ−Ｆｉ対応ＡＰと通信するように選ぶ。これに基づいて、ＡＰのＷｉ−Ｆｉネットワーク・インタフェースは、最良の品質指標（例えば、受信した信号強度（ＲＳＳＩ））を有するワイヤレス信号を供給する。エンド・ユーザ・デバイスは、次いで、選ばれたＡＰとのワイヤレス接続を確立するように試行する。このようなＷｉ−Ｆｉネットワーク・インタフェースは、識別子（例えば、サービス・セット識別子（ＳＳＩＤ）のようなワイヤレス・ネットワーク識別子、および一意の基本サービス・セット識別子（ＢＳＳＩＤ））をブロードキャストしている。ＳＳＩＤは、例えば、英数字の文字列でもよい。また、ＢＳＳＩＤは、例えば、ワイヤレス・アクセス・ポイント（ＷＡＰ）のＭＡＣアドレスでもよく、２４ビットの組織一意識別子（すなわち、製造業者の識別子）と、ＷＡＰで使用される無線チップセットに割り当てられた２４ビットの識別子と、を結合することによって生成される。当該ＢＳＳＩＤによるＡＰへのワイヤレス接続がもはや満足なものではないとエンド・ユーザ・デバイスが感知したときに、エンド・ユーザ・デバイスは他のＡＰを検索する。また、エンド・ユーザ・デバイスは同一のＳＳＩＤを有する、互換性のあるワイヤレス・ネットワークに対して優先順位を付す。エンド・ユーザ・デバイスが当該ＢＳＳＩＤを有するＡＰによって提供されるワイヤレス接続によっては満足されない間中は、エンド・ユーザ・デバイスはＡＰへの接続を保つ。
【０１５４】
[00170]  第２の例示の手法では、本開示の種々の態様によれば、好適なＡＰの選択およびエンド・ユーザ・デバイスの移動性は、ワイヤレス・ネットワークによって管理される。また、ワイヤレス・ネットワークのＡＰ（例えば、ＦＡＰおよび／またはＭＡＰ）は、それら自体の間で通信する。その結果、エンド・ユーザ・デバイスの移動物体のネットワークへのワイヤレスへアタッチメントのポイントが変更したことをエンド・ユーザ・デバイスが知る必要なく、所与のエンド・ユーザ・デバイスにサービスを提供するのにどのＡＰが最良／最も好適なＡＰであるかについて特定することができる。以降の説明は、ＡＰ（ネットワーク）側からエンド・ユーザ・デバイスのＷｉーＦｉワイヤレス接続を管理するプロセスについての異なる３つの例示の実装態様に向けられる。第１の例示の実装態様は、Ｗｉ−Ｆｉネットワークの共有のＳＳＩＤおよび複数のＢＳＳＩＤを使用する。また、第２の例示の実装態様は、共有のＳＳＩＤおよび共有のＢＳＳＩＤを使用する。更に、第３の例示の実装態様は、共有のＳＳＩＤおよびエンド・ユーザ・デバイスごとの(per)のＢＳＳＩＤを使用する。次の説明は、ＡＰおよびエンド・ユーザ・デバイス上のＷｉ−Ｆｉ互換ワイヤレス・ネットワーク・インタフェースの使用についての詳細に集中するが、他のワイヤレスＲＦ通信プロトコルがまた、本明細書での教示を、選ばれたワイヤレスＲＦ通信プロトコルの仕様に適合させることによって使用できることを注記しておく。
【０１５５】
[00171]  第１の例示の実装態様では、共有のＳＳＩＤおよび複数のＢＳＳＩＤを使用する。各ＷｉーＦｉ対応ＡＰは、同一のＳＳＩＤをブロードキャストするが、どの所与のＡＰも、当該ＡＰに一意のＢＳＳＩＤをブロードキャストする。種々のＡＰ（例えば、ＦＡＰおよび／またはＭＡＰ）は、同一または異なるＲＦチャネルまたは周波数帯を使用して、エンド・ユーザ・デバイスとワイヤレスで通信する。このような構成では、エンド・ユーザのデバイスは、ワイヤレス・ネットワークのＡＰのカバレッジ・エリアのまわりをエンド・ユーザ・デバイスが移動するにつれて、１つのＡＰから他のＡＰにいつスイッチすべきかについて、自動的に選ぶ機能性を含む。エンド・ユーザ・デバイスは、現在サービス提供しているＡＰへのワイヤレス接続が低下している(deteriorating)ときに（例えば、品質評価基準（例えば、ＲＳＳＩ、信号対ノイズ比（ＳＮＲ）等）によって示され，予め定められた閾値に近づいている。）、他のＡＰに接続する可能性が最も高い。全てのＡＰ（例えば、ＦＡＰおよび／またはＭＡＰ）が共通のＳＳＩＤを共有するので、サービス提供している最新のＡＰと同一のＳＳＩＤをブロードキャストしている他のＡＰをエンド・ユーザ・デバイスが選ぶ可能性は高いが、それは確実ではない。
【０１５６】
[00172]  第２の例示の実装態様では、共有のＳＳＩＤおよび共有のＢＳＳＩＤを使用する。本明細書に説明する移動物体のネットワークにおけるＡＰが有する各Ｗｉ−Ｆｉ対応ネットワーク・インタフェースが、同一のＳＳＩＤおよび同一のＢＳＳＩＤをブロードキャストする。また、同一のＲＦチャネル／周波数帯で通信する。この構成では、エンド・ユーザ・デバイスは、あたかも１つのＡＰしかないように全てのＡＰ（例えば、ＭＡＰおよび／またはＦＡＰ）を検出する。何故ならば、各ＡＰによってブロードキャストされるＢＳＳＩＤは同一だからである。このような構成では、エンド・ユーザ・デバイスは、ＡＰ間で移っているときは接続を保つことになる。しかしながら、全てのＡＰが同一のＢＳＳＩＤを有するので、各ＡＰは他の全てのＡＰのためにワイヤレス・トラフィックを受信する。そして、ＡＰ間の付加的なトラフィック転送管理を使用して、どのＡＰが任意の特定のエンド・ユーザ・デバイスのトラフィックをハンドルするかについて、ＡＰが決定するのを可能にする。また、全てのＡＰに、同一のＢＳＳＩＤをブロードキャストさせ、また、同一のＲＦチャネル上で動作させることは、重大な干渉を引き起こすことがある。
【０１５７】
[00173]  第３の例示の実装態様では、共有のＳＳＩＤおよびエンド・ユーザ・デバイスごとのＢＳＳＩＤを使用する。本開示の態様によるネットワークのＡＰは、同一のＳＳＩＤを有し、同一のＲＦチャネル／周波数帯を介して通信される複数のワイヤレス・ネットワークにそれぞれブロードキャストするが、ここでは、各ワイヤレス・ネットワークは、エンド・ユーザ・デバイスごとに異なるＢＳＳＩＤを使用する。本開示の幾らかの態様によれば、１つのエンド・ユーザ・デバイスのみが、各ＢＳＳＩＤに対応するワイヤレス・ネットワークの各々に接続する。しかしながら、本開示の他の態様によれば、２つ以上のエンド・ユーザ・デバイスがこのようなワイヤレス・ネットワークの各々に接続する。エンド・ユーザ・デバイス間の干渉は、共有のＳＳＩＤおよび共有のＢＳＳＩＤを有する上記の第２の例示の実装態様に対して低減される。何故ならは゛、第３の例示の実装態様におけるエンド・ユーザ・デバイスは、異なるＢＳＳＩＤを用いてネットワークに接続されることになるからである。この例示の実装態様では、エンド・ユーザ・デバイスは、本開示による移動物体のネットワークにおける第１ＡＰ（例えば、ＭＡＰおよび／またはＦＡＰ）にワイヤレスで接続するときに、エンド・ユーザ・デバイスの第１ＡＰとのワイヤレス接続は、第１ＡＰによってブロードキャストされる信号で特定されると共にエンド・ユーザ・デバイスによって受信される特定のＢＳＳＩＤに関連付けられる。後の幾らかの時間に、本開示のネットワークは、エンド・ユーザ・デバイスの第１ＡＰとのワイヤレス接続の品質がもはや満足なものではないことを感知した場合、また、エンド・ユーザ・デバイスをより好適な第２ＡＰに移すべきことを判定した場合は、当該第２ＡＰは、エンド・ユーザ・デバイスによって使用される第１ＡＰとの接続に関連付けられたＢＳＳＩＤを特定するワイヤレス・ネットワークへのブロードキャスの開始が指示される。また、第１ＡＰは、該第１ＡＰを介してエンド・ユーザ・デバイスにサービス提供したＢＳＳＩＤに関連付けられるネットワークへのブロードキャストを停止する。このようにして、エンド・ユーザ・デバイスが「ハンドオフ」プロセスに参加することなく、またはこれを認識することなく、エンド・ユーザ・デバイスは、第１ＡＰおよび第２ＡＰの間を移ることができる。また、エンド・ユーザ・デバイスが第１ＡＰから第２ＡＰに移る決定を、ネットワーク（例えばＡＰ）サイドで完全に行うことができる。このような例示の実装態様では、ネットワークのＡＰは同一のチャネル上で尚も通信を行うが、１つのＡＰのみが所与のエンド・ユーザ・デバイスのためにトラフィックの受信およびハンドルを行うことになる。つまり、干渉および管理オーバヘッドを低減させる。
【０１５８】
[00174]  しかしながら、第２エンド・ユーザ・デバイスが、第１エンド・ユーザ・デバイスによって既に使用されている所与のワイヤレス・ネットワーク（すなわち、第１エンド・ユーザ・デバイスにサービス提供するように既に使用されているＢＳＳＩＤを有するネットワーク）に接続する場合は、被る有害性はない。その狙いは、干渉を低減させるために、所与のワイヤレス・ネットワークに接続するエンド・ユーザ・デバイスの数を、できる限り小さく保つことである。２つのエンド・ユーザ・デバイスが第１ＡＰの同一ワイヤレス・ネットワークを使用する場合（すなわち、両方のエンド・ユーザ・デバイスが同一のＢＳＳＩＤを使用して通信する場合）、エンド・ユーザ・デバイスのうち１つが第２ＡＰに移るとき、また、第２ＡＰが第２エンド・ユーザ・デバイスのＢＳＳＩＤを用いてワイヤレス・ネットワークを確立するときに、第１ＡＰは当該ＢＳＳＩＤを有するワイヤレス・ネットワークを解除することはできない。何故ならば、第１ＡＰによってサポートされるワイヤレス・ネットワークを使用しているエンド・ユーザ・デバイスが尚も存在するからである。第１エンド・ユーザ・デバイスまたは第２エンド・ユーザ・デバイスの何れかが第１ＡＰおよび第２ＡＰの両方の通信範囲内にある時間期間の間、第１ＡＰおよび第２ＡＰは、エンド・ユーザ・デバイスからトラフィックを受信することになるが、本開示の態様によれば、１つのＡＰのみがこのようなトラフィックを転送することになる。
【０１５９】
[00175]  図９は、本開示の種々の態様により、共有の単一ＳＳＩＤをブロードキャストするが、モバイル・アクセス・デバイスＭＡＰ１ ９１０およびＭＡＰ２ ９２０の各々を個別に特定する別個のＢＳＳＩＤを使用するＭＡＰ１ ９１０およびＭＡＰ２ ９２０を有するワイヤレス・ネットワーク９００におけるエンド・ユーザ・デバイス９３０のハンドオーバを例示する。この例示が２つのＭＡＰを含む一方で、ＡＰのどちらか一方または双方がＦＡＰとしてもよいことを注記しておく。図９の例は、ＭＡＰ１ ９１０が、ＳＳＩＤ ＳとＢＳＳＩＤ Ｘを使用する第１ワイヤレス・カバレッジ・エリア９１５にわたりワイヤレス通信サービス（例えば、Ｗｉ−Ｆｉ（例えば、ＩＥＥＥ８０２．１１ａ／ｂ／ｇ／ｎ／ａｃ／ａｄ））を提供することを示す。また、ＭＡＰ２ ９２０が、ＳＳＩＤ Ｓと、ＢＳＳＩＤ Ｘとは異なるＢＳＳＩＤ Ｙとを使用する第２ワイヤレス・カバレッジ・エリア９２５にわたりワイヤレス通信サービスを提供することを示す。図９に示すように、ユーザＡのエンド・ユーザ・デバイス９３０は、ワイヤレス・カバレッジ・エリア９１５内に位置し（すなわち、位置（１））、つまり、ＭＡＰ１ ９１０からサービスを受けることができる。エンド・ユーザ・デバイス９３０は、ＭＡＰ１ ９１０によって送信される信号（例えば、「ビーコン」フレームまたは他のトランスミッション）を検出し、ＭＡＰ１ ９１０への接続をワイヤレスで試行する。次いで、ＭＡＰ１ ９１０は、接続の試行の一部としてエンド・ユーザ・デバイス９３０によって送信されるワイヤレス信号を検出する。
【０１６０】
[00176]  本開示の態様によれば、エンド・ユーザ・デバイス９３０による接続の試行に応じて、ＭＡＰ１ ９１０が割り当てられるべきネットワーク・コントローラ（ＮＣ）（非図示）にＭＡＰ１ ９１０が問い合わせをし、その結果、エンド・ユーザ・デバイス９３０によって使用するために、有効なＩＰアドレスを割り当てるよう要求する。例示のネットワーク・コントローラについての追加の詳細な説明は、例えば、 "Systems and Methods for Managing Mobility of Users in a Network of Moving Things at the Backhaul"（バックホールにおいて移動物体のネットワーク内のユーザの移動性管理のためのシステムおよび方法）と題し、２０１７年１月２４日に出願された米国特許出願第１５／４１４，０７９に示されている。この特許出願をここで引用したことにより、その内容全体が本願にも含まれるものとする。
【０１６１】
[00177]  ＭＡＰ１ ９１０に割り当てられたＩＰアドレスを含む応答をＮＣから受信すると、ＭＡＰ１ ９１０は、エンド・ユーザ・デバイス９３０に割り当てられたＩＰアドレスを、エンド・ユーザ・デバイス９３０に通知する。これにより、エンド・ユーザ・デバイス９３０のＭＡＰ１ ９１０とのワイヤレス接続が確立される。これ以降、ＭＡＰ１ ９１０からのワイヤレス信号が充分な品質（例えば、ＲＳＳＩ、ＳＮＲ、ビット／パケットのエラー・レート等のような品質測定基準によって測定される品質）を有し、満足なものであることをエンド・ユーザ・デバイス９３０が判定する限り、エンド・ユーザ・デバイス９３０は、ＭＡＰ１ ９１０へのワイヤレスの接続を維持する。しかしながら、ＭＡＰ１ ９１０とのワイヤレス接続の品質がもはや満足なものではないこと（例えば、予め決定された閾値未満への低下）をエンド・ユーザ・デバイス９３０が判定すると、エンド・ユーザ・デバイス９３０は、受け入れ可能な信号品質を有する代替のＡＰに対する走査を開始する。図９の例では、エンド・ユーザ・デバイス９３０とＭＡＰ１ ９１０の間のワイヤレス接続の品質は、エンド・ユーザ・デバイス９３０が位置（２）に到達した時点において満足できないレベルに低下している。エンド・ユーザ・デバイス９３０がどの代替のＡＰも見つからない場合には、信号が更に低下し、ＭＡＰ１ ９１０との接続が使用不能となり、接続が中断するまで、エンド・ユーザ・デバイス９３０はＭＡＰ１ ９１０への接続を保つ。
【０１６２】
[00178]  しかしながら、代替のＡＰ（例えば、ＭＡＰまたはＦＡＰ）がエンド・ユーザ・デバイス９３０によって見つけられる場合は、エンド・ユーザ・デバイス９３０は、その代替のＡＰとのワイヤレス通信との確立を試行する。図９の例示では、エンド・ユーザ・デバイス９３０は、例えば、ＭＡＰ２ ９２０のワイヤレス信号を発見する。そして、これに応じて、ＭＡＰ１ ９１０とのその接続を終了して、ＭＡＰ２ ９２０とのワイヤレス接続の確立を試行する。本開示の種々の態様によれば、ＭＡＰ２ ９２０は次いで、ＭＡＰ２ ９２０が割り当てられたＮＣ（不図示）に問い合わせて、エンド・ユーザ・デバイス９２０が使用するＩＰアドレスの割り当てを要求する。ＮＣの動作についての追加のより詳細な説明は、例えば、 "Systems and Methods for Managing Mobility of Users in a Network of Moving Things at the Backhaul"（バックホールにおいて移動物体のネットワーク内のユーザの移動性管理のためのシステムおよび方法）と題し、２０１７年１月２４日に出願された米国特許出願第１５／４１４，０７９に示されている。この特許出願をここで引用したことにより、その内容全体が本願にも含まれるものとする。本開示の種々の態様によれば、エンド・ユーザ・デバイス９３０は次いで、ＭＡＰ２ ９２０からＩＰアドレスを受信する。これに応じて、ＭＡＰ２ ９２０とのワイヤレス通信を確立する。本開示の種々の態様によれば、ＭＡＰ２ ９２０のＮＣによってＭＡＰ２ ９２０に供給されるＩＰアドレスは、ＭＡＰ２ ９２０にサービス提供しているＮＣと共有している、ＭＡＰ１ ９１０にサービス提供するＮＣによって割り当てられたＩＰアドレスと同一である。
【０１６３】
[00179]  ＭＡＰ２ ９２０とのワイヤレス接続に続いて、エンド・ユーザ・デバイス９３０は次いで、ＭＡＰ２ ９２０のカバレッジ・エリア内において、エンド・ユーザ・デバイス９３０が例えば位置３に移動するときは、ＭＡＰ２ ９２０への接続を維持する。図９におけるＭＡＰ１ ９１０からＭＡＰ２ ９２０へのハンドオーバをエンド・ユーザ・デバイス９３０が制御するのを許可することによって、ＭＡＰ１ ９１０およびＭＡＰ２ ９２０に対する制御および管理の要件が低減される。しかしながら、エンド・ユーザ・デバイス（例えば、エンド・ユーザ・デバイス９３０）によるハンドオーバ・プロセスを開始するのに使用されるアルゴリズムは、次のＡＰ（例えば、ＭＡＰまたはＦＡＰ）を選択するアルゴリズムと同様に、エンド・ユーザ・デバイス９３０のユーザＡに対する、シームレスなワイヤレス接続性および最大化されたエンド・ユーザ・エクスペリエンス品質（ＱｏＥ）という観点からは、から必ずしも最適化されるというわけではない。例えば、ＭＡＰ１ ９１０からＭＡＰ２ ９２０へのハンドオーバは、主に、エンド・ユーザ・デバイス９３０のアルゴリズムによって制御される。つまり、ハンドオーバは次いで、エンド・ユーザ・デバイスからエンド・ユーザ・デバイスへと変化する。また、移動物体のネットワークにける他のエレメントへのワイヤレス接続が既に十分に貧弱であり、要求され／望まれるレベルの品質を維持することができないときには、エンド・ユーザ・デバイスは、ハンドオーバを開始するのみである。或いは、（例えば、エンド・ユーザ・デバイスが移動物体のネットワークのエッジの近傍にあるときに、或いは、他のワイヤレス・ネットワークからの信号がより良い品質を有する領域にあるときに、エンド・ユーザ・デバイスがこのようなネットワークを検出する場合に、）エンド・ユーザ・デバイスは、移動物体のサービスを提供しているネットワークの一部とは異なる、別のＳＳＩＤを有するＡＰを選択する。このことは、エンド・ユーザ・デバイス９３０のユーザＡに対し、移動性およびセッション継続性の損失へと導くことになる。
【０１６４】
[00180]  図１０は、本開示の種々の実施形態により、共有のＳＳＩＤと、および２つのモバイル・アクセス・ポイントＭＡＰ１ １０１０およびＭＡＰ２ １０２０の各々を特定するのに使用される共有のＢＳＳＩＤとを使用した、ワイヤレス・ネットワーク１０００におけるエンド・ユーザ・デバイス１０３０のハンドオーバについて例示する。図１０の例では、ＭＡＰ１ １０１０およびＭＡＰ２ １０２０は、同一のＳＳＩＤおよび同一のＢＳＳＩＤをブロードキャストする。また、これらは同一のＲＦチャネル／周波数帯で動作している。（位置１にある）エンド・ユーザ・デバイス１０３０は、ＭＡＰ１ １０１０のＷｉーＦｉネットワーク・インタフェースによって送信される（例えば、点線で示されるカバレッジ・エリア１０１５内の「ビーコン」または他の伝送ブロードキャスト）信号を検出する。また、ＭＡＰ１ １０１０とのワイヤレス接続の確立を試行（例えば、認証、連携等を）する。本開示の種々の態様によれば、ＭＡＰ１ １０１０は、ワイヤレス接続の確立の試行の際にエンド・ユーザ・デバイス１０３０によって送信される信号を検出する。これに応じて、ＭＡＰ１ １０１０は、ＭＡＰ１ １０１０がを割り当てられているＮＣ（不図示）に問い合わせて、エンド・ユーザ・デバイス１０３０に割り当てる有効なＩＰアドレスを要求する。割り当てられたＩＰアドレスを収容した応答をそのＮＣから受信すると、次いで、ＭＡＰ１ １０１０は、エンド・ユーザ・デバイス１０３０に割り当てられたＩＰアドレスを、エンド・ユーザ・デバイス１０３０に通知する。これにより、ワイヤレス接続が、ＭＡＰ１ １０１０およびエンド・ユーザ・デバイス１０３０の間で確立される。
【０１６５】
[00181]  ＭＡＰ１ １０１０とエンド・ユーザ・デバイス１０３０の間のワイヤレス接続が十分な品質を維持する間中、エンド・ユーザ・デバイス１０３０は、ＭＡＰ１ １０１０とのワイヤレス接続を維持し、エンド・ユーザ・デバイス１０３０のユーザＡは、ＭＡＰ１ １０１０によって提供されるワイヤレス通信を使用して満足なエクスペリエンスを有する。しかしながら、エンド・ユーザ・デバイス１０３０が位置２に向けて移動するにつれて、本開示の態様によるＡＰ（例えば、ＭＡＰ１ １０１０）は、エンド・ユーザ・デバイス１０３０とのワイヤレス接続の品質が低下している（例えば、ＲＳＳＩ、ＳＮＲ、エラー・レート（複数可）、ＱｏＳ、ＱｏＥ）のような１つ以上の品質測定基準が、例えば、ワイヤレス接続の品質が特定のレベル／閾値未満であることを示す。）ことを判定する。
【０１６６】
[00182]  図１１は、本開示の種々の態様により、ＭＡＰ１ １１１０とエンド・ユーザ・デバイス１１３０の間の第１ワイヤレス接続（例えば、ＷｉーＦｉリンク）が満足でない品質のレベルにまで低下していることをＭＡＰ１ １１１０が判定するネットワーク１１００を例示する。図１１の例は、エンド・ユーザ・デバイス１１３０にサービス提供するのに使用されるＭＡＰ１ １１１０の第１ワイヤレス・ネットワークの例示のカバレッジ・エリア（点線１１１５）と、エンド・ユーザ・デバイス１１３０にサービス提供するのに好適な対応のワイヤレス・ネットワーク（ＭＡＰ２ １１２０およびＭＡＰ３ １１４０によってサポートされる同一のＳＳＩＤおよびＢＳＳＩＤをブロードキャストするもの）のカバレッジ・エリア（点線１１２５，１１４５）と、を示す。図１１のＭＡＰ１ １１１０、ＭＡＰ２ １１２０およびエンド・ユーザ・デバイス１１３０は、例えば、図１０のＭＡＰ１ １０１０、ＭＡＰ２ １０２０およびエンド・ユーザ・デバイス１０３０にそれぞれ対応する。ＭＡＰ１ １１１０とエンド・ユーザ・デバイス１１３０の間のワイヤレス接続の品質が満足なものではなと判定するのに応じて、ＭＡＰ１ １１１０は、第２ワイヤレス・ネットワーク（例えば、専用狭域通信（Ｄｅｄｉｃａｔｅｄ Ｓｈｏｒｔ Ｒａｎｇｅ Ｃｏｍｍｕｎｉｃａｔｉｏｎｓ（ＤＳＲＣ））ネットワーク（例えばＩＥＥＥ８０２．１１ｐ））を使用して、近隣のＭＡＰ１１２０，１１４０（例えば、ワイヤレス通信範囲（実線１１２７）内にあるそれらＡＰ）と通信する。その結果、近隣のＡＰのうち何れのものが、エンド・ユーザ・デバイス１１３０とワイヤレスで通信することができ、ＭＡＰ１ １１１０よりも良好なワイヤレス接続をエンド・ユーザ・デバイス１１３０に提供することができるＡＰを特定する情報を有しているかを判定する。このような通信は、例えば、近隣のＡＰ（例えば、ＭＡＰ１１２０，１１４０）にブロードキャスト・メッセージを送信する。ブロードキャスト・メッセージは、エンド・ユーザ・デバイス１１３０のコンテキスト（例えば、エンド・ユーザ・デバイス１１３０のＭＡＣアドレスおよびＩＰアドレス、並びに、ＭＡＰ１ １１１０とのワイヤレス接続について、エンド・ユーザ・デバイス１１３０からＭＡＰ１ １１１０が受信したワイヤレス信号品質（例えば、ＲＳＳＩ、信号対ノイズ比、エラー・レート（複数可）等）の指標）を収容する。ＭＡＰ１ １１１０はまた、ブロードキャスト・メッセージに、ＭＡＰ１ １１１０のコンテキスト（例えば、ＭＡＰ１ １１１０の現在のグローバル・ナビゲーション衛星サービス（ＧＮＳＳ）／ＧＰＳ座標、ＭＡＰ１ １１１０の現在の速度等）を含めてもよい。これに応じて、図１１に示すように、近隣のＡＰは次いで、ＭＡＰ１ １１１０に通知する。近隣のＡＰからのレポートに基づいて、ＭＡＰ１ １１１０は、エンド・ユーザ・デバイス１１３０から最良の品質（例えば、最も高く示された受信信号強度（ＲＳＳＩ）、ＳＮＲ、最低のエラー・レート等）を有する受信ワイヤレス信号をレポートしている近隣のＡＰを選択する。この状況で、ＭＡＰ１ １１１０は、選択された近隣のＡＰであるＭＡＰ２ １１２０に対し、それがワイヤレス・��ービスをエンド・ユーザ・デバイス１１３０に提供することになるということを通知する。
【０１６７】
[00183]  本開示の種々の態様によれば、図１２は、ＭＡＰ２ １２２０が、ワイヤレス・カバレッジ・エリア１２２５内のエンド・ユーザ・デバイス１２３０についての特定のレポートされた受信信号品質を有し、ワイヤレス接続をエンド・ユーザ・デバイス１２３０に提供するのに最も好適なＡＰであることを、ＭＡＰ１ １２１０が判定している例示のネットワーク１２００を図示したものである。例えば、ＭＡＰ１ １２１０、ＭＡＰ２ １２２０およびエンド・ユーザ・デバイス１２３０は、図１１において、ＭＡＰ１ １１１０、ＭＡＰ２ １１２０、およびエンド・ユーザ・デバイス１１３０に対応する。図１１に関して上述したように、図１２のＭＡＰ１  １２１０は、ＭＡＰ１  １２１０にレポートしたＭＡＰ２ １２２０がエンド・ユーザ・デバイス１２３０から信号を受信することを判定している。受信された信号は、ＭＡＰ１ １２１０によって、エンド・ユーザ・デバイス１２３０からの信号を受信しているＭＡＰ１ １２１０の近隣の全応答ＡＰの中から、エンド・ユーザ・デバイス１２３０にサービス提供する最も好適な／最良の信号の品質を有するものと判定されている。上記のように、ＭＡＰ２ １２２０が、ＭＡＰ１ １２１０の近隣の全ＡＰのうち、エンド・ユーザ・デバイス１２３０からの最も好適な／最良の品質の信号を受信する近隣のＡＰであることを、ＭＡＰ１ １２１０によって判定されたのに応じて、ＭＡＰ１ １２１０は、エンド・ユーザ・デバイス１２０にワイヤレス・サービスを提供するのにＭＡＰ２ １００が割り当てられることをＭＡＰ２ １２２０に通知する。次いで、ＭＡＰ１ １２１０は、エンド・ユーザ・デバイス１２３０に対するワイヤレス・サービスの提供を停止する。
【０１６８】
[00184]  本発明の種々の態様によれば、図１３は、ＭＡＰ２ １３２０が、ワイヤレス・カバレッジ・エリア１３２５におけるエンド・ユーザ・デバイス１３３０の特定のレポート受信信号品質を有し、ワイヤレス接続をエンド・ユーザ・デバイス１３３０に提供するのに最も好適なＡＰであることを、ＭＡＰ１ １３１０が判定している例示のネットワーク１３００の例示である。このような判定に応じて、ＭＡＰ１ １３１０は、別個／第２ＲＦワイヤレス・ネットワーク（例えば、図１３のＡＰであるＭＡＰ１ １３１０、ＭＡＰ２ １３２０、ＭＡＰ３ １３４０によってサポートされるＤＳＲＣネットワーク）を介して、新規に選択されたサービス提供ＡＰであるＭＡＰ２ １３２０に対し、エンド・ユーザ・デバイス１３３０を特定する情報をＭＡＰ２ １３２０へ送る。このような情報は、例えば、ＭＡＣアドレス、ＩＰアドレス、および／または、エンド・ユーザ・デバイス１３３０をアドレス／特定する他の情報を含む。次いで、ＭＡＰ２ １３２０は、エンド・ユーザ・デバイス１３３０のＭＡＰ２ １３２０への新規の割り当てを承認し、ＭＡＰ２ １３２０が割り当てられたＮＣに、ＭＡＰ２ １３２０がこれからエンド・ユーザ・デバイス１３３０を「所有」する(own)ことを通知する。再度、ＭＡＰ２ １３２０は、エンド・ユーザ・デバイス１３３０から受信した信号の１つ以上の品質指標を測定して、ＭＡＰ２ １３２０が、エンド・ユーザ・デバイス１３３０のためにワイヤレス通信をハンドルするにはＭＡＰ１ １３１０よりも好適であることを確認する。次いで、ＭＡＰ２ １３２０は、メッセージをＭＡＰ１ １３１０に送信して、ＭＡＰ２がこれよりエンド・ユーザ・デバイス１３３０にサービス提供していることを知らせる。最後に、ＭＡＰ１ １３１０は、当初のブロードキャスト・メッセージをＭＡＰ１ １３１０によって受信した近隣のＡＰ（例えば、ＭＡＰ３ １３４０）に対し、エンド・ユーザ・デバイス１３３０がＭＡＰ１ １３１０から接続を断ち、これより、ＭＡＰ２ ３２０に接続されてＭＡＰ２ １３２０によってサービス提供されることをアドバタイズ／ブロードキャストする。
【０１６９】
[00185]  本開示の態様によれば、エンド・ユーザ・デバイス１３３０がこれよりＭＡＰ２ １３２０によってサービス提供されていることを近隣のＡＰに知らせることのブロードキャストを近隣のＡＰがＭＡＰ１ １３１０から一旦受信すると、ＭＡＰ２ １３２０のみがエンド・ユーザ・デバイス１３３０に向けてトラフィックを転送することになる。エンド・ユーザ・デバイス１３３０に向けたトラフィックを受け取る他のＡＰ（例えば、図１３のＭＡＰ１ １３１０およびＭＡＰ３ １３４０）は、それを欠落させることになる。この共有のＳＳＩＤおよび共有のＢＳＳＩＤを実装することの利点は、本開示による移動物体のネットワークが、エンド・ユーザ・デバイス（例えば、エンド・ユーザ・デバイス１３３０）がハンドオーバを実行するときの制御を完全に行うことができるということである。ネットワークは、どのＡＰが、如何なる所与のエンド・ユーザ・デバイスに対してもサービス提供し、また、そのエンド・ユーザ・デバイスが利用可能な最良品質のサービスで常時接続されるのを維持するのに最も好適かについて、何時の時でも感知することができる。本開示の幾らかの態様によれば、全てのＡＰが同一のチャネル上で同一のＢＳＳＩＤを使用して同一のＳＳＩＤをブロードキャストしているときは、範囲内にある全てのＡＰは、例えば、このようなトラフックが範囲内にあるＡＰのうち１つのみしか転送してないとしても、所与のエンド・ユーザ・デバイスによって送信されたトラフィックを受信する。例えば、図１３の例示の構成では、ＭＡＰ２ １３２０がこのようなトラフィックを受信し、これをネットワーク内の宛先または接続済みネットワーク（例えば、インターネット）に向けて転送していたとしても、ＭＡＰ１ １１３０は、エンド・ユーザ・デバイス１３３０によて発生されるトラフィックを尚も見ている。しかしながら、本開示の態様によれば、ＭＡＰ１ １３１０は、エンド・ユーザ・デバイス１３１０から受信した如何なるトラフィックも欠落させる。
【０１７０】
[00186]  図１４は、本開示の種々の実施形態により、共有のＳＳＩＤおよびエンド・ユーザ・デバイスごとの(per)ＢＳＳＩＤを採用した３つのアクセス・ポイントＭＡＰ１ １４１０、ＭＡＰ２ １４２０およびＭＡＰ３ １４４０を有する例示のネットワーク１４００を示す。共有のＳＳＩＤおよびエンド・ユーザ・デバイスごとのＢＳＳＩＤの実装は、図１０から図１３における共有のＳＳＩＤおよび共有のＢＳＳＩＤと幾らかの点で類似している。しかしながら、図１４の構成では、エンド・ユーザ・デバイス（例えば、エンド・ユーザ・デバイス１４３０）とワイヤレスで通信するＡＰ（例えば、ＭＡＰ１ １３１０、ＭＡＰ２ １３２０、ＭＡＰ３ １４４０）によって使用されるＢＳＳＩＤは、ネットワークによってサービス提供されるエンド・ユーザ・デバイスごとに異なる。本開示の態様によれば、各エンド・ユーザ・デバイスにはそれ自体のＢＳＳＩＤが割り当てられ、現在、エンド・ユーザ・デバイスを「所有」しているＡＰに対してのみアクティブである。この機構は、ＡＰの間で管理される。本開示の種々の態様によれば、複数のワイヤレス・ネットワークをサポートするために単一のワイヤレス・ネットワーク・インタフェースの回路を使用すること（ここでは、各ネットワークはそれ自体のＢＢＳＩを使用する。）は、例えば、オペレーティング・システム・コード内のワイヤレス・ネットワーク・インタフェース、および／またはワイヤレス・ネットワーク・インタフェース回路を制御するソフトウェア／ファームウェアを仮想化することによって達成される。
【０１７１】
[00187]  例えば、図１４のＡＰ（ＭＡＰ１ １４１０、ＭＡＰ２ １４２０、ＭＡＰ３ １４４０）は、各ワイヤレス・ネットワーク・インタフェースが同一のＳＳＩＤをブロードキャストするが、サービス提供されているエンド・ユーザ・デバイスごとに異なるＢＳＳＩＤを使用するワイヤレス・ネットワークのセット（例えば、１つ以上のＷｉーＦｉ（ＩＥＥＥ８０２．１１ａ／ｂ／ｇ／ｎ／ａｃ／ａｄ）ネットワーク）をサポートする。本開示の態様によれば、ユーザＡのエンド・ユーザ・デバイス（例えば、エンド・ユーザ・デバイス１４３０）は、エンド・ユーザ・デバイスが検出している（例えば、ＭＡＰ１ １４１０はＳＳＩＤ ＳおよびＢＳＳＩＤ Ｗを送信している。）ワイヤレス・ネットワークのうち１つとの接続を確立するように試行（例えば、認証、連携等）する。このような確立は、一般に、上記の図９〜１３に関して説明したのと類似の手法で進行する。しかしながら、図１４の構成に関し、エンド・ユーザ・デバイス１４３０がＭＡＰ１ １４１０とのワイヤレス接続を確立すると共に、エンド・ユーザ・デバイス１４３０がMAP１ １４１０からのサービスを受けていた後の或る時点において、ＭＡＰ１ １４１０は、エンド・ユーザ・デバイス１４３０とのワイヤレス接続の品質が低下した結果、エンド・ユーザ・デバイス１４１０が受信したワイヤレス信号／サービスはもはや満足なものではないと判定する。これに応じて、ＭＡＰ１ １４１０は、エンド・ユーザ・デバイス１４３０が他のＡＰに移るべきことを決定する。そして、当該決定に応じて、ＭＡＰ１ １４１０は、図１１に関する上記のプロセスで使用されるのと類似の手法で、例えば、第２ワイヤレス・ネットワークを通じて、近隣のＡＰに（例えば、カバレッジ・エリア１４２８を有するＤＳＲＣネットワークを使用してＭＡＰ２ １４２０およびＭＡＰ３ １４４０に）情報をブロードキャストする。しかしながら、これから論じる状況では、第２ワイヤレス・ネットワークを通じたブロードキャストはまた、エンド・ユーザ・デバイス１４３０にワイヤレス・サービスを提供する際に、ＭＡＰ１ １４１０によって現在採用されているＢＳＳＩＤを指示する。
【０１７２】
[00188]  エンド・ユーザ・デバイス１４３０のワイヤレス信号の品質を評価するために、第２ワイヤレス・ネットワークを介して、ＭＡＰ１ １４１０からブロードキャストを受信した近隣のＡＰは、（エンド・ユーザ・デバイス１４３０に現在サービス提供している）ＭＡＰ１ １４１０によって近隣のＡＰへのＢＳＳＩＤのブロードキャストを使用して、ワイヤレス・ネットワーク（例えば、Ｗｉ−Ｆｉネットワーク）を一時的に確立する。本開示の種々の態様によれば、特定の距離範囲（例えば、距離範囲は、エンド・ユーザ・デバイス１４３０および／またはＡＰ（ここでは１つ以上の近隣のＡＰはモバイルＡＰ（ＭＡＰ）である。）の速度に基づいて動的に決定される。）に位置するそれらＡＰ（例えば、ＦＡＰおよび／またはＭＡＰ）のみが、情報を処理する。本開示の態様によれば、各ＡＰはその現在の地理的位置を分かっており、また、近隣のＡＰおよび／またはクラウドとの間でこのような位置情報を共有する結果、ＡＰはそれら自体の位置および近隣のＡＰの位置を決定することができる。特定の距離範囲内にあるそれらＡＰは、特定の短い時間期間にわたり（例えば、ミリ秒、何十ミリ秒、または何百ミリ秒のオーダーで）、エンド・ユーザ・デバイス１４３０にサービス提供する際にＭＡＰ１ １４１０によって現在採用されているＢＳＳＩＤを使用して、一時的なワイヤレス・ネットワークを確立する。この特定の短い時間期間の間に、特定の距離範囲内にある近隣のＡＰは、エンド・ユーザ・デバイス１４３０から受信した信号（例えば、ＲＳＳＩ、ＳＮＲ、エラー・レート等）の品質を測定する。図１５は、本開示の態様による例示のシナリオを示す。ここでは、カバレッジ・エリア１５１を有するサービス提供中のＭＡＰ１ １５１０を介して、エンド・ユーザ・デバイス１５３０に向けられたトラフィックが遮断される（例えば、ＭＡＰ１ １５１０でのＩＰテーブルへの変更が一時的に修正される。）。その一方で、一時的なネットワークが、カバレッジ・エリア１５２５を有する近隣のＭＡＰ２ １５２０で利用可能とされる。
【０１７３】
[00189]  本開示の態様によれば、近隣のＡＰ（例えば、図１４のＭＡＰ２ １４２０またはＭＡＰ３ １４４０）は、エンド・ユーザ・デバイス１４３０から受信した信号についての所定のレベルまたは品質（例えば、ＲＳＳＩ、ＳＮＲ、エラー・レート等）の閾値を近隣のＡＰが少なくとも有すると判定する。これに応じて、近隣のＡＰは次いで、（例えば、第２ワイヤレス・ネットワーク（例えば、ＤＳＲＣ）を介して）ＭＡＰ１ １４１０のブロードキャストに応答することによって、エンド・ユーザ・デバイス１４３０からの信号の品質をＭＡＰ１ １４１０に通知する。本開示の種々の態様によれば、近隣の各ＡＰは、１つ以上の信号品質の閾値を適用して、エンド・ユーザ・デバイスについての特定の受信信号品質の要件が近隣のＡＰに存在しているかを判定する。その後に、第２ワイヤレス・ネットワークでのブロードキャストへの応答が、エンド・ユーザ・デバイスに現在サービス提供しているＡＰに、近隣のＡＰによって送信される。例えば、図１４のコンテキストでは、サービスを提供しているＡＰ（例えば、ＭＡＰ１ 1４１０）のブロードキャストに対し、近隣のＡＰ（例えば、ＭＡＰ２ １４２０、ＭＡＰ３ １４４０）が応答を送信することは、サービスを提供しているＭＡＰ１ １４１０がエンド・ユーザ・デバイス１４３０から受信した信号の現在の品質（例えば、ＲＳＳＩ、ＳＮＲ、エラー・レート等）および／または他の考慮すべき点によって決まる。
【０１７４】
[00190]  例えば、図１４の構成に基づいて、ＭＡＰ１ １４１０は、エンド・ユーザ・デバイス１４３０からの−７０ｄＢの受信信号の強度を現在測定する。当該信号品質測定は、ＭＡＰ１ １４１０によって特定の距離範囲内にある近隣のＡＰ（例えば、ＭＡＰ２ １４２０およびＭＡＰ３ １４４０）に送信されたブロードキャストを伴う。本開示の態様によれば、第２ワイヤレス・ネットワークでのブロードキャストで共有される、ＭＡＰ１ １４１０によって受信されたエンド・ユーザ・デバイス１４３０からの信号の品質におけるその現在の測定値を使用することによって、受信した近隣の各ＡＰ（例えば、ＭＡＰ２ １４２０およびＭＡＰ３ １４４０）は、例えば、エンド・ユーザ・デバイス１４３０からの信号品質の測定値が−８５ｄＢより大きいときに、受信した近隣のＡＰが−６０ｄＢかそれより良い値を測定した場合にのみ応答する。しかしながら、近隣のＡＰは、例えば、ＭＡＰ１ １４１０がエンド・ユーザ・デバイス１４３０から受信した−８５ｄＢ未満の信号の品質（エンド・ユーザ・デバイス１４３０およびサービスを提供しているＭＡＰ１ １４１０の間のワイヤレス接続の失敗が発生することになる信号品質に非常に近いもの）を現在測定しているときは常に応答する。何故ならば、異なるＡＰによるサービスを通じて取得される信号品質（例えば、ＲＳＳＩ、ＳＮＲ、エラー・レート等）について如何なる予期される改良もが、応答と、エンド・ユーザ・デバイス１４３０の新規のサービス提供ＡＰ（例えば、ＭＡＰ２ １４２０またはＭＡＰ３ １４４０）への潜在的な移行と、を保証するからである。
【０１７５】
[00191]  本開示の種々の態様によれば、ＭＡＰ１ １４１０が近隣のＡＰ（例えば、ＭＡＰ２ １４２０および／またはＭＡＰ３ １４４０）からの１つ以上の応答を受信した後に、ＭＡＰ１ １４１０は次いで、最良の品質を有するＭＡＰ１ １４１０からの信号を受信しているＡＰを、応答ＡＰの中から選択する。次いで、ＭＡＰ１ １４１０は、選択された近隣のＡＰ（例えば、ＭＡＰ２ １４２０）に通知する。選択されたＡＰ（例えば、ＭＡＰ２ １４２０）は、第２ワイヤレス・ネットワークを通じてブロードキャストで送信されたＢＳＳＩＤを使用して、ワイヤレス・ネットワークを確立する。このＢＳＳＩＤは、ＭＡＰ１ １４１０でエンド・ユーザ・デバイス１４３０に現在サービス提供しているワイヤレス・ネットワークのＢＳＳＩＤと同一である。選択されたＡＰ（例えば、この例では、ＭＡＰ２ １４２０）でワイヤレス・ネットワークが一旦確立されると、ＭＡＰ１ １４１０は当該ＢＳＳＩＤを使用してそのワイヤレス・ネットワークを欠落させる。その時点で、エンド・ユーザ・デバイス１４３０にワイヤレス・サービスを提供するために、選択されたＡＰ（すなわち、ＭＡＰ２ １４２０）は、ＭＡＰ１ １４１０によって使用されたのと同一のＢＳＳＩＤを使用して、ワイヤレス・ネットワークをサポートしていることになる。つまり、選択されたＡＰ（すなわち、ＭＡＰ２ １４２０）のみが、エンド・ユーザ・デバイス１４３０のためにトラフィックを受信する。
【０１７６】
[00192]  先に示したように、共有のＳＳＩＤおよびユーザ・デバイスごとのＢＳＳＩＤによる本開示の手法の利点は、エンド・ユーザ・デバイス間および／またはＡＰ（例えば、ＭＡＰおよび／またはＦＡＰ）間の干渉を、共有のＳＳＩＤおよび共有のＢＳＳＩＤを採用するワイヤレス・ネットワークを使用したときに生じることになる干渉と比べたときに、低減できるということである。その一方で、共有のＳＳＩＤおよびユーザ・デバイスごとのＢＳＳＩＤによる手法は、ユーザ・デバイスの「所有者」を管理することを必要とするのみならず、幾らかのＷｉ−Ｆｉネットワークの管理も必要となる。何故ならば、理想的には、各ＭＡＰに接続されるユーザ・デバイスと同数のＷｉ−Ｆｉネットワークを各ＭＡＰは有することになるからである。
【０１７７】
[00193]  図１５は、本開示の種々の態様により、２つのアクセス・ポイントＭＡＰ１ １５１０およびＭＡＰ２ １５２０が有するそれぞれのカバレッジ・エリア１５１５，１５２５内に位置するエンド・ユーザ・デバイス１５３０の例示である。図１５の例示では、アクセス・ポイントＭＡＰ１ １５１０は、ユーザＡのエンド・ユーザ・デバイス１５３０との間でエンド・ユーザ・データの通信を現在ハンドルしている。図１５の例は、カバレッジ・エリア１５１５を有するＭＡＰ１ １５１０を介して、エンド・ユーザ・デバイス１５３０に向けられたトラフィックが一時的に遮断され（例えば、ＭＡＰ１ １５１０でのＩＰテーブルへの変更が一時的に修正され）、その一方で、一時的なネットワークが、カバレッジ・エリア１５２５を有する近隣のＭＡＰ２ １２５２０で利用可能とされるというシナリオを示す。ＭＡＰ１ １５１０は、近隣のアクセス・ポイント（例えば、ＭＡＰ２ １５２０）と通信を行い、もしあるとしたらどれがエンド・ユーザ・デバイス１５３０と満足に通信を行うことができるについて判定する。また、エンド・ユーザ・デバイス１５３０との通信をＭＡＰ２ １５２０が引き継ぐことを要求する。本開示の種々の態様によれば、ＭＡＰ１ １５１０およびＭＡＰ２ １５２０のうち１つのみが、どの時点においても、エンド・ユーザ・デバイス１５３０との間でエンド・ユーザ・データを通信することを注記しておく。
【０１７８】
[00194]  図１６Ａ〜図１６Ｂは、本開示の種々の態様により、アクセス・ポイントの動作の例示の方法を例示する。図１６Ａ〜図１６Ｂの方法ステップは、ＡＰ（例えば、図１〜図１５のネットワークおよびシステムを参照して例示または論じた任意のＡＰ）によって実行することができる。
【０１７９】
[00195]  図１６Ａ〜図１６Ｂの方法は、図１６Ａのブロック１６０５から始まる。ブロック１６０５では、本開示によるネットワークの第１アクセス・ポイント（例えば、ＦＡＰまたはＭＡＰ）は、ワイヤレス・カバレッジ・エリア、即ち、本明細書で説明したようなエンド・ユーザ・デバイスとのワイヤレス通信をサポートする領域で使用するために、一意のワイヤレス・ネットワーク識別子を割り振る。第１アクセス・ポイントは、例えば、図８のモバイルＡＰ８４０のようなモバイル・アクセス・ポイントである。次いで、ブロック１６１０では、第１アクセス・ポイントは、少なくとも１つの無線周波数（ＲＦ）インタフェースを使用して、ワイヤレス・ネットワーク識別子をブロードキャストする。このようなＲＦインタフェースは、それぞれが１つ以上のＲＦチャネルおよび対応の通信プロトコルをサポートする２つ以上のＲＦインタフェースを含む。対応の通信プロトコルは、例えば、ＷｉーＦｉおよびＤＳＲＣ通信メソドロジーに使用される無線周波スペクトルおよび通信プロトコルを含む。次に、ブロック１６１５では、第１アクセス・ポイントは、エンド・ユーザ・デバイスから、第１アクセス・ポイントの少なくとも１つのＲＦインタフェースを使用するエンド・ユーザ・デバイスによって、エンド・ユーザ・データの転送のためのワイヤレス接続を開始する信号を受信する。次いで、ブロック１６２０では、第１アクセス・ポイントは、エンド・ユーザ・デバイスにネットワーク・アドレスの割り当てを要求する。このようなネットワーク・アドレスは、例えば、インターネット・プロトコル（ＩＰ）アドレスでもよく、また、ネットワーク・ノード（例えば、図７のネットワーク・コントローラ７１０）によって、エンド・ユーザ・デバイスに割り当てられてもよい。このようなネットワーク・コントローラは、また、第１アクセス・ポイントによってサービス提供されるエンド・ユーザ・デバイスのためにエンド・ユーザ・データをルーティングする責務を有する。
【０１８０】
[00196]  次に、ブロック１６２５では、第１アクセス・ポイントは、要求されたネットワーク・アドレスを受信し、受信したネットワーク識別子をエンド・ユーザ・デバイスに転送する。次いで、ブロック１６３０では、第１アクセス・ポイントは、ネットワーク・アドレスおよびワイヤレス・ネットワーク識別子を使用して、少なくとも１つのＲＦインタフェースを介して、エンド・ユーザ・デバイスによってエンド・ユーザ・データのワイヤレス通信を可能にする。ブロック１６３５では、エンド・ユーザ・デバイスとの通信セッションの間、第１アクセス・ポイントは、少なくとも１つのＲＦインタフェースによって、エンド・ユーザ・デバイスから受信したワイヤレス信号の品質を測定する。そして、ブロック１６４０で、第１アクセス・ポイントは、エンド・ユーザ・デバイスからの信号の品質が満足なものかについて判定する。このような判定は、信号品質（例えば、受信した信号強度指標（ＲＳＳＩ）、信号対ノイズ比（ＳＮＲ）、エラー・レート、または他の好適な測定基準）に関する１つ以上の品質閾値に基づいてもよい。ブロック１６４０では、エンド・ユーザ・デバイスから受信した信号の品質が満足なものであると判定される場合、第１アクセス・ポイントは、上記のブロック１６３０での通信セッションを継続する。しかしながら、ブロック１６４０で、エンド・ユーザ・デバイスから受信した信号の品質が満足なものではないと判定される場合、第１アクセス・ポイントはブロック１６４５に制御を移す。
【０１８１】
[00197]  ブロック１６４５では、第１アクセス・ポイントは、例えば、少なくとも１つのＲＦインタフェースを介して近隣のアクセス・ポイントに対し、エンド・ユーザ・デバイスのワイヤレス・ネットワーク識別子と、少なくとも１つのＲＦインタフェースによってエンド・ユーザ・デバイスから受信した信号の品質と、近隣のアクセス・ポイントでエンド・ユーザ・デバイスから受信した信号の品質の測定についての要求と、をブロードキャストする。このような要求のブロードキャストは、例えば、ＲＦスペクトルおよび通信プロトコルの一部を使用して送信される。ＲＦスペクトルおよび通信プロトコルの一部は、第１アクセス・ポイントと、サービス提供された任意のエンド・ユーザ・デバイスとの間の通信に使用されるＲＦスペクトルおよび通信プロトコルとは異なる。次いで、ブロック１６５０では、第１アクセス・ポイントは、少なくとも１つのＲＦインタフェースを介して近隣のアクセス・ポイントから、エンド・ユーザ・デバイスにの信号品質についての、近隣のアクセス・ポイントによる測定値を受信する。次に、ブロック１６５５では、第１アクセス・ポイントは、エンド・ユーザ・デバイスからの満足のいく品質を有する信号を受信しているそれら近隣のアクセス・ポイントの識別情報(identity)を判定する。本開示の態様によれば、近隣のアクセス・ポイントの各々は、近隣のアクセス・ポイントがエンド・ユーザ・デバイスから受信した信号の品質の評価を実行する。また、当該評価に基づいて、（ブロック１６４５での）ブロードキャスト要求に応答する。ブロック１６６０では、第１アクセス・ポイントは、近隣のアクセス・ポイントからの応答に基づいて、何れの近隣のアクセス・ポイントが、満足のいく品質を有する信号をエンド・ユーザ・デバイスから受信しているかについて判定する。どの近隣のアクセス・ポイントも、満足のいく品質を有する信号をエンド・ユーザ・デバイスから受信していない場合には、上記のブロック１６３０へと続く。しかしながら、１つ以上の近隣のアクセス・ポイントが、満足のいく品質を有する信号をエンド・ユーザ・デバイスから受信した場合には、ブロック１６６５で制御が継続する。
【０１８２】
[00198]  ブロック１６６５では、第１アクセス・ポイントは、少なくとも１つのＲＦインタフェースを介して、特定された近隣のアクセス・ポイント（複数可）のうち選択された１つに対して要求を送信する。要求は、少なくとも１つのＲＦインタフェースを介して、選択されたアクセス・ポイントが、ワイヤレス・ネットワーク識別子を使用してエンド・ユーザ・デバイスにワイヤレス・サービスを提供する。次いで、ブロック１６７０では、第１アクセス・ポイントは、ワイヤレス・ネットワーク識別子と、エンド・ユーザ・デバイスのエンド・ユーザ・データと、の少なくとも１つのＲＦインタフェースを介した第１アクセス・ポイントによる送信を終了する。ネットワーク・コントローラがエンド・ユーザ・デバイスのエンド・ユーザ・データをルーティングする責務を以前に有した一方で、第１アクセス・ポイントによるサービスは、現在サービス提供しているネットワーク・コントローラと異なる場合に、（近隣のアクセス・ポイントのうち）新規に選択されたアクセス・ポイントが割り当てられたネットワーク・コントローラを通じて、エンド・ユーザ・データをルーティングする。その結果、エンド・ユーザ・デバイスのエンド・ユーザ・データの通信を、選択されたアクセス・ポイントが維持するのを可能にする。図１６Ａ〜図１６Ｂの例によれば、第１のクセス・ポイントの制御は、次いで、上記のブロック１６０５に続く。
【０１８３】
[00199]  本開示の種々の態様は、移動物体のネットワークにおける複数のアクセス・ポイントを動作させる方法において見られる。複数のアクセス・ポイントの各アクセス・ポイントは、少なくとも１つの無線周波数（ＲＦ）インタフェースを備え、該ＲＦインタフェースが、複数のエンド・ユーザ・デバイスによる相互の、および前記移動物体のネットワークにアクセス可能なリモート・リソースとの無線モバイル通信を可能にしてもよい。このような方法は、複数のアクセス・ポイントのうち第１アクセス・ポイントで実行されてもよい。本方法は、複数のエンド・ユーザ・デバイスとの通信のために第１アクセス・ポイントによってサポートされるワイヤレス・ネットワーク・アクセスの領域を表すネットワーク識別子を割り当てるステップと、第１アクセス・ポイントの少なくとも１つのＲＦインタフェースを使用して、ネットワーク識別子をブロードキャストするステップと、を含んでもよい。本方法はまた、第１エンド・ユーザ・デバイスによる要求を表す信号を、少なくとも１つのＲＦインタフェースを使用して複数のエンド・ユーザ・デバイスのうち第１エンド・ユーザ・デバイスから受信して、第1アクセス・ポイントを介した第１エンド・ユーザ・データの通信を構成するワイヤレス接続を確立するステップを含んでもよい。本方法は、複数のアクセス・ポイントを介して、また、移動物体のネットワークを通じて、第１エンド・ユーザ・データの通信を可能にするために、第１エンド・ユーザ・デバイスへのネットワーク・アドレスの割り振りを要求してもよい。また、ネットワーク識別子およびネットワーク・アドレスを使用して、第１アクセス・ポイントを介して第１エンド・ユーザ・デバイスの第１エンド・ユーザ・データをワイヤレスで通信してもよい。本方法はまた、第１アクセス・ポイントによって、少なくとも１つのＲＦインタフェースと第１エンド・ユーザ・デバイスの間のワイヤレス通信の品質が特定の品質閾値より高いかを判定してもよい。
【０１８４】
[00200]  本開示の態様によれば、少なくとも１つのＲＦインタフェースと第１エンド・ユーザ・デバイスの間のワイヤレス通信の品質が特定の品質閾値より高い場合には、本方法は、引き続き、ネットワーク識別子およびネットワーク・アドレスを使用して、第１アクセス・ポイントを介して第１エンド・ユーザ・デバイスの第１エンド・ユーザ・データをワイヤレスで通信し、また、第１アクセス・ポイントによって、少なくとも１つのＲＦインタフェースと第１エンド・ユーザ・デバイスの間のワイヤレス通信の品質が特定の品質閾値より高いかを判定してもよい。少なくとも１つのＲＦインタフェースと第１エンド・ユーザ・デバイスの間のワイヤレス通信の品質が特定の品質閾値より高くない場合には、本方法は、１つ以上の近隣のアクセス・ポイントのうち特定の１つのアクセス・ポイントの選択を実行し、第１エンド・ユーザ・データの第１エンド・ユーザ・デバイスとの通信を開始することを前記特定のアクセス・ポイントに要求する通知を、特定のアクセス・ポイントに送信し、そして、第１アクセス・ポイントによって、第１エンド・ユーザ・データの第１エンド・ユーザ・デバイスとの通信を終了してもよい。
【０１８５】
[00201]  本開示の態様によれば、複数のアクセス・ポイントが、それぞれのアクセス・ポイントに知られた固定の地理的位置にあるアクセス・ポイントと、移動体である車両に備え付けれ、それぞれのアクセス・ポイントに知られた現在の地理的位置にあるアクセス・ポイントと、を含んでもよい。割り当てられたネットワーク識別子は、移動物体のネットワーク内の全てのアクセス・ポイントに同一でもよく、また、割り当てられたネットワーク識別子は、移動物体のネットワークによってサービス提供される各エンド・ユーザ・デバイスに一意でもよい。記ネットワーク識別子は、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含んでもよい。第１エンド・ユーザ・データの第１エンド・ユーザ・デバイスとの通信を開始することを特定のアクセス・ポイントに要求する通知が送信されたときに、ネットワーク識別子が特定のアクセス・ポイントに転送されてもよい。ネットワーク・アドレスが、移動物体のネットワークにおけるノードによってエンド・ユーザ・デバイスに割り当てられたインターネット・プロトコル（ＩＰ）アドレスでもよく、ノードによって特定のエンド・ユーザ・デバイスに割り当てられたＩＰアドレスにしたがって特定のエンド・ユーザ・デバイスに向けてエンド・ユーザ・データをルーティングする。
【０１８６】
[00202]  本開示の種々の態様による方法において、１つ以上の近隣のアクセス・ポイントのうち特定の１つのアクセス・ポイントを選択することが、１つ以上の近隣のアクセス・ポイントで為される第１エンド・ユーザ・デバイスのワイヤレス通信の品質についての各測定値を第１アクセス・ポイントに提供するための要求を、少なくとも１つのＲＦインタフェースを介して複数のアクセス・ポイントのうち１つ以上のアクセス・ポイントに送信することを含んでもよい。本方法はまた、第１エンド・ユーザ・デバイスのワイヤレス通信の品質についての測定値を、第１アクセス・ポイントにおける１つ以上の近隣のアクセス・ポイントから受信し、第１エンド・ユーザ・デバイスのワイヤレス接続についての受信した品質の測定値に基づいて、１つ以上の近隣のアクセス・ポイントのうち特定の１つのアクセス・ポイントを選択する、ことを含んでもよい。1つ以上の近隣のアクセス・ポイントが、第１アクセス・ポイントの地理的位置に基づいて、複数のアクセス・ポイントから選択されてもよい。複数のアクセス・ポイントの各アクセス・ポイントが、その地理的位置を、複数のアクセス・ポイントのうち残りのアクセス・ポイントとの間で共有してもよい。複数のアクセス・ポイントと複数のエンド・ユーザ・デバイスの間のワイヤレス通信が、第１無線周波数チャネルおよび第１通信プロトコルを使用し、第１アクセス・ポイントおよび１つ以上の近隣のアクセス・ポイントの間のワイヤレス通信が、第２無線周波数チャネルおよび第２通信プロトコルを使用する。
【０１８７】
[00203]  本開示の追加の態様は、複数のコード部を格納して有する非一時的コンピュータ可読媒体において認められる。実行可能命令は、１つ以上のプロセッサに、移動物体のネットワークにおける複数のアクセス・ポイントを動作させる方法を実行させる。ここでは、複数のアクセス・ポイントの各アクセス・ポイントが、少なくとも１つの無線周波数（ＲＦ）インタフェースを備える。ＲＦインタフェースは、複数のエンド・ユーザ・デバイスによる相互の、および移動物体のネットワークにアクセス可能なリモート・リソースとのワイヤレス・モバイル通信を可能にする。このような方法が有するステップは上記のとおりである。
【０１８８】
[00204]  本開示の追加の態様は、複数のアクセス・ポイントを備える移動物体のネットワークが有するアクセス・ポイントのためのシステムにおいて認められる。本システムは、少なくとも１つの無線周波数（ＲＦ）インタフェースに動作可能に結合される１つ以上のプロセッサを備える。ＲＦインタフェースが、複数のエンド・ユーザ・デバイスによる相互の、および移動物体のネットワークにアクセス可能なリモート・リソースとのワイヤレス・モバイル通信を可能にする。１つ以上のプロセッサは、少なくとも、上記の方法におけるステップを実行するように動作可能である。
【０１８９】
[00205]  本開示の種々の態様によれば、本明細書において紹介したネットワークおよび／またはそのコンポーネントの例には、"Communication Network of Moving Things"（移動物体の通信ネットワーク）と題し、２０１５年９月２２日に出願された米国仮特許出願第６２／２２１，１９２号に示されている。この特許出願をここで引用したことにより、その内容全体が本願にも含まれるものとする。
【０１９０】
[00206]  本開示の種々の態様によれば、本明細書において紹介したネットワークおよび／またはそのコンポーネントには、このようなネットワークおよび／またはコンポーネントを他のネットワークおよびシステムと統合するシステムおよび方法が提供され、その非限定的な例が、”Integrated Communication Network for A Network of Moving Things"（移動物体のネットワークのための統合通信ネットワーク）と題し、２０１５年９月２２日に出願された米国仮特許出願第６２／２２１，９９７号に示されている(provide)。この特許出願をここで引用したことにより、その内容全体が本願にも含まれるものとする。
【０１９１】
[00207]  また、本開示の種々の態様によれば、本明細書において紹介したネットワークおよび／またはそのコンポーネントには、このようなネットワークおよび／またはコンポーネントを同期させるシステムおよび方法が提供され、その非限定的な例が、"Systems and Methods for Synchronizing a Network of Moving Things"（移動物体のネットワークを同期させるシステムおよび方法）と題し、２０１５年９月２２に出願された米国仮特許出願第６２／２２２，０１６号に示されている。この特許出願をここで引用したことにより、その内容全体が本願にも含まれるものとする。
【０１９２】
[00208]  加えて、本開示の種々の態様によれば、本明細書において紹介したネットワークおよび／またはそのコンポーネントには、このようなネットワークおよび／またはコンポーネントを管理するシステムおよび方法が提供され、その非限定的な例が、"Systems and Methods for Managing a Network of Moving Things"（移動物体のネットワークを管理するシステムおよび方法）と題し、２０１５年９月２２日に出願された米国仮特許出願第６２／２２２，０４２号に示されている。この特許出願をここで引用したことにより、その内容全体が本願にも含まれるものとする。
【０１９３】
[00209]  更に、本開示の種々の態様によれば、本明細書において紹介したネットワークおよび／またはそのコンポーネントには、このようなネットワークおよび／またはコンポーネントを監視するシステムおよび方法が提供され、その非限定的な例が、"Systems and Methods for Monitoring a Network of Moving Things"（移動物体のネットワークを監視するシステムおよび方法）と題し、２０１５年９月２２に出願された米国仮特許出願第６２／２２２，０６６号に示されている。この特許出願をここで引用したことにより、その内容全体が本願にも含まれるものとする。
【０１９４】
[00210]  更にまた、本開示の種々の態様によれば、本明細書において紹介したネットワークおよび／またはそのコンポーネントには、このようなネットワークおよび／またはコンポーネントにおいて異常を検出および／または分類するシステムおよび方法が提供され、その非限定的な例が、"Systems and Methods for Detecting and Classifying Anomalies in a Network of Moving Things"（移動物体のネットワークにおいて異常を検出し分類するシステムおよび方法）と題し、２０１５年９月２２に出願された米国仮特許出願第６２／２２２，０７７号に示されている。この特許出願をここで引用したことにより、その内容全体が本願にも含まれるものとする。
【０１９５】
[00211]  更にまた、本開示の種々の態様によれば、本明細書において紹介したネットワークおよび／またはそのコンポーネントには、このようなネットワークおよび／またはコンポーネントにおいて移動性を管理するシステムおよび方法が提供され、その非限定的な例が、"Systems and Methods for Managing Mobility in a Network of Moving Things"（移動物体のネットワークにおいて移動性を管理するシステムおよび方法）と題し、２０１５年９月２２に出願された米国仮特許出願第６２／２２２，０９８号に示されている。この特許出願をここで引用したことにより、その内容全体が本願にも含まれるものとする。
【０１９６】
[00212]  また、本開示の種々の態様によれば、本明細書において紹介したネットワークおよび／またはそのコンポーネントには、このようなネットワークおよび／またはコンポーネントにおいて接続(connectivity)を管理するシステムおよび方法が提供され、その非限定的な例が、"Systems and Methods for Managing Connectivity a Network of Moving Things"（移動物体のネットワークにおける接続を管理するシステムおよび方法）と題し、２０１５年９月２２に出願された米国仮特許出願第６２／２２２，１２１号に示されている。この特許出願をここで引用したことにより、その内容全体が本願にも含まれるものとする。
【０１９７】
[00213]  加えて、本開示の種々の態様によれば、本明細書において紹介したネットワークおよび／またはそのコンポーネントには、このようなネットワークおよび／またはコンポーネントにおいてセンサ・データを収集するシステムおよび方法が提供され、その非限定的な例が、"Systems and Methods for Collecting Sensor Data in a Network of Moving Things"（移動物体のネットワークにおいてセンサ・データを収集するシステムおよび方法）と題し、２０１５年９月２２日に出願された米国仮特許出願第６２／２２２，１３５号に示されている。この特許出願をここで引用したことにより、その内容全体が本願にも含まれるものとする。
【０１９８】
[00214]  更に、本開示の種々の態様によれば、本明細書において紹介したネットワークおよび／またはそのコンポーネントには、このようなネットワークおよび／またはコンポーネントとインタフェースするシステムおよび方法が提供され、その非限定的な例が、"Systems and Methods for Interfacing with a Network of Moving Things"（移動物体のネットワークとインタフェースするシステムおよび方法）と題し、２０１５年９月２２日に出願された米国仮特許出願第６２／２２２，１４５号に示されている。この特許出願をここで引用したことにより、その内容全体が本願にも含まれるものとする。
【０１９９】
[00215]  更にまた、本開示の種々の態様によれば、本明細書において紹介したネットワークおよび／またはそのコンポーネントには、このようなネットワークおよび／またはコンポーネントのユーザとインタフェースするシステムおよび方法が提供され、その非限定的な例が、"Systems and Methods for Interfacing with a User of a Network of Moving Things"（移動物体のネットワークのユーザとインタフェースするシステムおよび方法）と題し、２０１５年９月２２日に出願された米国仮特許出願第６２／２２２，１５０号に示されている。この特許出願をここで引用したことにより、その内容全体が本願にも含まれるものとする。
【０２００】
[00216]  更にまた、本開示の種々の態様によれば、本明細書において紹介したネットワークおよび／またはそのコンポーネントには、このようなネットワークおよび／またはコンポーネントにおけるデータ格納および処理システムおよび方法が提供され、その非限定的な例が、"Systems and Methods for Data Storage and Processing for a Network of Moving Things"（移動物体のネットワーク用のデータ・ストレージおよび処理システムおよび方法）と題し、２０１５年９月２２日に出願に出願された米国仮特許出願第６２／２２２，１６８号に示されている。この特許出願をここで引用したことにより、その内容全体が本願にも含まれるものとする。
【０２０１】
[00217]  また、本開示の種々の態様によれば、本明細書において紹介したネットワークおよび／またはそのコンポーネントには、このようなネットワークおよび／またはコンポーネントにおける車両交通管理システムおよび方法が提供され、その非限定的な例が、"Systems and Methods for Vehicle Traffic Management in a Network of Moving Things"（移動物体のネットワークにおける車両交通管理システムおよび方法）と題し、２０１５年９月２２日に出願された米国仮特許出願第６２／２２２，１８３号に示されている。この特許出願をここで引用したことにより、その内容全体が本願にも含まれるものとする。
【０２０２】
[00218]  加えて、本開示の種々の態様によれば、本明細書において紹介したネットワークおよび／またはそのコンポーネントには、このようなネットワークおよび／またはコンポーネントにおける環境管理システムおよび方法が提供され、その非限定的な例が、"Systems and Methods for Environmental Management in a Network of Moving Things"（移動物体のネットワークにおける環境管理システムおよび方法）と題し、２０１５年９月２２日に出願された米国仮特許出願第６２／２２２，１８６号に示されている。この特許出願をここで引用したことにより、その内容全体が本願にも含まれるものとする。
【０２０３】
[00219]  更に、本開示の種々の態様によれば、本明細書において紹介したネットワークおよび／またはそのコンポーネントには、このようなネットワークおよび／またはコンポーネントにおいて湾港または出荷作業を管理するシステムおよび方法が提供され、その非限定的な例が、"Systems and Methods for Port Management in a Network of Moving Things"（移動物体のネットワークにおけるポート管理システムおよび方法）と題し、２０１５年９月２２日に出願に出願された米国仮特許出願第６２／２２２，１９０号に示されている。この特許出願をここで引用したことにより、その内容全体が本願にも含まれるものとする。
【０２０４】
[00220]  また、開示の種々の態様によれば、本明細書において紹介したネットワークおよび／またはそのコンポーネントには、少なくとも部分的に履歴データに基づいて測位または位置情報の精度を高めるシステムおよび方法が提供され、その非限定的な例が、"Utilizing Historical Data to Correct GPS Data in a Network of Moving Things"（移動物体のネットワークにおいてＧＰＳデータを補正するための履歴データの利用）と題し、２０１５年１０月２２日に出願された米国仮特許出願第６２／２４４，８２８号に示されている。この特許出願をここで引用したことにより、その内容全体が本願にも含まれるものとする。
【０２０５】
[00221]  加えて、本開示の種々の態様によれば、本明細書において紹介したネットワークおよび／またはそのコンポーネントには、少なくとも部分的にアンカーの利用に基づいて測位または位置情報の位置(position or location)の精度を高めるシステムおよび方法が提供され、その非限定的な例が、"Using Anchors to Correct GPS Data in a Network of Moving Things"（移動物体のネットワークにおいてＧＰＳデータを補正するためのアンカーの使用）と題し、２０１５年１０月２２日に出願された米国仮特許出願第６２／２４４，９３０号に示されている。この特許出願をここで引用したことにより、その内容全体が本願にも含まれるものとする。
【０２０６】
[00222]  更に、本開示の種々の態様によれば、本明細書において紹介したネットワークおよび／またはそのコンポーネントには、アプリケーション間で通信を行うシステムおよび方法が提供され、その非限定的な例が、"Systems and Methods for Inter-Application Communication in a Network of Moving Things"（移動物体のネットワークにおけるアプリケーション間通信システムおよび方法）と題し、２０１５年１０月２６日に出願された米国仮特許出願第６２／２４６，３６８号に示されている。この特許出願をここで引用したことにより、その内容全体が本願にも含まれるものとする。
【０２０７】
[00223]  更にまた、開示の種々の態様によれば、本明細書において紹介したネットワークおよび／またはそのコンポーネントには、通信を精査し、分析し、および／または有効性を判断するシステムおよび方法が提供され、その非限定的な例が、"Systems and Methods for Probing and Validating Communication in a Network of Moving Things"（移動物体のネットワークにおいて通信を精査し有効性を確認するシステムおよび方法）と題し、２０１５年１０月２６日に出願された米国仮特許出願第６２／２４６，３７２号に示されている。この特許出願をここで引用したことにより、その内容全体が本願にも含まれるものとする。
【０２０８】
[00224]  更にまた、本開示の種々の態様によれば、本明細書において紹介したネットワークおよび／またはそのコンポーネントには、通信速度を適応させるシステムおよび方法が提供され、その非限定的な例が、"Adaptive Rate Control for Vehicular Networks"（車両用ネットワークの適応速度制御）と題し、２０１５年１１月４日に出願された米国仮特許出願第６２／２５０，５４４号に示されている。この特許出願をここで引用したことにより、その内容全体が本願にも含まれるものとする。
【０２０９】
[00225]  また、本開示の種々の態様によれば、本明細書において紹介したネットワークおよび／またはそのコンポーネントには、ハードウェアを再構成および適応させるシステムおよび方法が提供され、その非限定的な例が、"Systems and Methods for Reconfiguring and Adapting Hardware in a Network of Moving Things"（移動物体のネットワークにおいてハードウェアを再構成し適応させるシステムおよび方法）と題し、２０１５年１２月３１日に出願された米国仮特許出願第６２／２７３，８７８号に示されている。この特許出願をここで引用したことにより、その内容全体が本願にも含まれるものとする。
【０２１０】
[00226]  加えて、本開示の種々の態様によれば、本明細書において紹介したネットワークおよび／またはそのコンポーネントには、データの収集を最適化するシステムおよび方法が提供され、その非限定的な例が、"Systems and Methods for Optimizing Data Gathering in a Network of Moving Things"（移動物体のネットワークにおいてデータ収集を最適化するシステムおよび方法）と題し、２０１５年１１月１０日に出願された米国仮特許出願第６２／２５３，２４９号に示されている。この特許出願をここで引用したことにより、その内容全体が本願にも含まれるものとする。
【０２１１】
[00227]  更に、本開示の種々の態様によれば、本明細書において紹介したネットワークおよび／またはそのコンポーネントには、遅延耐性ネットワーキングを実行するシステムおよび方法が提供され、その非限定的な例が、"Systems and Methods for Delay Tolerant Networking in a Network of Moving Things"（移動物体のネットワークにおける遅延耐性ネットワーキング・システムおよび方法）と題し、２０１５年１１月１９日に出願された米国仮特許出願第６２／２５７，４２１号に示されている。この特許出願をここで引用したことにより、その内容全体が本願にも含まれるものとする。
【０２１２】
[00228]  更にまた、本開示の種々の態様によれば、本明細書において紹介したネットワークおよび／またはそのコンポーネントには、モバイル・アクセス・ポイントのカバレッジおよびスループットを改善するシステムおよび方法が提供され、その非限定的な例が、"Systems and Methods for Improving Coverage and Throughput of Mobile Access Points in a Network of Moving Things"（移動物体のネットワークにおいてモバイル・アクセス・ポイントのカバレッジおよびスループットを改善するシステムならびに方法）と題し、２０１５年１２月９日に出願された米国仮特許出願第６２／２６５，２６７号に示されている。この特許出願をここで引用したことにより、その内容全体が本願にも含まれるものとする。
【０２１３】
[00229]  更にまた、本開示の種々の態様によれば、本明細書において紹介したネットワークおよび／またはそのコンポーネントには、チャネル利用を調整するシステムおよび方法が提供され、その非限定的な例が、"Channel Coordination in a Network of Moving Things"（移動物体のネットワークにおけるチャネル調整）と題し、２０１５年１２月２２日に出願された米国仮特許出願第６２／２７０，８５８号に示されている。この特許出願をここで引用したことにより、その内容全体が本願にも含まれるものとする。
【０２１４】
[00230]  また、本開示の種々の態様によれば、本明細書において紹介したネットワークおよび／またはそのコンポーネントには、移動物体のネットワークにおいてネットワーク・コード化メッシュ・ネットワークを実現するシステムおよび方法が提供され、その非限定的な例が、"Systems and Methods for Network Coded Mesh Networking in a Network of Moving Things"（移動物体のネットワークにおけるネットワーク・コード化メッシュ・ネットワーキング・システムおよび方法）と題し、２０１５年１１月２０日に出願された米国仮特許出願第６２／２５７，８５４号に示されている。この特許出願をここで引用したことにより、その内容全体が本願にも含まれるものとする。
【０２１５】
[00231]  加えて、本開示の種々の態様によれば、本明細書において紹介したネットワークおよび／またはそのコンポーネントには、固定アクセス・ポイントのカバレッジを改善するシステムおよび方法が提供され、その非限定的な例が、"Systems and Methods for Improving Fixed Access Point Coverage in a Network of Moving Things"（移動物体のネットワークにおいて固定アクセス・ポイント・カバレッジを改善するシステムおよび方法）と題し、２０１５年１１月３０日に出願された米国仮特許出願第６２／２６０，７４９号に示されている。この特許出願をここで引用したことにより、その内容全体が本願にも含まれるものとする。
【０２１６】
[00232]  更に、本開示の種々の態様によれば、本明細書において紹介したネットワークおよび／またはそのコンポーネントには、移動性コントローラおよびそれらのネットワーク相互作用を管理するシステムおよび方法を提供され、その非限定的な例が、"Systems and Methods for Managing Mobility Controllers and Their Network Interactions in a Network of Moving Things"（移動物体のネットワークにおいて移動性コントローラおよびそれらのネットワーク相互作用を管理するシステムならびに方法）と題し、２０１５年１２月３１日に出願された米国仮特許出願第６２／２７３，７１５号に示されている。この特許出願をここで引用したことにより、その内容全体が本願にも含まれるものとする。
【０２１７】
[00233]  更にまた、本開示の種々の態様によれば、本明細書において紹介したネットワークおよび／またはそのコンポーネントには、モバイル・アクセス・ポイントのハンドオーバを管理および／またはトリガするシステムおよび方法が提供され、その非限定的な例が、"Systems and Methods for Managing and Triggering Handovers of Mobile Access Points in a Network of Moving Things"（移動物体のネットワークにおけるモバイル・アクセス・ポイントのハンドオーバを管理およびトリガするシステムならびに方法）と題し、２０１６年１月２１に出願された米国仮特許出願第６２／２８１，４３２号に示されている。この特許出願をここで引用したことにより、その内容全体が本願にも含まれるものとする。
【０２１８】
[00234]  更にまた、本開示の種々の態様によれば、本明細書において紹介したネットワークおよび／またはそのコンポーネントには、キャプティブ・ポータル関連制御および管理を実行するシステムおよび方法が提供され、その非限定的な例が、"Captive Portal-related Control and Management in a Network of Moving Things"（移動物体のネットワークにおけるキャプティブ・ポータル関連制御および管理）と題し、２０１５年１２月１６日に出願された米国仮特許出願第６２／２６８，１８８号に示されている。この特許出願をここで引用したことにより、その内容全体が本願にも含まれるものとする。
【０２１９】
[002358]  また、本開示の種々の態様によれば、本明細書において紹介したネットワークおよび／またはそのコンポーネントには、高価値データを推定するシステムおよび方法が提供され、その非限定的な例が、"Systems and Methods to Extrapolate High- Value Data from a Network of Moving Things"（移動物体のネットワークからの高価値データを推定するシステムおよび方法）と題し、２０１５年１２月２２日に出願された米国仮特許出願第６２／２７０，６７８号に示されている。この特許出願をここで引用したことにより、その内容全体が本願にも含まれるものとする。
【０２２０】
[00236]  加えて、本開示の種々の態様によれば、本明細書において紹介したネットワークおよび／またはそのコンポーネントには、リモート・ソフトウェア更新および流通を行うシステムおよび方法が提供され、その非限定的な例が、"Systems and Methods for Remote Software Update and Distribution in a Network of Moving Things"（移動物体のネットワークにおけるリモート・ソフトウェア更新および流通システムならびに方法）と題し、２０１５年１２月３０日に出願された米国仮特許出願第６２／２７２，７５０号に示されている。この特許出願をここで引用したことにより、その内容全体が本願にも含まれるものとする。
【０２２１】
[00237]  更に、本開示の種々の態様によれば、本明細書において紹介したネットワークおよび／またはそのコンポーネントには、リモート構成更新および流通を行うシステムおよび方法が提供され、その非限定的な例が、"Systems and Methods for Remote Configuration Update and Distribution in a Network of Moving Things"（移動物体のネットワークにおけるリモート構成更新および流通システムならびに方法）と題し、２０１６年１月１４日に出願された米国仮特許出願第６２／２７８，６６２号に示されている。この特許出願をここで引用したことにより、その内容全体が本願にも含まれるものとする。
【０２２２】
[00238]  更にまた、本開示の種々の態様によれば、本明細書において紹介したネットワークおよび／またはそのコンポーネントには、ユーザ・フィードバックに基づいて、例えば自動的に、ネットワークを適応させるシステムおよび方法が提供され、その非限定的な例が、"Systems and Methods for Adapting a Network of Moving Things Based on User Feedback"（ユーザ・フィードバックに基づいて移動物体のネットワークを適応させるシステムおよび方法）と題し、２０１６年１月２２日に出願された米国仮特許出願第６２／２８６，２４３号に示されている。この特許出願をここで引用したことにより、その内容全体が本願にも含まれるものとする。
【０２２３】
[00239]  更にまた、本開示の種々の態様によれば、本明細書において紹介したネットワークおよび／またはそのコンポーネントには、データ分析を構築または実行するときにデータの完全性を高めるおよび／または保証するシステムおよび方法が提供され、その非限定的な例が、"Systems and Methods to Guarantee Data Integrity When Building Data Analytics in a Network of Moving Things"（移動物体のネットワークにおいてデータ分析を構築するときにデータの完全性を保証するシステムおよび方法）と題し、２０１６年１月１４日付けの米国仮特許出願第６２／２７８，７６４号に示されている。この特許出願をここで引用したことにより、その内容全体が本願にも含まれるものとする。
【０２２４】
[00240]  また、本開示の種々の態様によれば、本明細書において紹介したネットワークおよび／またはそのコンポーネントには、モバイル・アクセス・ポイントの自己初期化および／または自動ブートストラップを実行するシステムおよび方法が提供され、その非限定的な例が、"Systems and Methods for Self-Initialization and Automated Bootstrapping of Mobile Access Points in a Network of Moving Things"（移動物体のネットワークにおけるモバイル・アクセス・ポイントの自己初期化および自動ブートストラップを行うシステムならびに方法）と題し、２０１６年１月２５日に出願された米国仮特許出願第６２／２８６，５１５号に示されている。この特許出願をここで引用したことにより、その内容全体が本願にも含まれるものとする。
【０２２５】
[00241]  加えて、本開示の種々の態様によれば、本明細書において紹介したネットワークおよび／またはそのコンポーネントには、電力供給および／または利用を管理するシステムおよび方法が提供され、その非限定的な例が、"Systems and Methods for Power Management in a Network of Moving Things"（移動物体のネットワークにおける電力管理システムおよび方法）と題し、２０１６年２月１６日に出願された米国仮特許出願第６２／２９５，６０２号に示されている。この特許出願をここで引用したことにより、その内容全体が本願にも含まれるものとする。
【０２２６】
[00242]  更に、本開示の種々の態様によれば、本明細書において紹介したネットワークおよび／またはそのコンポーネントには、インフラストラクチャの設置および設定を自動化および簡易化するシステムおよび方法が提供され、その非限定的な例が、"Systems and Methods for Automating and Easing the Installation and Setup of the Infrastructure Supporting a Network of Moving Things"（移動物体のネットワークをサポートするインフラストラクチャの設置および設定を自動化および易化するためのシステムおよび方法）と題し、２０１６年２月２４日に出願された米国仮特許出願第６２／２９９，２６９号に示されている。この特許出願をここで引用したことにより、その内容全体が本願にも含まれるものとする。
【０２２７】
[00243]  要約すると、本開示の種々の態様は、例えば、モバイル・ノードおよび静的ノードの組み合わせを備えるモバイル・ノードのネットワークをサポートするネットワーク・アーキテクチャ、システムおよび方法を提供する。非限定的な例として、本開示の種々の態様は、静止ノードおよび移動中の通信ノードを備える、動的に構成可能な通信ネットワーク（例えば、移動物体のインターネット）をサポートするためのネットワーク・アーキテクチャ、システムおよび方法を提供する。以上では、特定の態様および例を参照しながら説明したが、本開示の範囲から逸脱することなく、種々の変更を行うことができ、均等物と交換できることは、当業者には理解されよう。加えて、特定の状況または材料を本開示の教示に、その範囲から逸脱することなく、適応させるために、多くの変更を行うこともできる。したがって、本開示は、開示した特定の例（１つまたは複数）に限定されるのではなく、本開示は、添付する請求項の範囲内に該当する全ての例を含むことを意図している。
【図１】
2019515546.tif 000003
【図２】
2019515546.tif 000004
【図３】
2019515546.tif 000005
【図４】
2019515546.tif 000006
【図５Ａ】
2019515546.tif 000007
【図５Ｂ】
2019515546.tif 000008
【図５Ｃ】
2019515546.tif 000009
【図６】
2019515546.tif 000010
【図７】
2019515546.tif 000011
【図８】
2019515546.tif 000012
【図９】
2019515546.tif 000013
【図１０】
2019515546.tif 000014
【図１１】
2019515546.tif 000015
【図１２】
2019515546.tif 000016
【図１３】
2019515546.tif 000017
【図１４】
2019515546.tif 000018
【図１５】
2019515546.tif 000019
【図１６Ａ】
2019515546.tif 000020
【図１６Ｂ】
2019515546.tif 000021
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
移動物体のネットワークにおける複数のアクセス・ポイントを動作させる方法において、
前記複数のアクセス・ポイントが少なくとも１つの無線周波数（ＲＦ）インタフェースを備え、該ＲＦインタフェースが、複数のエンド・ユーザ・デバイスによる相互の、および前記移動物体のネットワークにアクセス可能なリモート・リソースとのワイヤレス・モバイル通信を可能にし、当該方法が、
前記複数のアクセス・ポイントのうち第１アクセス・ポイントにおいて、
前記複数のエンド・ユーザ・デバイスとの通信のために前記第１アクセス・ポイントによってサポートされるワイヤレス・ネットワーク・アクセスの領域を表すネットワーク識別子を割り当てるステップと、
前記第１アクセス・ポイントの前記少なくとも１つのＲＦインタフェースを使用して、前記ネットワーク識別子をブロードキャストするステップと、
前記第１エンド・ユーザ・デバイスによる要求を表す信号を、前記少なくとも１つのＲＦインタフェースを使用して前記複数のエンド・ユーザ・デバイスのうち第１エンド・ユーザ・デバイスから受信して、前記第１アクセス・ポイントを介した第１エンド・ユーザ・データの通信を構成するワイヤレス接続を確立するステップと、
前記複数のアクセス・ポイントを介して、また、前記移動物体のネットワークを通じて、前記第１エンド・ユーザ・データの通信を可能にするために、前記第１エンド・ユーザ・デバイスへのネットワーク・アドレスの割り振りを要求するステップと、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信するステップと、
前記第１アクセス・ポイントによって、前記少なくとも１つのＲＦインタフェースおよび前記第１エンド・ユーザ・デバイスの間のワイヤレス通信の品質が特定の品質閾値より高いかを判定するステップと、
前記少なくとも１つのＲＦインタフェースおよび前記第１エンド・ユーザ・デバイスの間のワイヤレス通信の品質が前記特定の品質閾値より高い場合に、引き続き、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高くない場合には、
前記１つ以上の近隣のアクセス・ポイントのうち特定の１つのアクセス・ポイントを選択し、
前記第１エンド・ユーザ・データの前記第１エンド・ユーザ・デバイスとの通信を開始することを前記特定のアクセス・ポイントに要求する通知を、前記特定のアクセス・ポイントに送信し、
前記第１アクセス・ポイントによって、前記第１エンド・ユーザ・データの前記第１エンド・ユーザ・デバイスとの通信を終了する、
ことを実行する、ステップと、
を含む、方法。
【請求項２】
請求項１記載の方法において、前記複数のアクセス・ポイントが、それぞれの前記アクセス・ポイントに知られた固定の地理的位置にあるアクセス・ポイントと、移動体である車両に備え付けれ、前記それぞれのアクセス・ポイントに知られた現在の地理的位置にあるアクセス・ポイントと、を含む、方法。
【請求項３】
前記割り当てられたネットワーク識別子が、前記移動物体のネットワーク内の全てのアクセス・ポイントに同一である、請求項１記載の方法。
【請求項４】
前記割り当てられたネットワーク識別子が、前記移動物体のネットワークによってサービス提供される各エンド・ユーザ・デバイスに一意である、請求項１記載の方法。
【請求項５】
請求項１記載の方法において、前記ネットワーク識別子が、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含む、方法。
【請求項６】
請求項１記載の方法において、前記第１エンド・ユーザ・データの前記第１エンド・ユーザ・デバイスとの通信を開始することを前記特定のアクセス・ポイントに要求する前記通知が送信されたときに、前記ネットワーク識別子が前記特定のアクセス・ポイントに転送される、方法。
【請求項７】
請求項１記載の方法において、前記ネットワーク・アドレスが、前記移動物体のネットワークにおけるノードによって前記エンド・ユーザ・デバイスに割り当てられたインターネット・プロトコル（ＩＰ）アドレスであり、前記ノードによって前記特定のエンド・ユーザ・デバイスに割り当てられた前記ＩＰアドレスにしたがって特定のエンド・ユーザ・デバイスに向けてエンド・ユーザ・データをルーティングする、方法。
【請求項８】
請求項１記載の方法において、前記１つ以上の近隣のアクセス・ポイントのうち特定の１つのアクセス・ポイントを選択することが、
前記１つ以上の近隣のアクセス・ポイントで為される前記第１エンド・ユーザ・デバイスのワイヤレス通信の品質についての各測定値を前記第１アクセス・ポイントに提供するための要求を、前記少なくとも１つのＲＦインタフェースを介して前記複数のアクセス・ポイントのうち前記１つ以上の近隣のアクセス・ポイントに送信し、
前記第１エンド・ユーザ・デバイスのワイヤレス通信の品質についての前記測定値を、前記第１アクセス・ポイントにおける前記１つ以上の近隣のアクセス・ポイントから受信し、
前記第１エンド・ユーザ・デバイスのワイヤレス接続についての受信した品質の測定値に基づいて、前記１つ以上の近隣のアクセス・ポイントのうち前記特定の１つのアクセス・ポイントを選択する、
ことを含む、方法。
【請求項９】
請求項１記載の方法において、
前記１つ以上の近隣のアクセス・ポイントが、前記第１アクセス・ポイントの地理的位置に基づいて、前記複数のアクセス・ポイントから選択されること、および、
前記複数のアクセス・ポイントの各アクセス・ポイントが、その地理的位置を、前記複数のアクセス・ポイントのうち残りのアクセス・ポイントとの間でワイヤレスで共有すること、
の一方または双方である、方法。
【請求項１０】
請求項１記載の方法において、前記複数のアクセス・ポイントおよび前記複数のエンド・ユーザ・デバイスの間のワイヤレス通信が、第１無線周波数チャネルおよび第１通信プロトコルを使用し、前記第１アクセス・ポイントおよび前記１つ以上の近隣のアクセス・ポイントの間のワイヤレス通信が、第２無線周波数チャネルおよび第２通信プロトコルを使用する、方法。
【請求項１１】
複数のコード部を格納した非一時的コンピュータ可読媒体であって、
各前記コード部が、１つ以上のプロセッサによって実行可能な複数の命令を含み、該命令が、前記１つ以上のプロセッサに、移動物体のネットワークにおける複数のアクセス・ポイントのうち第１アクセス・ポイントを動作させる方法を実行させ、前記複数のアクセス・ポイントが少なくとも１つの無線周波数（ＲＦ）インタフェースを備え、該ＲＦインタフェースが、複数のエンド・ユーザ・デバイスによる相互の、および前記移動物体のネットワークにアクセス可能なリモート・リソースとのワイヤレス・モバイル通信を可能にし、前記方法のステップが、
前記複数のエンド・ユーザ・デバイスとの通信のために前記第１アクセス・ポイントによってサポートされるワイヤレス・ネットワーク・アクセスの領域を表すネットワーク識別子を割り当てるステップと、
前記第１アクセス・ポイントの前記少なくとも１つのＲＦインタフェースを使用して、前記ネットワーク識別子をブロードキャストするステップと、
前記第１エンド・ユーザ・デバイスによる要求を表す信号を、前記少なくとも１つのＲＦインタフェースを使用して前記複数のエンド・ユーザ・デバイスのうち第１エンド・ユーザ・デバイスから受信して、前記第１アクセス・ポイントを介した第１エンド・ユーザ・データの通信を構成するワイヤレス接続を確立するステップと、
前記複数のアクセス・ポイントを介して、また、前記移動物体のネットワークを通じて、前記第１エンド・ユーザ・データの通信を可能にするために、前記第１エンド・ユーザ・デバイスへのネットワーク・アドレスの割り振りを要求するステップと、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信するステップと、
前記第１アクセス・ポイントによって、前記少なくとも１つのＲＦインタフェースおよび前記第１エンド・ユーザ・デバイスの間のワイヤレス通信の品質が特定の品質閾値より高いかを判定するステップと、
前記少なくとも１つのＲＦインタフェースおよび前記第１エンド・ユーザ・デバイスの間のワイヤレス通信の品質が前記特定の品質閾値より高い場合に、引き続き、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高くない場合には、
前記１つ以上の近隣のアクセス・ポイントのうち特定の１つのアクセス・ポイントを選択し、
前記第１エンド・ユーザ・データの前記第１エンド・ユーザ・デバイスとの通信を開始することを前記特定のアクセス・ポイントに要求する通知を、前記特定のアクセス・ポイントに送信し、
前記第１アクセス・ポイントによって、前記第１エンド・ユーザ・データの前記第１エンド・ユーザ・デバイスとの通信を終了する、
ことを実行する、ステップと、
を含む、非一時的コンピュータ可読媒体。
【請求項１２】
請求項１１記載の非一時的コンピュータ可読媒体において、前記複数のアクセス・ポイントが、それぞれの前記アクセス・ポイントに知られた固定の地理的位置にあるアクセス・ポイントと、移動体である車両に備え付けれ、前記それぞれのアクセス・ポイントに知られた現在の地理的位置にあるアクセス・ポイントと、を含む、非一時的コンピュータ可読媒体。
【請求項１３】
前記割り当てられたネットワーク識別子が、前記移動物体のネットワーク内の全てのアクセス・ポイントに同一である、請求項１１記載の非一時的コンピュータ可読媒体。
【請求項１４】
前記割り当てられたネットワーク識別子が、前記移動物体のネットワークによってサービス提供される各エンド・ユーザ・デバイスに一意である、請求項１１記載の非一時的コンピュータ可読媒体。
【請求項１５】
請求項１１記載の非一時的コンピュータ可読媒体において、前記ネットワーク識別子が、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含む、非一時的コンピュータ可読媒体。
【請求項１６】
請求項１１記載の非一時的コンピュータ可読媒体において、前記第１エンド・ユーザ・データの前記第１エンド・ユーザ・デバイスとの通信を開始することを前記特定のアクセス・ポイントに要求する前記通知が送信されたときに、前記ネットワーク識別子が前記特定のアクセス・ポイントに転送される、非一時的コンピュータ可読媒体。
【請求項１７】
請求項１１記載の非一時的コンピュータ可読媒体において、前記ネットワーク・アドレスが、前記移動物体のネットワークにおけるノードによって前記エンド・ユーザ・デバイスに割り当てられたインターネット・プロトコル（ＩＰ）アドレスであり、前記ノードによって前記特定のエンド・ユーザ・デバイスに割り当てられた前記ＩＰアドレスにしたがって特定のエンド・ユーザ・デバイスに向けてエンド・ユーザ・データをルーティングする、非一時的コンピュータ可読媒体。
【請求項１８】
請求項１１記載の非一時的コンピュータ可読媒体において、前記１つ以上の近隣のアクセス・ポイントのうち特定の１つのアクセス・ポイントを選択することが、
前記１つ以上の近隣のアクセス・ポイントで為される前記第１エンド・ユーザ・デバイスのワイヤレス通信の品質についての各測定値を前記第１アクセス・ポイントに提供するための要求を、前記少なくとも１つのＲＦインタフェースを介して前記複数のアクセス・ポイントのうち前記１つ以上の近隣のアクセス・ポイントに送信し、
前記第１エンド・ユーザ・デバイスのワイヤレス通信の品質についての前記測定値を、前記第１アクセス・ポイントにおける前記１つ以上の近隣のアクセス・ポイントから受信し、
前記第１エンド・ユーザ・デバイスのワイヤレス接続についての受信した品質の測定値に基づいて、前記１つ以上の近隣のアクセス・ポイントのうち前記特定の１つのアクセス・ポイントを選択する、
ことを含む、非一時的コンピュータ可読媒体。
【請求項１９】
請求項１１記載の非一時的コンピュータ可読媒体において、
前記１つ以上の近隣のアクセス・ポイントが、前記第１アクセス・ポイントの地理的位置に基づいて、前記複数のアクセス・ポイントから選択されること、および、
前記複数のアクセス・ポイントの各アクセス・ポイントが、その地理的位置を、前記複数のアクセス・ポイントのうち残りのアクセス・ポイントとの間でワイヤレスで共有すること、
の一方または双方である、非一時的コンピュータ可読媒体。
【請求項２０】
請求項１１記載の非一時的コンピュータ可読媒体において、
前記複数のアクセス・ポイントおよび前記複数のエンド・ユーザ・デバイスの間のワイヤレス通信が、第１無線周波数チャネルおよび第１通信プロトコルを使用し、
前記第１アクセス・ポイントおよび前記１つ以上の近隣のアクセス・ポイントの間のワイヤレス通信が、第２無線周波数チャネルおよび第２通信プロトコルを使用する、非一時的コンピュータ可読媒体。
【請求項２１】
複数のアクセス・ポイントを備える移動物体のネットワークが有するアクセス・ポイントのためのシステムであって、
前記複数のアクセス・ポイントの第１アクセス・ポイントにおいて、少なくとも１つの無線周波数（ＲＦ）インタフェースに動作可能に結合される１つ以上のプロセッサを備え、
該ＲＦインタフェースが、複数のエンド・ユーザ・デバイスによる相互の、および前記移動物体のネットワークにアクセス可能なリモート・リソースとのワイヤレス・モバイル通信を可能にし、前記１つ以上のプロセッサは、少なくとも、
前記複数のエンド・ユーザ・デバイスとの通信のために前記第１アクセス・ポイントによってサポートされるワイヤレス・ネットワーク・アクセスの領域を表すネットワーク識別子を割り当て、
前記第１アクセス・ポイントの少なくとも１つのＲＦインタフェースを使用して、前記ネットワーク識別子をブロードキャストし、
前記第１エンド・ユーザ・デバイスによる要求を表す信号を、前記少なくとも１つのＲＦインタフェースを使用して前記複数のエンド・ユーザ・デバイスのうち第１エンド・ユーザ・デバイスから受信して、前記第１アクセス・ポイントを介した第１エンド・ユーザ・データの通信を構成するワイヤレス接続を確立し、
前記複数のアクセス・ポイントを介して、また、前記移動物体のネットワークを通じて、前記第１エンド・ユーザ・データの通信を可能にするために、前記第１エンド・ユーザ・デバイスへのネットワーク・アドレスの割り振りを要求し、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高い場合に、引き続き、
前記ネットワーク識別子および前記ネットワーク・アドレスを使用して、前記第１アクセス・ポイントを介して前記第１エンド・ユーザ・デバイスの前記第１エンド・ユーザ・データをワイヤレスで通信し、
前記第１アクセス・ポイントによって、前記少なくとも１つのＲＦインタフェースおよび前記第１エンド・ユーザ・デバイスの間のワイヤレス通信の品質が特定の品質閾値より高いかを判定し、
前記少なくとも１つのＲＦインタフェースおよび前記第１エンド・ユーザ・デバイスの間のワイヤレス通信の品質が前記特定の品質閾値より高くない場合には、
前記１つ以上の近隣のアクセス・ポイントのうち特定の１つのアクセス・ポイントを選択し、
前記第１エンド・ユーザ・データの前記第１エンド・ユーザ・デバイスとの通信を開始することを前記特定のアクセス・ポイントに要求する通知を、前記特定のアクセス・ポイントに送信し、
前記第１アクセス・ポイントによって、前記第１エンド・ユーザ・データの前記第１エンド・ユーザ・デバイスとの通信を終了する、
ように動作可能である、システム。
【請求項２２】
請求項２１記載のシステムにおいて、前記複数のアクセス・ポイントが、それぞれの前記アクセス・ポイントに知られた固定の地理的位置にあるアクセス・ポイントと、移動体である車両に備え付けれ、前記それぞれのアクセス・ポイントに知られた現在の地理的位置にあるアクセス・ポイントと、を含む、システム。
【請求項２３】
前記割り当てられたネットワーク識別子が、前記移動物体のネットワーク内の全てのアクセス・ポイントに同一である、請求項２１記載のシステム。
【請求項２４】
前記割り当てられたネットワーク識別子が、前記移動物体のネットワークによってサービス提供される各エンド・ユーザ・デバイスに一意である、請求項２１記載のシステム。
【請求項２５】
請求項２１記載のシステムにおいて、前記ネットワーク識別子が、ＩＥＥＥ８０２．１１ｂ、ＩＥＥＥ８０２．１１ｇ、ＩＥＥＥ８０２．１１ｎまたはＩＥＥＥ８０２．１１ａｃのプロトコルにおける基本サービス・セット識別子（ＢＳＳＩＤ）を含む、システム。
【請求項２６】
請求項２１記載のシステムにおいて、前記第１エンド・ユーザ・データの前記第１エンド・ユーザ・デバイスとの通信を開始することを前記特定のアクセス・ポイントに要求する前記通知が送信されたときに、前記ネットワーク識別子が前記特定のアクセス・ポイントに転送される、システム。
【請求項２７】
請求項２１記載の方法において、前記ネットワーク・アドレスが、前記移動物体のネットワークにおけるノードによって前記エンド・ユーザ・デバイスに割り当てられたインターネット・プロトコル（ＩＰ）アドレスであり、前記ノードによって前記特定のエンド・ユーザ・デバイスに割り当てられた前記ＩＰアドレスにしたがって特定のエンド・ユーザ・デバイスに向けてエンド・ユーザ・データをルーティングする、システム。
【請求項２８】
請求項２１記載のシステムにおいて、前記１つ以上の近隣のアクセス・ポイントのうち特定の１つのアクセス・ポイントを選択するときに、前記１つ以上のプロセッサが、
前記１つ以上の近隣のアクセス・ポイントで為される前記第１エンド・ユーザ・デバイスのワイヤレス通信の品質についての各測定値を前記第１アクセス・ポイントに提供するための要求を、前記少なくとも１つのＲＦインタフェースを介して前記複数のアクセス・ポイントのうち前記１つ以上の近隣のアクセス・ポイントに送信し、
前記第１エンド・ユーザ・デバイスのワイヤレス通信の品質についての前記測定値を、前記第１アクセス・ポイントにおける前記１つ以上の近隣のアクセス・ポイントから受信し、
前記第１エンド・ユーザ・デバイスのワイヤレス接続についての受信した品質の測定値に基づいて、前記１つ以上の近隣のアクセス・ポイントのうち前記特定の１つのアクセス・ポイントを選択する、システム。
【請求項２９】
請求項２１記載のシステムにおいて、
前記１つ以上の近隣のアクセス・ポイントが、前記第１アクセス・ポイントの地理的位置に基づいて、前記複数のアクセス・ポイントから選択されること、および、
前記複数のアクセス・ポイントの各アクセス・ポイントが、その地理的位置を、前記複数のアクセス・ポイントのうち残りのアクセス・ポイントとの間でワイヤレスで共有すること、
の一方または双方である、システム。
【請求項３０】
請求項２１記載のシステムにおいて、前記複数のアクセス・ポイントおよび前記複数のエンド・ユーザ・デバイスの間のワイヤレス通信が、第１無線周波数チャネルおよび第１通信プロトコルを使用し、前記第１アクセス・ポイントおよび前記１つ以上の近隣のアクセス・ポイントの間のワイヤレス通信が、第２無線周波数チャネルおよび第２通信プロトコルを使用する、システム。
【国際調査報告】
2019515546.tif 000022